(57)【要約】      （修正有）【課題】火災などの災害に強い操作部材と静電気を放電する部材からコネクタに電気が放電することを防止できる遊技機を提供する。【解決手段】操作部の一部を収容する収容ケース（支持部）を備え、収容ケースの内側に収容している操作部の一部を収容ケースの外側へ露出可能な開口が設けられ、操作部は、収容ケースの外側に露出する外側操作部（ボタン部）を含み、外側操作部は難燃性の部材で形成され、かつ開口と操作部との隙間の一部を覆うように形成され、制御基板（左中継基板３００）を内装する装飾部材（左側装飾部材１６）を備え、装飾部材は絶縁体で形成される光透過性部材（左導光レンズ３０２）とコネクタ３０１を含み、光透過性部材は制御基板の外部からコネクタに対し静電気を放電する部材との沿面距離を取るためのコネクタカバー３０３を兼ねている。【選択図】図１１５
2018047309.tif 000002
【特許請求の範囲】
【請求項１】
操作部と、
軸部と、
前記軸部に対して摺動可能となる摺動部と、
前記操作部の操作を検知可能な検知手段と、
前記検知手段の検知結果に基づいた制御を行なう制御手段と、
前記軸部及び前記操作部の少なくとも一部を収容する収容ケースと、
を備え、
前記収容ケースには、前記収容ケースの内側に収容している前記操作部の少なくとも一部を前記収容ケースの外側へ露出可能な開口が設けられ、
前記操作部は、前記収容ケースの外側に露出する外側操作部と、前記収容ケースの内側に収容される内側操作部と、を含み、
前記開口は、前記操作部が、前記検知手段が検知状態となる操作位置と、前記検知手段が検知状態とはならない操作位置と、に移動操作可能な形状に形成され、
前記摺動部は、前記外側操作部よりも摺動性の高い部材で形成され、
前記外側操作部は、難燃性の部材で形成され、かつ前記開口と前記操作部との隙間の少なくとも一部を覆うように形成され、
電子部品が実装された制御基板を内装する装飾部材を備え、
前記装飾部材は、発光手段と、絶縁体で形成され前記発光手段から発光された光を所定方向へ導く光透過性部材と、前記発光手段と電気的に接続されるコネクタを含み、
前記コネクタは、
外部からの配線と電気的に接続するハーネス接続部を含み、
前記光透過性部材は、前記コネクタと電気的に接続するコネクタ接続部より前記制御基板上において外側端部寄りに延出するように配置され、
前記光透過性部材は、前記制御基板の外部から前記コネクタに対し静電気を放電する部材との沿面距離を取るためのコネクタカバーを兼ねていることを特徴とする遊技機。
【発明の詳細な説明】
【技術分野】
【０００１】
本発明は、遊技媒体を用いた遊技を行うことができる遊技機に関する。
【背景技術】
【０００２】
この種の遊技機として従来から一般的に知られているものに、装飾効果や遊技の演出効果を高めるための演出装置を備えた遊技機がある。
例えば、演出装置に設けられたレンズ部材に所定の文字が加工されており、レンズ部材の背後に設けられた発光手段が発光することにより前記所定の文字が発光して光による演出効果を発揮している遊技機がある（特許文献１参照。）。
【先行技術文献】
【特許文献】
【０００３】
【特許文献１】特開２００４−３２９８４７号公報
【発明の概要】
【発明が解決しようとする課題】
【０００４】
しかしながら、上記遊技機では、遊技者が火のついたタバコをもったままで発射ハンドルを操作した場合、さらに遊技者が遊技の腹癒せに発射ハンドルに火をつけようとし火事になる虞があった。また、コネクタ専用のカバーを別途用意すると、製造コスト・作業コストなどでの課題があった。
【０００５】
本発明は、このような問題を解決するためになされており、その目的は、火災などの災害に強い操作部材（発射ハンドル）を提供でき、またコネクタカバーを別途用意する必要なく静電気を放電する部材からコネクタに電気が放電することを防止できる遊技機を提供することにある。
【課題を解決するための手段】
【０００６】
このような目的を達成するために、本発明は、操作部４０２と、
軸部４０５と、
前記軸部４０５に対して摺動可能となる摺動部４０４と、
前記操作部４０２の操作を検知可能な検知手段（発射停止スイッチ２６ｇ）と、
前記検知手段（発射停止スイッチ２６ｇ）の検知結果に基づいた制御を行なう制御手段（払出・発射制御基板３４）と、
前記軸部４０５及び前記操作部４０２の少なくとも一部を収容する収容ケース（支持部２６ｃ）と、を備え、
前記収容ケース（支持部２６ｃ）には、前記収容ケース（支持部２６ｃ）の内側に収容している前記操作部４０２の少なくとも一部を前記収容ケース（支持部２６ｃ）の外側へ露出可能な開口が設けられ、
前記操作部４０２は、前記収容ケース（支持部２６ｃ）の外側に露出する外側操作部（ボタン部４０１）と、前記収容ケース（支持部２６ｃ）の内側に収容される内側操作部（操作部４０２）と、を含み、
前記開口は、前記操作部４０２が、前記検知手段（発射停止スイッチ２６ｇ）が検知状態となる操作位置と、前記検知手段（発射停止スイッチ２６ｇ）が検知状態とはならない操作位置と、に移動操作可能な形状に形成され、
前記摺動部４０４は、前記外側操作部（ボタン部４０１）よりも摺動性の高い部材で形成され、
前記外側操作部（ボタン部４０１）は、難燃性の部材で形成され、かつ前記開口と前記操作部４０２との隙間の少なくとも一部を覆うように形成され、
電子部品が実装された制御基板（例えば左中継基板３００）を内装する装飾部材（例えば左側装飾部材１６）を備え、
前記装飾部材（例えば左側装飾部材１６）は発光手段と、絶縁体で形成され前記発光手段から発光される光を所定方向へと導く光透過性部材（例えば左導光レンズ３０２）と、前記発光手段と電気的に接続されるコネクタ３０１を含み、
前記コネクタ３０１は、
外部からの配線と電気的に接続するハーネス接続部を含み、
前記光透過性部材（例えば左導光レンズ３０２）は、前記コネクタ３０１と電気的に接続するコネクタ接続部より前記制御基板（例えば左中継基板３００）において外側端部寄りに延出するように配置され、
前記光透過性部材（例えば左導光レンズ３０２）は、前記制御基板の外部から前記コネクタ３０１に対し静電気を放電する部材との沿面距離を取るためのコネクタカバー３０３を兼ねていることを特徴とする遊技機としたことである。
【発明の効果】
【０００７】
本発明によれば、火災などの災害に強い操作部材（発射ハンドル）を提供でき、またコネクタカバーを別途用意する必要なく静電気を放電する部材からコネクタに電気が放電することを防止できる遊技機を提供し得る。
【図面の簡単な説明】
【０００８】
【図１】本発明に係る遊技機を正面側から見た概略斜視図である。
【図２】本発明に係る遊技機の概略正面図である。
【図３】第一実施形態の遊技機において、遊技盤と導光板とセルシートと裏箱が視認可能な状態を示す正面図である。
【図４】遊技盤の概略正面図で、第三の可動演出役物が見えている状態を示す概略正面図である。
【図５】裏箱の概略正面図で、第三の可動演出役物が見えている状態を示す概略正面図である。
【図６】裏箱の概略正面図である。
【図７】裏箱を取り外した状態で遊技盤を背面側から見た概略背面図である。
【図８】背面側からみて表示装置が分離されている状態の概略斜視図である。
【図９】遊技盤の背面側に導光板が配設されている状態を縦方向で断面した状態の概略縦断斜視図である。
【図１０】通路部材の概略断面図である。
【図１１】通路部材の概略分割斜視図である。
【図１２】導光板に基板隠しとなる装飾部材が施されている状態を示す概略正面図である。
【図１３】導光板の概略正面図である。
【図１４】導光板の概略背面図である。
【図１５】一部省略して示す導光板の概略側面図である。
【図１６】上側左基板の一部のＬＥＤの発光により、導光板の斜線で示した領域に所定の発光演出が施されている状態を示す概略正面図である。
【図１７】図１６により導光板の左側領域が発光演出表示されている状態を示す概略正面図である。
【図１８】上側中基板のＬＥＤと上側左基板の一部のＬＥＤの発光により、導光板の斜線で示した領域に所定の発光演出が施されている状態を示す概略正面図である。
【図１９】図１８により導光板の中央領域が発光演出表示されている状態を示す概略正面図である。
【図２０】上側右基板のＬＥＤの発光により、導光板の斜線で示した領域に所定の発光演出が施されている状態を示す概略正面図である。
【図２１】図２０により導光板の右側領域が発光演出表示されている状態を示す概略正面図である。
【図２２】左側上基板、左側中基板及び左側下基板のそれぞれのＬＥＤの発光により、導光板の斜線で示した領域に所定の発光演出が施されている状態を示す概略正面図である。
【図２３】図２２により導光板の全領域が発光演出表示されている状態を示す概略正面図である。
【図２４】（ａ）乃至（ｃ）は、図２３の発光演出の表示状態を示す概略図である。
【図２５】左側上基板のＬＥＤの発光により、導光板の斜線で示した領域に所定の発光演出が施されている状態を示す概略正面図である。
【図２６】図２５により導光板の上側領域が発光演出表示されている状態を示す概略正面図である。
【図２７】（ａ）は導光板とセルシートと遊技盤の概略分解斜視図、（ｂ）は導光板の消灯時でセルシートの図柄のみが視認可能であることを示す概略正面図、（ｃ）は導光板の点灯時でセルシートの図柄上に導光板の図柄が重なって一つの新たな図柄が表示されていることを示す概略正面図である。
【図２８】第一の発光演出手段の概略分解斜視図である。
【図２９】第一の発光演出手段を背面側から見た概略斜視図である。
【図３０】第一の発光演出手段の概略縦断側面図である。
【図３１】第一の発光演出手段の発光状態を一部省略して示す概略断面図である。
【図３２】第二の発光演出手段の概略分解斜視図である。
【図３３】第三の発光演出手段の概略分解斜視図である。
【図３４】第三の発光演出手段のレンズ部材の概略背面図である。
【図３５】（ａ）乃至（ｅ）は、第三の発光演出手段の発光状態を示す概略正面図である。
【図３５Ａ】（ａ）乃至（ｅ）は、第三の発光演出手段の発光状態を装飾部材（装飾レンズ部材）側から見た状態を示す概略正面図である。
【図３６】第一の可動演出役物が視認容易な出現位置にあるとともに所定の発光演出を行っている状態を遊技盤側からみた概略正面図である。
【図３６Ａ】第一の可動演出役物が視認容易な出現位置にあるとともに斜め上方に向かって前進動作している状態を遊技盤側からみた概略正面図である。
【図３７】第一の可動演出役物の表面側から見た状態の概略分解斜視図である。
【図３８】第一の可動演出役物の表面側から見た状態で、一部を省略するとともに、一部を仮想線で示す概略斜視図である。
【図３９】第一の可動演出役物の背面側からみた状態の概略斜視図である。
【図４０】第一の可動演出役物を構成する第一のギアと第二のギアと第三のギアで、第三のギアが噛み合っている状態を示す背面側から見た状態の概略斜視図である。
【図４１】第一の可動演出役物を構成する第一のギアと第二のギアと第三のギアで、第三のギアのギア歯を有さない領域が第一のギアのギア歯を有さない領域に接して移動している状態を示す背面側から見た状態の概略斜視図である。
【図４２】第二の可動演出役物の初期状態に位置している状態を示す概略正面図である。
【図４３】第二の可動演出役物の初期状態に位置している状態を、裏装飾部材を省略して示す概略背面図である。
【図４４】第二の可動演出役物が出現状態に向けて回動動作をした状態を、裏装飾部材を省略して示す概略背面図である。
【図４５】第二の可動演出役物の概略分解斜視図である。
【図４６】第二の可動演出役物の伝達機構を表した概略斜視図である。
【図４７】第二の可動演出役物が出現位置にある状態を遊技盤側からみた概略正面図である。
【図４８】裏箱に第二の可動演出役物収容部を備え、第二の可動演出役物が出現位置にある状態を仮想線で示す概略斜視図である。
【図４９】第三の可動演出役物の概略分解斜視図である。
【図５０】第三の可動演出役物の概略正面図である。
【図５１】第三の可動演出役物の発光状態を部分的に拡大して示す概略断面図である。
【図５２】第三の可動演出役物を構成する第一の可動部と第二の可動部の連結状態を背面側から見た概略斜視図である。
【図５３】第三の可動演出役物を構成する第一の可動部と第二の可動部の分離状態を背面側から見た概略斜視図で、第二係止部材を部分的に拡大して示す。
【図５４】第二の係止部材に設けられている凹部の前後方向の幅が、先端側から奥側に向かうに従って狭くなっている状態を示す概略平面図である。
【図５５】第三の可動演出役物を構成する第一の組合せ可動演出役物と第二の組合せ可動演出役物の連結状態を示し、第三の可動演出役物が初期位置にあることを示す概略背面図である。
【図５６】第三の可動演出役物を構成する第一の組合せ可動演出役物と第二の組合せ可動演出役物の分離状態を示し、第三の可動演出役物が出現位置にあることを示す概略背面図である。
【図５７】第二実施形態の遊技機を遊技盤側から見た状態の概略正面図である。
【図５８】第二実施形態の遊技機を裏箱側から見た状態の概略斜視図である。
【図５９】第四の可動演出役物が出現位置にある状態を遊技盤側からみた概略正面図である。
【図６０】第四の可動演出役物と第五の可動演出役物がそれぞれ出現位置にある状態を遊技盤側からみた概略正面図である。
【図６１】第四の可動演出役物の概略分解斜視図である。
【図６２】第四の可動演出役物の表ベースを取り外した状態を示す概略斜視図である。
【図６３】第四の可動演出役物を背面側から見た状態の概略動作図で、（ａ）は可動する前の状態を示し、（ｂ）は可動状態を示す概略背面図である。
【図６４】第四の可動演出役物を構成する可動部材のガイドベースを取り外し、伝達機構部分と突出部材の配設状態を背面側から見た概略斜視図である。
【図６５】第四の可動演出役物を構成する可動部材の装飾部材からガイドベースまでの組立状態を示す概略縦断断面図である。
【図６６】第四の可動演出役物を構成する突出部材がガイドベースの環状ガイド面上で出現位置にあることを示す概略背面図である。
【図６７】第四の可動演出役物を構成する突出部材がガイドベースの環状ガイド面上で初期位置にあることを示すガイドベース側から見た概略背面図である。
【図６８】第四の可動演出役物を構成する可動部材における発光手段を示す概略正面図である。
【図６９】第四の可動演出役物の発光状態を部分的に拡大して示す概略断面図である。
【図７０】第五の可動演出役物であって初期位置にある状態を示す概略正面図である。
【図７１】第五の可動演出役物であって出現位置にある状態を示す概略正面図である。
【図７２】第五の可動演出役物を構成する可動体の概略分解斜視図である。
【図７３】可動体を構成するレンズ部材の概略正面図である。
【図７４】第五の可動演出役物を構成する可動体で、発光手段が消灯時である概略正面図である
【図７５】第五の可動演出役物を構成する可動体で、発光手段が点灯時である概略正面図である。
【図７６】第四の可動演出役物の他の形態を示す概略分解斜視図である。
【図７６Ａ】第四の可動演出役物の他の形態についてＬＥＤ基板と基板カバーと装飾部材を省略して示す概略斜視図である。
【図７７】第五の可動演出役物の他の形態であって初期位置にある状態を示す概略正面図である。
【図７８】第五の可動演出役物の他の形態であって出現位置にある状態を示す概略正面図である。
【図７９】第五の可動演出役物の他の形態における可動体の概略分解斜視図である。
【図８０】第六の可動演出役物を正面側から見た概略斜視図である。
【図８１】第六の可動演出役物の概略分解斜視図である。
【図８２】第六の可動演出役物の駆動前の状態を機構ベースを取り外して背面側から見た概略背面図である。
【図８３】第六の可動演出役物が上昇して出現位置にある状態を機構ベースを取り外して背面側から見た概略背面図である。
【図８４】第六の可動演出役物が上昇した後、僅かに引き下げた状態を機構ベースを取り外して背面側から見た概略背面図である。
【図８５】第六の可動演出役物の前後リンク機構の押し出し部材が装飾部材を押圧している状態をを部分的に拡大して示す概略背面図である。
【図８６】第七の可動演出役物が出現位置にある状態を遊技盤側から見た状態の概略正面図である。
【図８７】第七の可動演出役物を背面側から見た状態の概略分解斜視図である。
【図８８】第七の可動演出役物の概略背面図である。
【図８８Ａ】第七の可動演出役物が上昇した状態（出現位置となった状態）を示す概略背面図である。
【図８９】第八の可動演出役物を前面側から見た状態の概略分解斜視図である。
【図９０】第八の可動演出役物が初期位置にある状態を示す概略正面図である。
【図９０Ａ】第八の可動演出役物が出現位置にある状態を示す概略正面図である。
【図９１】本実施形態の遊技機における大入賞口を示す概略斜視図である。
【図９２】第四の発光演出手段の概略斜視図である。
【図９３】第五の発光演出手段の概略斜視図である。
【図９４】第六の発光演出手段の概略斜視図である。
【図９５】第三実施形態に係る遊技機において、表枠の裏面の構成に、本体枠に備えられた発射装置の一部が見えている状態を示す背面図である。
【図９６】図９５に示された配線保持機能付きカバー部材を拡大して示す斜視図である。
【図９７】本体枠の表面の構成を示す正面図である。
【図９８】本体枠の裏面の構成を示す背面図である。
【図９９】本体枠の裏面（図９８参照）に着脱可能な遊技盤の表面の構成を示す正面図である。
【図１００】本体枠の裏面（図９８参照）に着脱可能な遊技盤の裏面の構成を示す背面図である。
【図１０１】後枠の表面の構成を示す正面図である。
【図１０２】後枠の裏面の構成を示す背面図である。
【図１０３】図１０２に示された払出装置ケースが払出装置を露出させた姿勢に維持されている状態を拡大して示す斜視図である。
【図１０４】図１０３に示された姿勢に払出装置ケースを維持させる構成を一部拡大して示す斜視図である。
【図１０５】遊技球の払い出しが可能な位置に払出装置がセットされている状態を一部拡大して示す正面図である。
【図１０６】取り外しが可能な位置に払出装置がセットされている状態を一部拡大して示す正面図である。
【図１０７】（ａ）は、球落下防止機構の主要な構成を一部拡大して示す斜視図で、（ｂ）は、球落下防止機構の球止め部が球通路に突入した状態（遊技球の流出・落下防止状態）を一部拡大して示す図、（ｃ）は、球落下防止機構の球止め部が球通路から回避した状態（遊技球の払出可能状態）を一部拡大して示す図である。
【図１０８】透明板ユニットの一実施形態を示す分解斜視図である。
【図１０９】透明板ユニットの正面図である。
【図１１０】透明板ユニットの縦断側面図である。
【図１１１】排出口と供給口とを表枠の裏面にて連絡する球通路部分を拡大して示す概略背面図である。
【図１１２】排出口と供給口と球通路との連絡状態を拡大して示す概略縦断側面図である。
【図１１３】下皿カバーの係止爪部が表枠ベース板の係止孔に係止され、その直下に球通路カバー（下カバー）に一体に設けた保持部が配されている状態を拡大して示す部分拡大断面図である。
【図１１４】上皿前飾りのメッキ部分と、左側装飾部材との位置関係の一実施形態を示す概略正面図である。
【図１１５】上皿前飾りのメッキ部分が、左側装飾部材の左中継基板に備えたコネクタに近接して配され、メッキ部分とコネクタとの間にコネクタカバーを備えた左導光レンズが配されている状態を示す概略底面図である。
【図１１６】左中継基板と左導光レンズとを示す概略斜視図。
【図１１７】（ａ）は、沿面距離を長くとった本実施形態における静電気の流れを示す概略図、（ｂ）は沿面距離が短い比較例における静電気の流れを示す概略図である。
【図１１８】発射装置の一実施形態を示す部分拡大正面図である。
【図１１９】発射ハンドルの拡大正面図である。
【図１２０】発射ハンドルからハンドルキャップを取り外した状態の概略正面図である。
【図１２１】図１２０の状態からハンドルレバーを取り外し、発射停止ボタンが押圧されて遊技球の発射が制限されている状態の概略正面図である。
【図１２２】図１２０の状態からハンドルレバーを取り外し、発射停止ボタンへの押圧が解除されて遊技球が発射可能な状態の概略正面図である。
【図１２３】発射停止ボタンの概略斜視図である。
【図１２４】発射停止ボタンの軸止部の概略を拡大して示し、（ａ）は概略縦断正面図、（ｂ）は概略分解正面図である。
【図１２５】電気部品収容部材と配線保持部材との一実施形態を示す概略縦断側面図である。
【図１２６】電気部品収容部材の第二の面部に配線保持部材が着脱自在に取り付けられている状態を拡大して示す部分概略縦断側面図である。
【図１２７】配線保持部材の概略背面図である。
【図１２８】配線保持部材を正面方向から見た概略斜視図である。
【図１２９】操作ユニットの構成を示す側面図である。
【図１３０】図１２９に示された操作ユニットを上から見た平面図である。
【図１３１】操作ユニットの構成を分解して示す図である。
【図１３２】操作ユニットの回転操作状態を検知するためのセンサの配置構成を示す平面図である。
【図１３３】操作ユニットの回転操作状態を検知する際に、図１３２に示されたセンサによって検知される検知片（検知部材）の配置構成を示す斜視図である。
【図１３４】操作ユニットの回転性を向上させるための球状部材の配置構成を一部拡大して示す斜視図である。
【図１３５】図１３４に示された球状部材が転動可能な転動面の配置構成を示す斜視図である。
【図１３６】操作ユニットが上皿上部カバーに着脱可能に固定された状態を示す平面図である。
【図１３７】上皿上部カバーに貫通形成された取付用孔に操作ユニットを挿入して取り付けるプロセスを説明するための背面図である。
【図１３８】押え部材が設けられた右側装飾部材の構成を分解して示す斜視図である。
【図１３９】押え部材によって導光板の端面近傍の側面が位置決め固定されている状態を一部拡大して示す斜視図である。
【図１４０】押え部材によって発光基板の配線が保持されている状態を一部拡大して示す斜視図である。
【図１４１】図１３８乃至図１４０に示された押え部材がそのまま再利用された他の構成に係る右側装飾部材の構成を分解して示す斜視図である。
【図１４２】パトランプ役物において、第１および第２の可動装飾部材によって一連の前方反射面部が形成された状態を示す底面図である。
【図１４３】パトランプ役物において、第１および第２の可動装飾部材によって一連の後方反射面部が形成された状態を示す底面図である。
【図１４４】第１および第２の可動装飾部材を可動させるための駆動機構の構成を示す平面図である。
【図１４５】図１４３の駆動機構に適用されたラックの構成を示す拡大図である。
【発明を実施するための形態】
【０００９】
以下、本発明の一実施形態に係る遊技機について、添付図面を参照しつつ説明する。
図１乃至図５６は第一実施形態、図５７乃至図９４は第二実施形態、図９５乃至図１４５は第三実施形態をそれぞれ示す。なお、図１に示す遊技機全体の概略斜視図及び図２に示す遊技機全体の正面図にあっては、第一実施形態、第二実施形態、第三実施形態において共通するためそのまま援用する。
「第一実施形態」
【００１０】
＜遊技機全体の概略構成＞
本実施形態に係るパチンコ遊技機は、ガイドレール（外レール３６、内レール３７）によって囲まれ、遊技球が転動流下可能な転動領域（例えば遊技領域１ｐ）を有する遊技盤１を備えた本体枠２と、遊技盤を視認可能な開口部３ｈ（以下、表枠開口部という）が設けられ、本体枠２の前方（遊技者側）において当該本体枠２により回動可能に支持された表枠３と、前記遊技盤１の背面側に着脱可能に取り付けられ、所定の画像を発光表示する導光板１０３１と、前記導光板１０３１の背面側に備えられ、種々の役物（可動演出役物、発光演出役物など）を配設した裏箱１０５５を取り付けている。
【００１１】
本実施形態では、遊技盤に外レール３６が備えられているが、説明上このように表現しているに過ぎず、本来は、本体枠２に対して一体に構成されている。具体的には、外レール３６は、図示しない本体枠ベース板の本体枠開口部に沿って設けられており、遊技盤１を本体枠２の裏面に着脱可能に取り付けると、その状態で、外レール３６の内側に沿って内レール３７が対向配置されたガイドレールが構成されることになる。
なお、本実施形態で「役物」とは、可動することや発光することで演出を行なう演出装置のことをいうものとする。
【００１２】
裏箱１０５５は、遊技盤１の背面側に導光板１０３１を介して直接取り付けられている。なお、裏箱１０５５は、遊技盤１の背面側に取り付けた導光板１０３１の背面側にて、本体枠２により回動可能に支持される後枠（図示省略）に備えられているものであってもよく、修理・点検などの観点からすると本体枠２と容易に分離可能なように後枠を介して取り付けられるものとしてもよい。
【００１３】
図中４は所定の演出表示を行うための表示装置であって、本実施形態では後枠（図示省略）に対して着脱可能に設けられている。なお、表示装置４は、裏箱１０５５の背面側に着脱可能に設けられているものとしてもよい。
【００１４】
表示装置４は、主制御基板からのコマンドに基づきサブ制御基板によってその表示態様が制御される。例えば、本実施形態では、表示装置４として、液晶ディスプレイ（ＬＣＤ ：Liquid Crystal Display）が想定されている。なお、表示装置は所定の画像演出を表示可能であればよく、液晶ディスプレイに限らず、例えばＣＲＴ（Ｃａｔｈｏｒｄｅ Ｒａｙ Ｔｕｂｅ）を含むブラウン管、ドットＬＥＤ（Ｌｉｇｈｔ Ｅｍｉｔｔｉｎｇ Ｄｉｏｄｅ）、セグメントＬＥＤ、ＥＬ（Ｅｌｅｃｔｒｏｎｉｃ Ｌｕｍｉｎｅｓｃｅｎｔ）、プラズマ等からなるものであっても良い。
【００１５】
遊技盤１及び裏箱１０５５には、表示装置４上で演出表示される表示態様を視認可能な開口部１ｈ、１０５５ｈが設けられており、遊技盤１の表面（前面）には、当該遊技盤開口部１ｈを含めた領域に亘って、遊技球が転動流下可能な遊技領域１ｐが構成されている。
【００１６】
本実施形態に係るパチンコ遊技機は、外枠６を介して島設備（図示しない）に取り付けられており、その状態において、上記した本体枠２は、本体枠ヒンジ２ｂを介して外枠６に回動可能に支持されている。また、本実施形態では、本体枠２にスピーカ１０ｃを備えている。
【００１７】
表枠３には、種々の表枠構成部材を含み、表枠構成部材には、透明板ユニット７、皿ユニット８、操作ユニット９、スピーカ１０ａ及び１０ｂ、光による演出を施す各種装飾部材（トップ飾り１４、右側装飾部材１５、左側装飾部材１６）などがある。なお、表枠構成部材はこれらに限定されるものではなく、表枠３を構成する部材は全て含まれるものである。
【００１８】
透明板ユニット７は、一枚又は複数枚の透過性を有する板部材（例えばガラス材）などで構成され、表枠３に備えられた表枠ベース板３ａに設けた表枠開口部３ｈ（窓部）に対して、表枠ベース板３ａの裏面側（背面側）から着脱自在に取り付けられており、当該表枠３を本体枠２に対して閉じた状態において、遊技盤１の表面（前面）側に対向し、かつその表面（前面）側を覆うように構成されている。
【００１９】
皿ユニット８は、貸出球や賞球を貯留するための上皿１７と、上皿１７の下方側に設けられ、例えば上皿１７が満杯時に溢れた遊技球などを貯留することが可能な下皿１８とが設けられている。
【００２０】
また、裏箱１０５５の裏面（図８参照）には、当該開口部１０５５ｈを回避した位置に、主制御基板（図示省略）がケース２８に収容された状態で設けられている。
【００２１】
特に限定はされないが、例えば、主制御基板には、中継基板３２（図８参照）を介して、サブ制御基板や払出・発射制御基板が接続されている。
この場合、サブ制御基板は、主制御基板から供給される各種のコマンドに応じて、液晶表示装置４における表示制御、上記したスピーカ１０ａ乃至１０ｃから発生させる音声に関する制御、各種役物の演出制御、各種役物や装飾部材などに用いられている各種ＬＥＤの制御などを行う。また、払出・発射制御基板には、上記した発射装置２６や、遊技球の払出を行う払出装置などが接続されている。また、例えば、サブ制御基板に対する信号の受け渡しを行うサブ中継基板、遊技の演出に関するプログラムが記憶されたサブＲＯＭ中継基板、電力を供給する電源基板なども備えられている。
【００２２】
また、裏箱１０５５を配設する後枠には、例えば貸出球や賞球として払い出される遊技球を収容するための球タンク４７と、当該球タンク４７から複数の遊技球を連続して転動流下させるレールユニット（図示省略）と、当該レールユニットの下端に連続させることが可能な払出装置（図示省略）と、当該払出装置から払い出された遊技球を上皿１７に供給する球払出通路（図示省略）などが連設されている。
【００２３】
なお、第一の実施形態に係る本発明は、以下の構成部分に特徴を有するものであるため、その特徴部分に重点を置いて説明する。
【００２４】
＜遊技盤の概略構成＞
遊技盤１は、透明なアクリルパネルなどからなる遊技盤本体（パネル本体）１ａの前面に、遊技釘、遊技領域を転動流下する遊技球が通過可能な複数の通過領域（一般入賞口１０１３、始動入賞口１００９、大入賞口１０１１）、ステージ１００１、などが配設されている（図４参照）。
遊技盤本体（パネル本体）１ａの前面に配設される各種遊技部材は、特に本実施形態に限定されて解釈されるものではなく種々の遊技部材が適宜設計変更可能である。
【００２５】
ステージ１００１、開口部１ｈに沿って配設した台板１０００上に設けられており、遊技領域１ｐを転動流下していた遊技球が遊技領域１ｐに配設されているワープ入り口１００７から入り、ワープ入り口１００７から入った遊技球を、遊技盤１の略中央領域にて左右に転動させた後、再び遊技領域１ｐへと戻す部材であって、特に図示した実施形態に限定されず種々のステージを実施の形態に応じて適宜変更可能である。
【００２６】
なお、本実施形態では、ステージ１００１の背面側にステージ１００１の転動面１００３よりも鉛直方向で多少高さを持って配設されるステージ裏部材１００５が備えられている。さらに、本実施形態では、遊技盤１の背面側に導光板１０３１を配設しているため、ステージ裏部材１００５だけでステージ１００１の転動面１００３上を転動する遊技球のはみ出し落下を防止するのみではなく、導光板１０３１が遊技球のステージ裏へのはみ出し落下を確実に防止する構成を採用している（図９参照）。
従って、遊技球がステージ１００１からはみ出し落下して、遊技盤１の背面側に配設されている各種の可動演出役物や発光演出手段あるいは液晶ディスプレイなどに衝突する虞もまったくない。
【００２７】
一般入賞口１０１３、始動入賞口１００９、大入賞口１０１１は、遊技盤１のパネル本体1ａの所定領域に設けた所定形状の切り欠き領域に組み込まれて配されている。
一般入賞口１０１３は、通路部材（通路ユニット）１０１５に複数個（本実施形態では３個）が一体に形成されている。なお、始動入賞口１００９と大入賞口１０１１にあっては、本実施形態では特に特徴を有するものではなく、図示形態に限定されず本発明の範囲内で設計変更可能である。
【００２８】
通路部材１０１５は、第一通路部材１０１７と第二通路部材１０２３で構成されている（図１０及び図１１参照）。
【００２９】
第一通路部材１０１７は、少なくとも一部が遊技盤１の前方に配され、前記複数の通過領域（一般入賞口１０１３）を一体に備えている。
すなわち、前面に一般入賞口（通過領域）１０１３を所定間隔おきに突設し、それぞれの一般入賞口（通過領域）１０１３は、それぞれ裏面側で、背面側を開放した長尺状の一つの通路構成部１０２１に連通している。
そして、パネル本体１ａの背面側から、該パネル本体１ａの各切り欠き領域を介して前記各一般入賞口（通過領域）１０１３のみをパネル本体１ａの前面側に突設して配設している。
【００３０】
第二通路部材１０２３は、遊技盤１の後方に配され、前記複数の通過領域（一般入賞口１０１３）を通過して転動した遊技球を、導光板１０３１に備えた排出領域１０３５から排出させるための排出領域１０２５を備えている。すなわち、前記第一通路部材１０１７の背面側の開放形状と同一の形状をもって前面側を開放した長尺状の一つの通路構成部１０２７を有するとともに、その通路構成部１０２７の最も下流領域に背面側へと連通する所定形状の排出領域１０２５を備えている。
そして、前記遊技盤１の背面側に配設されている第一通路部材１０１７の背面側の開放部位と第二通路部材１０２３の前面側の開放部位を重ね合わせて一体に形成することにより、通路構成部１０１７，１０２３からなる一つの中空状の球通路１０２９が形成される。そして、前記排出領域１０２５は、導光板１０３１の排出領域１０３５を介して導光板１０３１の背面側に連通している。そして、排出領域１０３５は、導光板１０３１の背面側に配設される所定の排出流路（図示省略）に連結される。
【００３１】
なお、本実施形態において通路部材１０１５は、有色透明若しくは無色透明の樹脂部材によって形成されるとともに、所定箇所に所定の装飾（カット）を施して光による発光演出や装飾演出が可能なように構成されている。
なお、本実施形態では、第一通路部材１０１７と第二通路部材１０２３の二つの部材から構成されるようにしたが、三つ以上の部材から構成されるようにしてもよい。例えば、一つの一般入賞口毎に一般入賞口用通路部材を設け、一般入賞口用通路部材のそれぞれを転動する遊技球を集合させる集合通路部材を設け、一般入賞口に入球した遊技球の全てを集合通路部材によりまとめ、当該まとめられた遊技球を導光板１０３１の排出領域１０３５から排出するようにしてもよい。
【００３２】
＜導光板構成＞
導光板１０３１は、本実施形態では、前記裏箱１０５５の前面に、後述するベース１０４１及び第二ホルダ１０４２をビス止めして着脱可能に取付固定されている。導光板１０３１は、透光性を有するアクリルパネル部材の所定領域若しくは全領域に、所定の演出形状（例えば所定のキャラクタ形状など）が表示可能なように加工（例えば反射ドット加工）されており、所定位置に配設した発光手段１０３７からの光の導入（照射）によってそれぞれの所定の演出形状が発光表示可能である（図９及び図１２乃至図２７参照）。
なお、図９、図１２、図１６、図１８、図２０及び図２２にて、導光板１０３１から符合１０３２，１０３４及び１０３６で示すボスが突出しているが、これらは後述する第三の可動演出役物１３２１の第一の組合せ可動演出役物１３２３を、導光板１０３１の前面側に取り付け固定するためのボスである。また、符合１０３０で示すボスは、後述する第三の可動演出役物１３２１の第二の組合せ可動演出役物１３３５の一部を、導光板１０３１の前面側に取り付け固定するためのボスである。詳細は後述する。なお、導光板１０３１は、裏箱１０５５の前面側にスペーサを介在して取り付けるものであっても良い。また、導光板１０３１は、遊技盤１の背面側に直接取り付けるか、あるいはスペーサなどを介在して取り付けるものとしてもよく本発明の範囲内である。
【００３３】
導光板１０３１の具体的一例をあげると、例えば、導光板１０３１の前面（正面）側を所定の領域毎に区分するとともに、その所定の領域毎に所定の画像を表現可能なように反射ドット群（反射部）を形成して構成されている。
このように構成することによって、後述する発光手段１０３７との関係において、複数の発光表示形態（例えば、後述する第三画像など）を遊技者に対して提供することが可能である。
例えば、ある領域の反射ドット群（反射部）では、上方からの光の照射により反射して所定の演出形状が表示可能となるように構成し、また、別の領域の反射ドット群（反射部）では、側方からの光の照射により反射して所定の演出形状が表示可能となるように構成するものとしている。
導光板の構成、全体形状や、発光表示される画像形態、発光表示領域などは、特に限定解釈されるものではなく、本発明の範囲内で適宜他の周知の構成に設計変更可能である。なお、反射部は、導光板の背面側に設けるものであってもよく本発明の範囲内である。
【００３４】
反射部は、特に限定解釈されるものではなく、導光板１０３１の端面に設けた後述するＬＥＤ１０３７（１０３７ａ，１０３７ｂ，１０３７ｃ，１０３７ｄ，１０３７ｅ，１０３７ｆなど）から入射した光を前面側（遊技者側）に反射する所定形状の反射ドットを所定の配列をもって形成することにより所定の画像等を発光演出する。
例えば、導光板１０３１の上端面に備えた各ＬＥＤ１０３７ａ，１０３７ｂ，１０３７ｃから照射される光によって、導光板１０３１の前面側に所定の画像等を発光演出する場合、特に図示は省略するが、導光板１０３１の前面の所定領域に、上端側から入光する光を受け得るように、反射面を上方（各ＬＥＤ１０３７ａ，１０３７ｂ，１０３７ｃからの光の照射方向）に向けるとともに前面側（遊技者側）に向けて傾斜するように凹設してなる反射ドットを所定の配列でもって複数形成する。
なお、導光板１０３１の側方に備えた各ＬＥＤ１０３７ｄ，１０３７ｅ，１０３７ｆなどから照射される光によって導光板１０３１の前面側に所定の画像等を発光演出する場合、特に図示は省略するが、導光板１０３１の前面の所定領域に、側方から入光する光を受け得るように、反射面を側方（各ＬＥＤ１０３７ｄ，１０３７ｅ，１０３７ｆからの光の照射方向）に向けるとともに前面側（遊技者側）に向けて傾斜するように凹設してなる複数の反射ドットを所定の配列でもって形成する。すなわち、それぞれのＬＥＤからの光を反射し得る反射面を有している反射ドット群の配列によってそれぞれの方向からの光によって所定の画像等が発光演出可能となる。なお、各反射ドットの構成は従来周知の構造を採用するものであって、その反射ドットの配列によって種々の画像等が表現されるものである。
また、導光板１０３１の背面側に反射ドットを凹設する物であってもよく本発明の範囲内で設計変更可能である。
さらに、反射ドットの反射面（傾斜面）は、可能な限り平滑な面に形成するほうが乱反射を防ぐことができ、発光画像演出を明瞭に提供することが可能となる。
【００３５】
発光手段１０３７は、本実施形態では、導光板１０３１の端面に光を入射させることが可能なＬＥＤ基板に備えた複数個のＬＥＤ１０３８を想定している（以下、発光手段１０３７をＬＥＤ１０３８として表現することもある）。
発光手段１０３７は、本発明の範囲内において適宜設計変更可能であって、所定領域に入射する所定の光の色・発光時間・発光パターンなどによって導光板１０３１に施されている反射部の所定の演出形状が発光表示可能である。
【００３６】
また、図１２で符合１０４５は、遊技者側からＬＥＤ基板１０３７を視認困難なように遮蔽するために配設される装飾部材兼用基板カバーである。
【００３７】
本実施形態では、導光板１０３１の上端面１０３１ａに、図１２中、矢印Ａ１で示す水平方向で、左側から、上側左基板１０３７ａ、上側中基板１０３７ｂ、上側右基板１０３７ｃが取り付けられている。
これら上側左基板１０３７ａ、上側中基板１０３７ｂ、上側右基板１０３７ｃは、それぞれ複数のＬＥＤ１０３８を設けており、導光板１０３１の上側から下側に向けて所定の光を照射可能なように構成している（図１２乃至図１４参照）。なお、図中、符合１０３９は、それぞれの基板１０３７ａ，１０３７ｂを導光板１０３１に取り付けるためのカバーである。カバー１０３９は、各基板１０３７ａ，１０３７ｂに備えられているＬＥＤ１０３８からの光が漏れないように光漏れ防止としても機能している。また、図中、符合１０４１は、導光板１０３１を裏箱１０５５に取り付けるためのベースである。ベース１０４１は、後述する入光部（入光レンズ部）１０４７を保持する機能を併せ持っている。
前記カバー１０３９とベース１０４１はそれぞれ基板１０３７ａ，１０３７ｂを挟持するように連結されている。
上側右基板１０３７ｃは、第一ホルダ１０４０によって導光板１０３１に取り付けられている。第一ホルダ１０４０は、後述する入光部（入光レンズ部）１０４７を保持する機能と、ＬＥＤ１０３８からの光が漏れないように光漏れ防止としても機能している。
【００３８】
また、本実施形態では、導光板１０３１の左端面１０３１ｂに、図１２中、矢印Ａ２で示す鉛直方向で、上方から下方に向けて、左側上基板１０３７ｄ、左側中基板１０３７ｅ、左側下基板１０３７ｆがそれぞれ取り付けられている。
これら左側上基板１０３７ｄ、左側中基板１０３７ｅ、左側下基板１０３７ｆは、それぞれ複数のＬＥＤ１０３８を設けており、導光板１０３１の左側から右側に向けてそれぞれのＬＥＤ１０３８から所定の光を照射可能なように構成している（図１２乃至図１４参照）。また、左側上基板１０３７ｄ、左側中基板１０３７ｅにあっても、上述したカバー１０３９とベース１０４１によって同様に挟持されて連結されている。
左側下基板１０３７ｆは、第一ホルダ１０４０によって導光板１０３１に取り付けられている。第一ホルダ１０４０は、後述する入光部（入光レンズ部）１０４７を保持する機能と、ＬＥＤ１０３８からの光が漏れないように光漏れ防止としても機能している。
なお、図１３及び図１４にて符合１０４２で示す部材は第二ホルダで、図１６、図１８、図２０、図２２、図２５にて符合１０４６にて示す基板隠しを導光板１０３１に取り付けるとともに、裏箱に連結するためのホルダである。
【００３９】
ここで具体的な発光演出表示の一例を説明する。
【００４０】
まず、上側左基板１０３７ａ、上側中基板１０３７ｂ、上側右基板１０３７ｃのいずれかのＬＥＤ１０３８を発光させることで所定の部分的な発光表示演出を行うことが可能な点について説明する。
【００４１】
図１６は、上側左基板１０３７ａの一部のＬＥＤ１０３８（図１４にて符号Ｌ１で示す領域のＬＥＤ１０３８  本実施形態ではこれを第一の発光手段と称する）のみを発光させることにより、導光板１０３１の斜線で示した領域に所定の発光演出が施されることを示している。
本実施形態にあっては、導光板１０３１の斜線で示した左側領域には、第一の可動演出役物１１４３と同一形状の画像（特定画像）１１４３ａが、第一の可動演出役物１１４３の配設位置と同一の位置に表示可能なように反射部（本実施形態ではこの領域の反射部を第一の反射部と称する）が形成されている。
【００４２】
そして、例えば、遊技において所定条件が整い、後述する第一の可動演出役物１１４３を可動させることとなったときに、第一の可動演出役物１１４３の可動が開始する以前に、上側左基板１０３７ａの一部のＬＥＤ１０３８を発光（点滅・点灯）させる。
本実施形態の上側左基板１０３７ａには、鉛直方向で配設位置を変えたＬ１領域のＬＥＤ１０３８と、Ｌ２領域のＬＥＤ１０３８がそれぞれ備えられている。すなわち、図１４に示すようにＬ１で示す領域に備えられるＬＥＤ１０３８よりも鉛直方向で高い位置（本実施形態では、上側中基板１０３７ｂのＬＥＤ１０３８と鉛直方向で同一の高さ位置）にＬ２で示す領域のＬＥＤ１０３８が備えられている。なお、本実施形態では、図１４にてＬ１で示す範囲にあるＬＥＤ１０３８のみ発光させている。
これにより、第一の可動演出役物１１４３が配設されている位置（図面の左側の領域）に対応する導光板１０３１の左側領域に設けた反射部によって、第一の可動演出役物１１４３と同一形状の刃物画像（特定画像）１１４３ａが、前記導光板１０３１の左側領域にて、第一の可動演出役物１１４３の上に重なり合うようにして発光（点滅・点灯）演出表示される（図１７参照）。
このように、第一の可動演出役物１１４３と同一形状の画像１１４３ａが同一の位置にて発光演出表示された後に、第一の可動演出役物１１４３が出現することで、第一の可動演出役物１１４３が所定の位置まで可動する可能性を示唆する（出現するかしないかといった、いわゆるあおり感）期待感が高まり興趣の向上となる。特に、高速で点滅させるように設定することにより、さらに期待感を高めることができる。
【００４３】
図１８は、上側中基板１０３７ｂのＬＥＤ１０３８と、上述した上側左基板１０３７ａのＬ２領域のＬＥＤ１０３８の発光により、導光板１０３１の斜線で示した領域に所定の発光演出が施されることを示している。本実施形態では、前記上側中基板１０３７ｂのＬＥＤ１０３８と、前記上側左基板１０３７ａのＬ２領域のＬＥＤ１０３８を、第二の発光手段と称する。
本実施形態にあっては、導光板１０３１の斜線で示した中央領域には、本件遊技機のキャラクタの顔画像（前記特定画像１１４３ａとは異なる画像）が大きく表示可能なように反射部（本実施形態ではこの領域の反射部を第二の反射部と称する）が形成されている。
そして、例えば、遊技において所定条件が整い、遊技者に有利な遊技状態に移行するようなこととなったときに、その移行前に、上側中基板１０３７ｂのＬＥＤ１０３８と、上述した上側左基板１０３７ａのＬ２領域のＬＥＤ１０３８を発光（点滅・点灯）させる。
これにより、導光板１０３１の中央領域に設けた反射部によって、所定のキャラクタの顔画像が、前記導光板１０３１の中央領域に発光（点滅・点灯）演出表示される（図１９参照）。
このように、導光板１０３１の中央領域に所定のキャラクタの顔画像が大きく発光演出表示された後に、所定の遊技状態に移行するものとしたことで、遊技状態の移行に関する遊技者の期待感が高まり興趣の向上となる。またこの場合にあっても、特に、高速で点滅させるように設定することにより、さらに期待感を高めることができる。なお、本実施形態では、導光板１０３１によって上述のとおり演出表示をしているが、表示装置４によってキャラクタの顔画像を表示し、導光板１０３１では、そのキャラクタの鉢巻画像を重ね合わせるようにして発光表示するものとしてもよく本発明の範囲内である。
【００４４】
図２０及び図２１は、上側右基板１０３７ｃの各ＬＥＤ１０３８（本実施形態ではこれを第三の発光手段と称する）の発光により、導光板１０３１の斜線で示した領域に所定の発光演出が施されることを示している。
本実施形態にあっては、導光板１０３１の斜線で示した右側領域には、後述する第一の発光演出手段１０５７と第二の発光演出手段１１０５上に、所定の装飾画像が表示可能なように反射部（本実施形態ではこの領域の反射部を第三の反射部と称する）が形成されている。例えば、本実施形態では、「ＷＡＲＮＩＮＧ」の文字を発光表示させているが、この場合の装飾画像は文字であっても所定のキャラクタ画像であってもよい。また、第一の発光演出手段１０５７と第二の発光演出手段１１０５の領域全域を覆うように所定の色で発光するように構成していても良い。
【００４５】
また、例えば、左側上基板１０３７ｄ、左側中基板１０３７ｅ、左側下基板１０３７ｆの全て、あるいはいずれかの各ＬＥＤ１０３８を発光表示させることで所定の発光表示演出を行うことができる。
【００４６】
図２２乃至図２４は、左側上基板１０３７ｄ、左側中基板１０３７ｅ、及び左側下基板１０３７ｆの全ての各ＬＥＤ１０３８（本実施形態ではこれを第四の発光手段と称する）を発光させることで、導光板１０３１の斜線で示した全領域に所定の発光演出が施されることを示している。
本実施形態にあっては、導光板１０３１の斜線で示した全領域には、遊技盤の下方領域から上方領域に向かって稲光のような画像が表示可能なように反射部（本実施形態ではこの領域の反射部を第四の反射部と称する）が形成されている。
そして、例えば、遊技において所定条件が整い、後述する第二の可動演出役物１２１３が出現位置（第二位置，他の位置ともいう）に移動して、第二の可動演出役物収納部１３１３にあたかも突き刺さったような可動演出がなされた際に、左側下基板１０３７ｆの下のＬＥＤ１０３８から上のＬＥＤ１０３８へと発光（点滅・点灯）させ（図２４（ａ））、続いて左側中基板１０３７ｅの下のＬＥＤ１０３８から上のＬＥＤ１０３８へと発光（点滅・点灯）させ（図２４（ｂ））、続いて、左側上基板１０３７ｄの下のＬＥＤ１０３８から上のＬＥＤ１０３８へと発光（点滅・点灯）させる（図２４（ｃ））。
これにより、導光板１０３１の全領域に設けた反射部によって、下方領域から上方領域にわたって稲光のような画像が発光（点滅・点灯）演出表示される（図２３及び図２４参照）。図２４（ａ）乃至（ｃ）は、下方領域から上方領域にわたって稲光のような発光画像が順に広がっていく状態を示す。これは、左側下基板１０３７ｆ、左側中基板１０３７ｅ、上側左基板１０３７ａの順にそれぞれの各ＬＥＤ１０３８が点灯することにより表現される。
また、左側下基板１０３７ｆ、左側中基板１０３７ｅ、上側左基板１０３７ａの各ＬＥＤ１０３８が発光した状態（図２４（ｃ））となった後、左側下基板１０３７ｆの下のＬＥＤ１０３８から上のＬＥＤ１０３８へと順に消灯させ、続いて左側中基板１０３７ｅの下のＬＥＤ１０３８から上のＬＥＤ１０３８へと順に消灯させ、続いて、上側左基板１０３７ａの下のＬＥＤ１０３８から上のＬＥＤ１０３８へと順に消灯させることにらより、発光表示された画像が順に視認困難となるような演出を行なうようにしてもよい。
なお、左側下基板１０３７ｆ、左側中基板１０３７ｅ、左側上基板１０３７ｄの各ＬＥＤ１０３８を同時に発光（点滅・点灯）させることも可能である。このように、第二の可動演出役物１２１３の出現（可動演出）と、導光板１０３１の全領域による発光演出表示が併せて提供されることによって、遊技者に対してサプライズ的な演出を行なうことができ、興趣の向上が図れる。すなわち、第二の可動演出役物１２１３の一定の方向への大きな出現アクションによる演出と、その出現方向とは反対の方向からの発光表示演出によって、何か遊技にとって有利な展開への発展があるかとの期待感を遊技者に抱かせることが可能である。
なお、本実施形態では詳細な説明は省略しているが、始動入賞口１００９に遊技球が入球して図示しないセンサにより遊技球が検出された場合、乱数値を抽出するようになっている。そして、抽出した乱数値に基づいて、図示しない図柄表示装置において図柄を所定時間変動表示させてから所定の態様で停止表示させる。
図柄表示装置において停止表示される図柄の態様としては、抽出した乱数値が予め定められた特定の乱数値である場合に停止表示される大当たり態様と、特定の乱数値でない場合に停止表示されるハズレ態様がある。大当たり態様で停止表示されると、大入賞口１０１１が開放状態となり、遊技球が入球し易くなる所謂大当たり遊技状態に移行するようになっている。そして、上述したような演出を図柄表示装置において図柄の変動表示中に実行することが可能である。例えば、ハズレ態様で図柄が停止表示されるときには、図２４（ａ）の状態まで発光表示される演出が８／１０の選択率、図２４（ｂ）の状態まで発光表示される演出が２／１０の選択率、図２４（ｃ）の状態まで発光表示される演出が０／１０の選択率とし、大当たり態様で図柄が停止表示されるときには、図２４（ａ）の状態まで発光表示される演出が１／１０の選択率、図２４（ｂ）の状態まで発光表示される演出が４／１０の選択率、図２４（ｃ）の状態まで発光表示される演出が５／１０の選択率として、大当たり態様で停止表示される期待度が実行される演出毎に異なるようにしても良い。
【００４７】
図２５及び図２６は、左側上基板１０３７ｄの各ＬＥＤ１０３８（本実施形態ではこれを第五の発光手段と称する）を発光させることで、導光板１０３１の斜線で示した上側領域に所定の発光（点滅・点灯）演出が施されることを示している。
本実施形態にあっては、導光板１０３１の斜線で示した上側領域には、所定の装飾画像（所定のキャラクタ画像等）が表示可能なように反射部（本実施形態ではこの領域の反射部を第五の反射部と称する）が形成されている。この場合の装飾画像は文字であっても他のキャラクタ画像であってもよい。
また、図２７に示すセルシート１０４９上の画像（キャラクタの第一画像１０５１）と重なり合って一つの画像（キャラクタが鉢巻を巻いている画像、図２７（ｃ）参照）を構成する画像（例えば鉢巻の第一画像１０５１）を発光表示するべく導光板１０３１の所定位置に所定の反射部を設けておき、この一つのキャラクタ画像を同時に発光演出表示するようにしても良い。
このように、上側領域のみが発光演出表示されることにより、特殊な演出であると遊技者に思わせることが可能で興趣の向上も図れる。
【００４８】
なお、上側左基板１０３７ａ、上側中基板１０３７ｂ、上側右基板１０３７ｃ及び左側上基板１０３７ｄ、左側中基板１０３７ｅ、左側下基板１０３７ｆの各ＬＥＤ１０３８を同時に発光させることで、導光板１０３１の全領域に所定の発光演出表示行うことも可能である。これら全ての発光手段を発光させることにより全ての発光表示演出が一部では重なり合いつつ派手な発光演出が行い得るため、未だかつてない発光演出効果による興趣の向上が期待できる。
【００４９】
さらに、上側左基板１０３７ａ、上側中基板１０３７ｂ、上側右基板１０３７ｃ及び左側上基板１０３７ｄ、左側中基板１０３７ｅ、及び左側下基板１０３７ｆのそれぞれの発光手段を任意に組み合わせることで所定の発光表示演出を行うことも可能であり本発明の範囲内である。
また、全てのＬＥＤを発光させて２層の発光表示や、左側上基板１０３７ａのＬＥＤを発光表示することで、松明画像を発光表示し、鉢巻をしたセルのキャラクタが松明を有しているような演出表示を行うようにしてもよい。
【００５０】
本実施形態では、それぞれの各ＬＥＤ１０３８の近傍に入光部（入光レンズ部）１０４７を備え、その入光部（入光レンズ部）１０４７を介して発光手段１０３７の各ＬＥＤ１０３８からの光を導光板１０３１の各端面１０３１ａから確実に入射可能に構成している（図１４及び図１５参照）。
入光部（入光レンズ部）１０４７の形状・配設箇所などは、発光手段１０３７の各ＬＥＤ１０３８からの光を広がらせることなく導光板１０３１の各端面１０３１ａから確実に入射可能な構成を有しているものであればよく、本発明の範囲内で設計変更可能であり、本実施形態では、導光板１０３１のそれぞれの端面１０３１ａに配設されており、その上方側や側方側に発光手段１０３７を並設させている。
【００５１】
排出領域１０３５は、前記複数の通過領域（一般入賞口１０１３）よりも少ない数で導光板１０３１の下端に備えられており、本実施形態では、単一の排出領域（排出口）としている（図１４参照）。
これにより、導光板１０３１に形成される排出領域（排出口）配設のための領域は一箇所で済む。また、導光板１０３１において排出領域を確保するスペースが少なくてよいため、導光板１０３１における発光表示領域を広く確保することができ大変有効利用が高い。
【００５２】
＜セルシート構成＞
セルシート１０４９は、導光板１０３１の背面側に設けられ、所定の画像が表示されている（図２７参照）。
例えば本実施形態では、前記導光板１０３１の発光時に発光表示される画像（導光板に設けられている第二画像１０５３）上に、少なくとも一部が重なる位置において、前記第二画像１０５３に対応する画像（第一画像１０５１）をセルシート１０４９に表示するものとしている。
【００５３】
すなわち、例えば、本実施形態では、セルシート１０４９にはキャラクタの顔（第一画像１０５１）が表示されており、前記導光板１０３１に備えた発光手段１０３７のＬＥＤ１０３８の非発光時であってもこのキャラクタの顔（第一画像１０５１）が遊技者に視認可能に表示されている。そして、導光板１０３１には、ＬＥＤ１０３８の発光時において、キャラクタの顔（第一画像１０５１）に重なる位置に発光表示されるような鉢巻の画像（第二画像１０５３）に対応する反射部を形成する。
これにより、前記導光板１０３１に備えた発光手段１０３７のＬＥＤ１０３８の非発光時には、鉢巻（第二画像１０５３）のないキャラクタの顔（第一画像１０５１）だけが表示され、発光手段１０３７の各ＬＥＤ１０３８の発光時には、鉢巻（第二画像１０５３）をしたキャラクタの顔（第一画像１０５１）が発光表示されることとなり、発光時と非発光時とにおいて、異なる画像による演出表示を行うものとしている。
このように発光時と非発光時によって異なる画像が遊技者に対して発光表示されるため、遊技者の興趣は向上する。
【００５４】
＜裏箱構成＞
裏箱１０５５は、遊技盤１と略同一の表面形状を有し、遊技盤１よりも奥行き方向で幅広に形成された前後面をそれぞれ開口して開口部１０５５ｈを設けており、その箱内面側には、開口部１０５５ｈを囲むようにして各種の役物が配設されている（図５乃至図８参照）。例えば、本実施形態では、各種の発光演出手段と各種の可動演出役物を配設している。また、本実施形態では、上述したとおり、裏箱１０５５の前面に、ベース１０４１をビス止めして導光板１０３１を着脱可能に取付固定している。
【００５５】
特に本実施形態では、次の第一の発光演出手段１０５７と第二の発光演出手段１１０５及び第三の発光演出手段１１１９、そして第一の可動演出役物１１４３と第二の可動演出役物１２１３と第三の可動演出役物１３２１を備えたことに特徴を有している。
また、開口部１０５５ｈは、演出表示領域を広くとるため可能な限り最大限に広く確保することが望ましいが遊技機の形態に応じて対処するようにする。
【００５６】
＜第一の発光演出手段＞
第一の発光演出手段１０５７は、光による演出表示を行う発光演出手段の一つであって、本実施形態では裏箱１０５５の前面から見て、鉛直方向で略中央右端に配設されている（図５、図２８乃至図３１参照）。
なお、第一の発光演出手段１０５７は図示した本実施形態の形態・構成に限定解釈されるものではなく、本発明の範囲内で設計変更可能である。
【００５７】
本実施形態の第一発光演出手段１０５７では、外装部材１０５９と、外装部材１０５９の内面側に備えられるレンズ部材１０７１と、レンズ部材１０７１の内面側に備えられるインナーレンズ部材１０７７と、レンズ部材１０７１とインナーレンズ部材１０７７との間に介在されるシート部材１０９１と、インナーレンズ部材１０７７の内面側に備えられる環状のリフレクタ（反射部材）１０９３と、環状のリフレクタ（反射部材）１０９３の内周側に前面側のＬＥＤ１０９９を配設して備えられるＬＥＤ基板１０９７で構成されている（図２８参照）。
【００５８】
外装部材１０５９は非透過性材料で所定形状に形成されており、本実施形態では発光する光が通過可能な所定の切り欠き部を所定箇所に備えている。本実施形態では、前面１０６１よりも大径状に形成された環状裾部１０６３を設け、前面１０６１と環状裾部１０６３との間を傾斜状の周面１０６５で一体に連結されてなる中空筒状に形成されている。
切り欠き部は、例えば外装部材１０５９の前面１０６１を、レンズ部材１０７１の前面レンズ部１０７９が見える程度に大きく切り欠いた略円形状の正面切り欠き部（貫通孔）１０６７と、外装部材１０５９の周面１０６５領域に、レンズ部材１０７１の側面レンズ部の一部が見える程度に細長状に貫通して切り欠いた周面切り欠き部（スリット）１０６９を複数個備えている（図２８、図３０及び図３１参照）。
従って、それぞれの切り欠き部１０６７，１０６９から所定の発光演出（色・発光パターンなど）が遊技者に対して提供される。
【００５９】
レンズ部材１０７１は、透過性を有する材料にて所定形状で所定の色に形成されており、本実施形態では、前記外装部材１０５９よりも小さくて、外装部材１０５９の内面に嵌合可能な外面形態を有している。本実施形態では、前面（平面部）１０７３の周縁部から後方に向けて拡開した（突出した）筒状の突出部１０７５を備えてなる中空筒状に形成されている（図２８、図３０及び図３１参照）。
【００６０】
インナーレンズ部材１０７７は、導光性を有するとともに、前記レンズ部材１０７１の内面に嵌合可能な程度の形状に形成され、本実施形態では、前記レンズ部材１０７１よりも小さくて、レンズ部材１０７１の内面に嵌合可能な外面形態を有している。本実施形態では、前面レンズ部１０７９よりも大径状に形成された環状裾部１０８１を設け、前面レンズ部１０７９と環状裾部１０８１との間を傾斜状の周面１０８３で一体に連結されてなる中空筒状に形成されている（図２８乃至図３１参照）。
また、本実施形態では、周面１０８３の所定領域に細長状に形成された切り欠き部（スリット）１０８５を複数個備えている。
この切り欠き部（スリット）１０８５は、発光手段から照射された光を反射・拡散させて効率よく切り欠き部（スリット）１０８５から外方に向けて発光させるために、切り欠き部（スリット）１０８５の内面に所定の凹凸加工（ギザ加工）１０８７を施している。
また、インナーレンズ部材１０７７は、その前面レンズ部１０７９の内面側にも所定の凹凸加工（ギザ加工）１０８９を施している。前面レンズ部１０７９の内面側の凹凸加工１０８９は、発光手段から照射された光を反射・拡散させて効率よく前面レンズ部１０７９に出射可能としている。
【００６１】
シート部材１０９１は、発光手段からの光を拡散させる薄肉シート部材であって、発光手段の所定の色によって所定の文字や図柄などが発光表示されるものとしている（図２８参照）。本実施形態では、赤色ＬＥＤの発光で所定の文字（第一の文字）が前面レンズ部１０７９から発光表示され、青色ＬＥＤの発光で、前記第一の文字とは異なる所定の文字（第二の文字）を発光表示するものとして、演出・装飾効果を向上させている。従って、遊技の進行によって遊技者に対して見える表示を異ならせて遊技の興趣を向上させることができる。
【００６２】
リフレクタ（反射部材）１０９３は、所定形状に形成され、本実施形態では八角形状に形成された所定の厚みを有する環状部材で、相対向する箇所に内方（内周側）に向けて半円状に突出した突部（外周側から見ると半円状に窪んだ凹部）１０９５が形成されている（図２８、図３０及び図３１参照）。
【００６３】
発光手段は、本実施形態では、ＬＥＤ基板（発光手段取付基板）１０９７の前面側に備えたＬＥＤ１０９９と背面側に備えたＬＥＤ１１０１を想定している。ＬＥＤ基板（発光手段取付基板）１０９７は、リフレクタ（反射部材）１０９３の背面側に配設され、ＬＥＤ基板１０９７の前面側は前記リフレクタ（反射部材）１０９３に当接するとともに、前面側のＬＥＤ１０９９は、前記環状のリフレクタ（反射部材）１０９３の内側に入り込んだ状態になっている（図２８乃至図３１参照）。
【００６４】
前面のＬＥＤ１０９９は側方発光で、そのＬＥＤ１０９９の外側方向にあるリフレクタ（反射部材）１０９３と相対向する内側方向に向けて所定の光を照射し、照射された光は、所定箇所、すなわち、インナーレンズ部材１０７７の内面側に設けられている所定の凹凸加工（ギザ加工）１０８９などにあたって入光し、前面レンズ部１０７９の前面方向を発光表示する（図中矢印は照射方向を示す。図３１参照）。
また、前面のＬＥＤ１０９９から照射される光が環状に構成されているリフレクタ（反射部材）１０９３の所定位置に反射して拡散することも考えられるため、前面レンズ部１０７９に向けて光が乱反射して拡散された状態でインナーレンズ部材１０７７の前面レンズ部１０７９に入光して広がりを持って発光演出される。
【００６５】
さらに、本実施形態によれば、前面のＬＥＤ１０９９が、リフレクタ（反射部材）１０９３の内側に配設される状態となっており、かつリフレクタ（反射部材）１０９３が前面の全てのＬＥＤ１０９９…を囲んで配設されているため、前面のＬＥＤ１０９９から照射される光がＬＥＤ基板１０９７の背面側に漏れ難くなっている。
【００６６】
背面側のＬＥＤ１１０１は前面側のＬＥＤ１０９９と同じく側方発光であるが、その発光方向は前面側のＬＥＤ１０９９とは異なり外側方向に向いている（図３０及び図３１参照）。
従って、側方から出射された光はインナーレンズ部材１０７７の内周面に向けて照射されて導光性を有するインナーレンズ部材１０７７に導光されるが、反射する光もあり、反射した光が切り欠き部（スリット）１０８５からレンズ部材１０７１の突出部（周面）１０７５に向けて出射され、前記突出部１０７５に導光され、外装部材１０５９の周面切り欠き部（スリット）１０６９を介して外方に導光する（図中矢印は照射方向を示す。図３１参照）。このとき、インナーレンズ部材１０７７の切り欠き部１０８５の内面に施された所定の凹凸加工（ギザ加工）１０８７によって照射された光は拡散される。
【００６７】
図２８中の符合１１０３は、第一の発光演出手段１０５７の外装部材１０５９の周囲に配設される装飾部材で、この装飾部材１１０３に第一の発光演出手段１０５７を取付固定するとともに、この装飾部材を裏箱１０５５の内面所定位置に取付固定する。
【００６８】
昨今の遊技機は、たくさんの発光演出手段と可動演出役物が、配設空間が制限されている狭い遊技機内に配設されていることから、必要な発光スペースが得られない状況にあることが多い。例えば、本実施形態にあっては、後述する第二の可動演出役物１２１３を構成する駆動手段（モータ）１２４５が近接して配設されている（図７及び図３０参照）。
本実施形態のように構成されることによって、たとえ上記のように駆動手段などによってスペースの制限を受けているような場合であっても、前面からの発光演出と周面からの発光演出により十分な発光演出効果が期待できる。
【００６９】
＜第二の発光演出手段＞
図３２は、第二の発光演出手段１１０５で、発光演出を行うとともに、回転作動による可動演出をも行うことが可能である。
本実施形態の第二の発光演出手段１１０５では、裏箱１０５５の前面（遊技者側）から見て、鉛直方向で前記第一の発光演出手段１０５７の下方に配設されている（図３、図５乃至図７参照）。なお、第二の発光演出手段１１０５は図示した本実施形態の形態・構成に限定解釈されるものではなく、本発明の範囲内で設計変更可能である。
【００７０】
本実施形態の第二の発光演出手段１１０５では、所定形状に形成された外装部材１１０７と、外装部材１１０７の内面側に備えられるレンズ部材１１１１と、レンズ部材１１１１の内面側に備えられるインナーレンズ部材１１１３と、裏箱１０５５に取り付け固定されるベースカバー１１１４及びベース部１１１６と、前記ベース部１１１６の前面側に取り付け固定され、前記インナーレンズ部材１１１３の背面側に位置し、発光手段としてのＬＥＤ１１１７を備えているＬＥＤ基板１１１５と、前記ベースカバー１１１４とベース部１１１６の間に配される駆動機構（中継ギア１１１０、伝達ギア１１１２）とで構成されている。なお、駆動機構を構成する駆動手段（モータ）１１０８にあっては、回転軸をベースカバー１１１４の方向に突出させてベース部１１１６の前面下方に取り付け固定されている。なお、図面では、説明上、中継ギア１１１０と伝達ギア１１１２をベース部１１１６の前方に抜き出して表示している（図３２参照）。
【００７１】
外装部材１１０７は非透過性材料で短尺の円筒状に形成されており、本実施形態では発光するＬＥＤ１１１７の光が通過可能な所定の切り欠き部１１０９を所定箇所に備えている。
従って、それぞれの切り欠き部１１０９から所定の発光演出（色・発光パターンなど）が遊技者に対して提供される。
また、背面（前面部内面）の所定箇所にはビス止め用のボス（前面側には非貫通）１１０６が複数個所形成されている。
【００７２】
レンズ部材１１１１は、透過性を有する材料にて、前記外装部材１１０７よりも小さくて、外装部材１１０７の内面に嵌合可能な短尺の円筒状に形成されている。
また、前面の所定箇所にはビス止め用の孔部（貫通孔）１１１１ａが複数個所形成されている。
【００７３】
インナーレンズ部材１１１３は、透過性を有する材料にて、前記レンズ部材１１１１よりも小さくて、レンズ部材１１１１の内面に嵌合可能な短尺の円筒状に形成されている。
また、前面の略中心位置には、前記伝達ギア１１１２の回転軸１１１２ａが挿通して固定可能な挿通孔（貫通孔）１１１３ａが形成され、所定箇所にはビス止め用の孔部１１１３ｂが複数個所形成されている。
【００７４】
ＬＥＤ基板１１１５は、ベース部１１１６の前面側に所定箇所をビス止め固定して配設されており、所定形状（円盤状）の基板の前面に所定数のＬＥＤ１１１７を所定位置に備えている（図３２参照）。ＬＥＤ１１１７は前方発光で、前方に備えられるインナーレンズ部材１１１３に向けて発光する。
【００７５】
そして、外装部材１１０７内にレンズ部材１１１１とインナーレンズ部材１１１３を内装するとともに、外装部材１１０７の背面側に設けられているビス止め用のボス１１０６とに対して、レンズ部材１１１１のビス止め用の孔部１１１１ａと、インナーレンズ部材１１１３のビス止め用の孔部１１１３ｂを重ね合わせてインナーレンズ部材１１１３の背面側からビス止めして一体に備えられる。なお、この一体工程にあたっては、インナーレンズ部材１１１３の挿通孔１１１３ａに、伝達ギア１１１２の回転軸１１１２ａの先端が一体に取り付けられている。
従って、駆動手段（モータ）１１０８からの回転動作を受けた中継ギア１１１０がその回転動作を伝達ギア１１１２に伝え、伝達ギア１１１２の回転動作によって、前記外装部材１１０７とレンズ部材１１１１とインナーレンズ部材１１１３が一体に回転する。
このとき、遊技態様に応じて、ＬＥＤ基板１１１５のＬＥＤ１１１７からの所定の発光による発光演出表示がなされる。この回転動作と発光演出表示は、本発明の範囲内において任意に設計変更可能である。
【００７６】
＜第三の発光演出手段＞
図３３乃至図３５Ａは第三の発光演出手段１１１９を示す。
図中１１１９は、裏箱１０５５の前方下端に配設される第三の発光演出手段で、インナーレンズ部材１１２３に発光手段としてのＬＥＤ１１２５（第一の発光手段），１１２５ａ（第二の発光手段），１１２５ｂ（第三の発光手段）からの光を照射することによって光による演出表示を行う。
本実施形態の第三の発光演出手段１１１９は、前方側（遊技者側）から見て、装飾部材（装飾レンズ部材）１１２１と、装飾部材１１２１の内面側に備えられるインナーレンズ部材（レンズ部材）１１２３と、インナーレンズ部材（レンズ部材）１１２３の内面側に備えられるＬＥＤ１１２５，ＬＥＤ１１２５ａ，ＬＥＤ１１２５ｂと、発光手段のＬＥＤ１１２５，ＬＥＤ１１２５ａ，ＬＥＤ１１２５ｂの背面側に配されるベース部１１２７で構成されている。なお、図中１１２９は、本実施形態の第三の発光演出手段１１１９を構成する他の装飾部材で、前記ＬＥＤ１１２５ｂ（第三の発光手段）によって発光演出表示される。
第三の発光演出手段１１１９は、前記レンズ部材（インナーレンズ部材）１１２３とＬＥＤ１１２５（１１２５ａ，１１２５ｂ）による発光演出に特徴を有するためその点について説明をする。
【００７７】
前記レンズ部材（インナーレンズ部材）１１２３は、第一の態様で加工された第一の発光表示領域１１３１と、前記第一の発光表示領域１１３１に施された第一の態様とは異なる第二の態様で加工された第二の発光表示領域１１３５とを有している。
【００７８】
具体的に説明すると、本実施形態では、前記第一の発光表示領域１１３１は、一方向から他方向、本実施形態では横方向に伸びる前記第一の態様を表現するように、光を一方向から他方向（横方向）に散らすことが可能な第一のレンズカット１１３３が前記第一の態様に沿って施されている。
そして、前記第二の発光表示領域１１３５は、前記第一のレンズカット１１３３を施した領域以外のレンズ部材１１２３の全部の領域に、光を３６０度に照射することが可能な第二のレンズカット１１３７が多数施されている（図３４及び図３５参照）。
なお、第二の発光表示領域１１３５は、前記第一のレンズカット１１３７を施した領域以外のレンズ部材１１２３の少なくとも一部の領域に第二のレンズカット１１３５が施されているものであってもよい。
【００７９】
そして、前記第一の発光表示領域１１３１の所定の複数個所に、ＬＥＤ１１２５が対応付けられている（図３４では、対応するＬＥＤ１１２５位置を破線で示す）。そして、前記第一のレンズカット１１３３に対応する前記複数のＬＥＤ１１２５を左右いずれかの方向から順番に点灯することにより、前記第一の態様に沿った発光表示領域１１３１が順番に発光表示される。
すなわち、図３５（ａ）乃至（ｅ）及び図３５Ａ（ａ）乃至（ｅ）に示すように、第一の発光表示領域１１３１のＬＥＤ１１２５が順番に点灯することにより、段々と横方向に伸びていく第一の態様を発光表示（ロープ状の発光表示）することとができる。図３５（ａ）乃至（ｅ）及び図３５Ａ（ａ）乃至（ｅ）にて、符合１１３２は、発光表示されている部分を示す。なお、図３５Ａでは、第一の発光表示領域１１３１が装飾部材１１２１の前面側に表示されているが、これは光が横方向に流れることを説明するために現しているに過ぎず、実際には、装飾部材１１２１の前面から第一の発光表示領域１１３１は現れていない。
また、ＬＥＤ１１２５を左右いずれかの方向から順番に点灯・消灯を繰り返して行うことにより、前記第一の態様に沿った発光表示領域１１３１に沿って光が流れるような発光表示が提供される。
さらに、全てのＬＥＤ１１２５を同時に点灯・同時に消灯を交互に繰り返してロープ状の全体を点滅させて発光表示することも可能である。
【００８０】
そして、前記第二の発光表示領域１１３５の所定の複数個所に、第二の発光手段のＬＥＤ１１２５ａが対応付けられている。
前記ＬＥＤ１１２５ａを点灯することにより、前記第二の態様に沿った発光表示領域１１３５が発光表示される（図３５参照）。すなわち、前記第二のレンズカット１１３７に対応するＬＥＤ１１２５ａを発光させることにより、第一のレンズカット１１３３を施した領域以外のレンズ部材１１２３が、例えば略円形状に発光表示するとした前記第二の態様が発光表示され、装飾部材１１２１の全体が発光表示される。特に本実施形態によれば、第一の態様に沿った発光表示領域１１３１の周囲にて、第一の発光表示領域１１３１の発光演出とは異なる第二の態様に沿った発光表示領域１１３５の発光演出が提供されるため、発光演出効果の向上となる。また、第三の発光手段のＬＥＤ１１２５ｂの発光によって他の装飾部材１１２９も、第一の発光表示領域１１３１と第二の発光表示領域１１３５とともに、所定の発光演出を行い、発光演出効果を高めている。
なお、前記第一の発光表示領域１１３１に対応させた第一の発光手段のＬＥＤ１１２５が発光表示しているときに、第二の発光表示領域１１３５の第二の発光手段のＬＥＤ１１２５を点灯させもよい。
なお、装飾部材１１２１は設けずに、インナーレンズ部材１１２３自体を視認容易に設ける構成であってもよく、本発明の範囲内である。
【００８１】
＜第一の可動演出役物＞
図３６乃至図４１に第一の可動演出役物（第一演出手段ともいう）１１４３の一例を示す。
第一の可動演出役物１１４３は、回動及び伸縮可動（前進動作及び後退動作）可能な役物であって、次の構成からなる。
【００８２】
第一の可動演出役物１１４３は、第一位置（視認困難な初期位置）１１４５から第二位置（視認容易な出現位置）１１４７へと可動（回動及び伸縮可動）可能であって（図６参照）、非透過性材にて形成された外装部材１１５３と、外装部材１１５３を可動（回転・伸縮）させるための駆動手段（モータ）１１５９と、駆動手段１１５９からの動作を伝達して、外装部材１１５３を可動させる伝達機構１１６３と、前記伝達機構１１６３とともに外装部材１１５３を可動させるスライドシャフト部材１１６７と、外装部材１１５３の背面側に配され、伝達機構１１６３の一部が収容される表装飾部材１１４９と、表装飾部材１１４９の背面側をカバーする裏カバー部材１１９９と、裏カバー部材１１９９の背面側に配される裏装飾部材１１５１を備えて構成されている（図３７参照）。
裏装飾部材１１５１は、裏箱１０５５の所定位置に取り付け固定されるが、表装飾部材１１４９は、裏装飾部材１１５１に対して回動可能に取り付けられている第一の部材１１４９ａと、裏装飾部材１１５１に対して固定されて取り付けられている第二の部材１１４９ｂの二部材で構成されている。
【００８３】
本実施形態では、第一の可動演出役物１１４３は、裏箱１０５５の内面左側（図６及び図３６において向かって左側）にて、初期位置１１４５で鉛直方向に起立している状態に配設されており、その位置から遊技領域方向に時計回りに回動して出現位置１１４７へと移るように構成されている。なお、本実施形態では、この第一の可動演出役物１１４３が、初期位置１１４５において遊技盤１の盤面の裏側に位置して遊技者側から視認困難に配設されている（図３参照）。
【００８４】
外装部材１１５３は、例えば本実施形態では、刃物の正面形態を有しているものとしており、非透過性材にて形成された表部材１１５５と裏部材１１５７で構成されている（図３７及び図３８参照）。
【００８５】
駆動手段（モータ）１１５９は、裏装飾部材１１５１の背面側の下方領域に固定して配設されており、回転軸を裏装飾部材１１５１の前面側に突出させるとともに、前記前面側にてモータギア１１６１を取り付けている。モータギア１１６１は、駆動手段（モータ）１１５９の正逆回転動作に応じて正逆回転可能に構成されている（図３７及び図３８参照）。
【００８６】
伝達機構１１６３は、第一のギア１１７７と、第二のギア１１８３と、第三のギア１１８５と、変換機構１１９３と、スライドシャフト部材１１６７を含んで構成されている（図３７乃至図４１参照）。
スライドシャフト部材１１６７は、軸受部分１１６９を、表装飾部材１１４９の背面側に取り付け固定するとともに、スライドシャフト１１７１の前後端１１７３，１１７５をそれぞれ外装部材１１５３の裏部材１１５７の背面側に取付固定することによって、前記軸受部分１１６９に摺動可能に保持されたスライドシャフト１１７１が上下動することにより、表装飾部材１１４９に対して外装部材１１５３がスライド移動（伸縮移動）自在に備えられる（図３７乃至図３９参照）。
【００８７】
第一のギア（スライド中継大ギア）１１７７は、前記モータギア１１６１よりも大径であって、外周面の周方向の一部にギア歯を有さない領域１１７９を備え、前記駆動手段１１６１のモータギア１１６１と噛み合って、駆動手段１１５９からの回動動作を受けて正逆方向に回転動作可能に構成されている。すなわち、第一のギア１１７７は、いわゆる欠歯ギアを採用し、前記モータギア１１６１は、第一のギア１１７７の周方向全域にわたってギア歯を有する領域１１８１に噛み合って配設されている（図３７、図３８、図４０及び図４１参照）。
第一のギア１１７７は、裏装飾部材１１５１の前面側に突設されている軸部材１１５２に回動可能に軸支されて配設されている。
【００８８】
第二のギア（スライド大ギア）１１８３は、前記第一のギア１１７７よりも小径であって、前記第一のギア１１７７の周方向全域にわたってギア歯を有する領域１１８１に噛み合って正逆方向に回転動作可能に配設されている。
例えば、本実施形態によると、後述する第三のギア（欠歯ギア）１１８５の周面一側に突出する環状の嵌合筒部１１８５ｂが、第二のギア１１８３の内面に摺動可能に嵌合して備えられ、第三のギア１１８５とともに前記表装飾部材１１４９の背面側に配設されている（図３７、図３８、図４０及び図４１参照）。
【００８９】
第三のギア（欠歯ギア）１１８５は、前記第一のギア１１７７よりも小径であって、かつ第二のギア１１８３と略同一径に形成されており、前記第一のギア１１７７のギア歯と噛み合うギア歯を有する領域１１８７と、前記第一のギア１１７７のギア歯を有さない領域１１７９と対応したギア歯を有さない領域１１８９とが、外周面の周方向に備えられているいわゆる欠歯ギアが採用されている。
【００９０】
ギア歯を有さない領域１１８９には、突部を備えており、前記突部の先端面１１９１が第一のギア１１７７のギア歯を有さない周面領域１１７９に接触するように構成されている（図３７、図３８、図４０及び図４１参照）。すなわち、本実施形態では、突部の先端面１１９１の高さがギア歯を有する領域１１８７のギア歯の先端の高さと同一の高さに設定されている。なお、ギア歯を有する領域１１８７のギア歯が、前記第一のギア１１７７のギア歯と噛み合い、回転動作を伝達可能であれば前記先端面１１９１の高さと異なっていても良く特に限定されない。
【００９１】
第三のギア１１８５は、周面一側に突出する環状の嵌合筒部１１８５ｂが、第二のギア１１８３の内面に摺動可能に取り付けるとともに、前記嵌合筒部１１８５ｂが設けられている側の一面に突設した複数個の突部１１８５ａを、表装飾部材１１４９の第一の部材１１４９ａに備えた凹部（図示省略）に嵌合させて第一の部材１１４９ａとともに回動作動（供回り）するものとしている。また、第三のギア１１８５の板中心には軸孔１１８５ｃが設けられており、この軸孔１１８５ｃには前記第一の部材１１４９ａに備えた軸部材１１５０が挿通されている（図３７、図３８参照）
【００９２】
なお、前記第二のギア１１８３は、第三のギア１１８５の嵌合筒部１１８５ｂに摺動可能に取り付けるだけであるため、第一の部材１１４９ａと供回りするものではない。
前記第二のギア１１８３と同様に前記表装飾部材１１４９の背面側に突設されている軸部材１１５０に回動可能に軸支されて配設されている。
【００９３】
変換機構１１９３は、前記第二のギア１１８３の正逆方向の回転動作を直進動作に変換して前記可動演出役物１１４３を進退動作させることが可能な構成を有しており、前記第二のギア１１８３と噛み合う最下端のギア１１９５ａから最上端のギア１１９５ｇまで順次噛み合って配設されている多数のギア群（スライド中継ギア群ともいい、本実施形態では、７個のギア１１９５ａ，１１９５ｂ，１１９５ｃ，１１９５ｄ，１１９５ｅ，１１９５ｆ，１１９５ｇで構成されている）と、ギア群の最上端のギア１１９５ｇと横並びで形成されて同期するピニオンギア１１９７と、該ピニオンギア１１９７が噛み合うラック部材（スライドラック）１２０１とで構成されている（図３７及び図３８参照）。
【００９４】
図面においてギア群（１１９５ａ，１１９５ｂ，１１９５ｃ，１１９５ｄ，１１９５ｅ，１１９５ｆ，１１９５ｇ）は、見やすいように浮いている状態で開示されているが、実際には前記表装飾部材１１４９の第一の部材１１４９ａの背面側に突設されている軸部材にそれぞれのギア（１１９５ａ，１１９５ｂ，１１９５ｃ，１１９５ｄ，１１９５ｅ，１１９５ｆ，１１９５ｇ）が回動可能に備えられている。
また、ラック部材１２０１は、前記外装部材１１５３の裏部材１１５７の背面に取付固定されている。なお、前記ピニオンギア１１９７は、図面では説明上最上端のギア１１９５ｇと並設して開示されているが、外装部材１１５３の裏部材１１５７に固定されているラック部材１２０１と噛み合う必要があることから、実際には前記第一の部材１１４９ａのスライド溝１１４９ｃを介して前面側に位置している。
【００９５】
ここで、第一の可動演出役物１１４３の動作について簡単に説明する。
第一の可動演出役物１１４３は、前記第二のギア１１８３のギア歯を有する領域１１８１と第三のギア１１８５のギア歯を有する領域１１８７が、第一のギア１１７７のギア歯を有する領域１１８１にそれぞれ噛み合って配設され、図３、図５乃至図７で示すように遊技機の正面側から見て遊技盤１の左裏側にて、鉛直方向に外装部材１１５３の刃物形状が位置するように配設されている。この状態が第一の可動演出役物１１４３における初期位置１１４５である。
【００９６】
そして、前記第一のギア１１７７のギア歯に、前記第三のギア１１８５のギア歯が噛み合って、前記駆動手段１１５９の正転方向の回動動作が前記第三のギア１１８５に伝達されることによって第一の可動演出役物１１４３（外装部材１１５３と表装飾部材１１４９）が、前記初期位置１１４５から遊技盤１の遊技領域の中央方向に向けて回動動作して、遊技者から視認容易に突出する（図６、図３６及び図３６Ａ参照）。このように遊技盤１の遊技領域に向けて回動させて突出した状態が第一の可動演出役物１１４３における出現位置１１４７である。
図３６Ａでは、第一の可動演出役物１１４３の可動状態を実線で示すとともに、伸びた状態（斜め上方に向けて前進した状態）を仮想線で示す。なお、第一の可動演出役物１１４３が回動して遊技領域方向に突出した状態（実線で示す状態）も、さらに伸びた状態（仮想線で示す状態）も、遊技者から見て視認容易な状態であるため、いずれも出現位置１１４７である。
【００９７】
第三のギア１１８５と同時に前記第一のギア１１７７のギア歯に噛み合って正転方向に回動する第二のギア１１８３は、前記駆動手段１１５９の正転方向の回動動作を前記変換機構１１９３へと伝達し、ラック部材１２０１に噛み合っているピニオンギア１１９７が、ラック部材１２０１と一体に構成されている外装部材１１５３を伸ばす方向に動作させる。そして、前記第一のギア１１７７のギア歯を有さない領域１１８１に前記第三のギア１１８５のギア歯を有さない領域１１８９が対向した際に、前記第三のギア１１８５はギア歯を有さない領域１１８９（突起先端面１１９１）が、前記第一のギア１１７７のギア歯を有さない領域１１８１上を接触しつつ移動するため、前記第一の可動演出役物１１４３（外装部材１１５３）を出現位置１１４７にて維持するとともに、前記第二のギア１１８３から伝達された回動動作が変換機構１１９３によって直進動作に変換されて前記第一の可動演出役物１１４３が伸ばす方向に動作する。
そして、一定時間出現位置に停止した後、駆動手段１１５９を逆回転させてモータギア１１６１、第二のギア１１８３、第三のギア１１８５、そして変換機構１１９３を構成するギア群１１９５ａ…、ピニオンギア１１９７及びラック部材１２０１に逆回転の動作を伝達して第一の可動演出役物１１４３を縮める方向に動作させるとともに、初期位置１１４５へと戻すように回動動作させる。
【００９８】
また、本実施形態では、裏カバー部材１１９９の背面側に一体に突設した係止突起１２０３を、裏装飾部材１１５１に設けられた湾曲状のスライド長溝１２０５を介して裏装飾部材１１５１の背面側に突設させるとともに、その突設された係止突起１２０３に、一端を裏装飾部材の背面側に係止させて備えた所定のバネ部材１２０７の他端を係止させて、常に外装部材１１５３と表装飾部材１１４９が初期位置に戻るように付勢される構成を採用している（図３９参照）。
なお、第一の可動演出役物１１４３は、駆動手段１１５９と伝達機構１１６３とによって初期位置１１４５と出現位置１１４７との間を回動作動させるものであって、バネ部材１２０７は、あくまでも出現位置１１４７から初期位置１１４５へと戻す回動動作を補助するために機能する程度のバネ力を有するものとしている。
【００９９】
さらに本実施形態では、前記裏装飾部材１１５１の前面側にフォトセンサ１２０９を備えており、前記裏カバー部材１１９９の背面側に突設した突片（図示省略）を検出して第一の可動演出役物１１４３の初期位置１１４５と出現位置１１４７を認識可能に構成している。例えば、フォトセンサ１２０９によって突片（図示省略）を検出しているときは初期位置１１４５にあることを認識し、回動動作をしてフォトセンサ１２０９から突片（図示省略）が外れて検出されなくなったときには出現位置１１４７にあることを認識し、この出現位置１１４７にあることを認識してから所定時間経過後に駆動手段１１５９を逆回転させるべく信号をサブ制御基板に送るようにする。
【０１００】
ここで、本実施形態における第一の可動演出役物１１４３の発光演出表示形態について説明する。
本実施形態における第一の可動演出役物１１４３は、第一の可動演出役物１１４３が可動を開始する以前に、前記導光板１０３１の所定位置に配設した一部のＬＥＤ１０３８を発光させて所定の発光表示（特定画像を発光表示）をすることにより、第一の可動演出役物１１４３が所定の位置まで可動する可能性があることを報知することとしている。これにより、可動（出現）するかもしれないといった期待感を遊技者に対して与えることができる。
例えば、前記段落００４５にて説明したとおり、遊技において所定条件が整い、第一の可動演出役物１１４３を可動させることとなったときに、第一の可動演出役物１１４３の可動が開始する以前に、上側左基板１０３７ａの一部のＬＥＤ１０３８を発光（点滅・点灯）させる。これにより、第一の可動演出役物１１４３が配設されている位置（図１６の左側の斜線で示す領域）に対応する導光板１０３１の左側領域に設けた反射部によって、第一の可動演出役物１１４３と同一形状の刃物画像１１４３ａが、前記導光板１０３１の左側領域に発光（点滅・点灯）演出表示される（図１７参照）ため、第一の可動演出役物１１４３が所定の位置まで可動する可能性があることを報知することとしている。これにより、可動（出現）するかもしれないといった期待感を遊技者に対して与えることができる。
なお、上側左基板１０３７ａの一部のＬＥＤ１０３８の発光（点滅・点灯）時に第一の可動演出役物１１４３を小刻みに左右方向に役物移動させる態様を採用することも可能である。
本実施形態では、導光板１０３１の発光表示後において、第一の可動演出役物１１４３が所定の位置まで移動したり、所定の位置まで移動しなかったりするが、必ず所定の位置まで移動するようにしたり必ず移動しないようにしたりすることも可能である。
【０１０１】
また、第一の可動演出役物１１４３が前記第一位置（初期位置）１１４５から前記第二位置（出現位置）１１４７まで可動することに関連させて（連動させて）、前記導光板１０３１の所定位置に配設したＬＥＤ１０３８を発光させて、第一の反射部を介して導光板１０３１に所定の画像（第三画像又は一の画像ともいう）を発光表示することも可能である。例えば、第一の可動演出役物１１４３が第二位置（出現位置）１１４７に可動したときに、導光板１０３１の所定のＬＥＤ基板１０３７（例えば、上側中基板１０３７ｂ）のＬＥＤ１０３８を発光させて、導光板１０３１の所定領域に設けた所定の反射部（第一の反射部）によって、あたかも第一の可動演出部材１１４３から光が発射されたような発光演出（第三画像又は一の画像）を施すことも可能である（図３６参照）。第一の可動演出部材１１４３から発射される光を発光演出するには、セルシート１０５１に設けた第一画像と、導光板１０３１に設けた第二画像の組み合わせによって発光演出することも可能である。
第一の可動演出役物１１４３が可動を開始する前に報知する発光表示画像や、可動したことに基づいて表示される発光表示画像は特に限定されず本発明の範囲内で設計変更可能である。
【０１０２】
＜第二の可動演出役物＞
図４２乃至図４８に第二の可動演出役物１２１３の一例を示す。
第二の可動演出役物１２１３は、一方向（視認困難な初期位置、以下、この位置を第一位置とも言う）１２１７から他方向（視認容易な出現位置、以下、この位置を第二位置とも言う）１２１９に向けて可動可能に構成されており（図６、図７、図４７及び図４８参照）、次の構成からなる。
【０１０３】
第二の可動演出役物１２１３は、第一の可動演出役物１１４３とは異なって、第二の可動演出役物１２１３を回動動作させる第一の駆動手段（第一のモータ）１２４５と、第二の可動演出役物１２１３を伸縮動作させる第二の駆動手段（第二のモータ）１２１５を別個に備えている（図４３乃至図４６参照）。
【０１０４】
第二の可動演出役物１２１３は、第一位置（視認困難な初期位置）１２１７から第二位置（視認容易な出現位置）１２１９へと可動（回動及び伸縮可動）可能であって、外装部材１２２７と、外装部材１２２７を可動（回動動作）させるための第一の駆動手段（第一のモータ）１２４５と、第一の駆動手段１２４５からの動作を伝達して、外装部材１２２７を可動（回動動作）させる第一の伝達機構１２４９と、外装部材１２２７を可動（伸縮動作）させるための第二の駆動手段（第二のモータ）１２１５と、第二の駆動手段１２１５からの動作を伝達して外装部材を可動（伸縮動作）させる第二の伝達機構１２７９と、前記第二の伝達機構１２７９とともに外装部材１２２７を可動（伸縮動作）させるスライドシャフト部材１２３７と、外装部材１２２７の背面側に配される表装飾部材（ハンドル意匠）１２２３と裏装飾部材（ベース）１２２５を備えて構成されている（図４５参照）。裏装飾部材１２２５は裏箱１０５５の所定位置に取り付け固定されるが、表装飾部材１２２３は、裏装飾部材１２２５に対して回動可能に取り付けられている（図７参照）。
【０１０５】
本実施形態では、第二の可動演出役物１２１３は、裏箱１０５５の内面上側（図６及び図７において向かって上側）にて、初期位置１２１７で水平状態に配設されており、その位置から遊技領域方向に反時計回りに回動して出現位置１２１９へと移るように構成されている（図６及び図４７参照）。
また、本実施形態では、この第二の可動演出役物１２１３は、後述する第三の可動演出役物（他の可動演出役物）１３２１の背面側に備えられており、第三の可動演出役物１３２１が可動した後に、前記第二の可動演出役物１２１３が一方向から他方向に向けて可動することが可能に構成されている（図６及び図４７参照）。
本実施形態では、第三の可動演出役物１３２１が可動した後に、前記第二の可動演出役物１２１３が一方向から他方向に向けて可動する構成を持って説明するが、本発明は、第三の可動演出役物１３２１の可動に関連させて、前記第二の可動演出役物１２１３が可動する構成を有するものであればよく、第二の可動演出役物１２１３の可動のタイミングは、第三の可動演出役物１３２１の可動に関連して可動するものであれば全て本発明の範囲内であり、適宜設計変更可能である。
また、第二の可動演出役物１２１３は、本実施形態では、導光板１０３１の背面側に配設されているが、導光板１０３１の前面側に配設されるものであってもよい。
【０１０６】
外装部材１２２７は、例えば本実施形態では、第一の可動演出役物１１４３の外装部材１１５３よりも大型の刃物の正面形態を有しているものとしており、非透過性材にて形成された表部材１２２９と、表部材１２２９の背面側に配され、透過性材にて形成されたレンズ部材１２３１と、レンズ部材１２３１の背面側に配されたＬＥＤ基板１２３３と、ＬＥＤ基板１２３３の背面側に配され、非透過性材にて形成された裏部材１２３５で構成されている（図４５参照）。
本実施形態によればこのように構成されているため、例えば、前記ＬＥＤ基板１２３３からの所定の発光により、レンズ部材１２１３を介して外装部材１２２７に所定の発光演出がなされる。
なお、本実施形態では、前記裏部材１２３５を、裏下方部材１２３５ａと、裏上方部材１２３５ｂの二部材で構成されているものとしている。
【０１０７】
そして、前記裏上方部材１２３５ｂには、後述するスライドシャフト部材１２３７の端部１２３９が一体に取り付けられるとともに、裏下方部材１２３５ａには、後述する第二の伝達機構１２７９のピニオンギア１２９７が噛み合うラック部１２９９が一体に形成されている（図４３乃至図４６参照）。
【０１０８】
第一の駆動手段（第一のモータ）１２４５は、裏装飾部材１２２５の前面側の下方領域に固定して配設されており、回転軸を裏装飾部材１２２５の前面側に向けて突出させるとともに、その先端に第一のモータギア１２４７を取り付けている。第一のモータギア１２４７は、第一の駆動手段（第一のモータ）１２４５の正逆回転動作に応じて正逆回転可能に構成されている（図４３乃至図４６参照）。
【０１０９】
第一の伝達機構１２４９は、第一のギア１２５１と第二のギア１２５３を含んで構成されている（図４３乃至図４６参照）。
【０１１０】
第一のギア（回転中継ギア）１２５１は、前記第一のモータギア１２４７と略同径であって、裏装飾部材１２２５の前面側に取付固定される部材１２５２の背面側に回動可能に軸支されている。そして、前記第一のモータギア１２４７と噛み合って、第一の駆動手段１２４５からの回動動作を受けて正逆方向に回転動作可能に構成されている。
【０１１１】
第二のギア（駆動アームギア）１２５３は、一端側にギア歯１２５５を備え、該ギア歯１２５５から一体に設けられた細長板部１２５７の他端側１２５９に備えた突部（図示省略）を、後述するモータベース部材１２６１の背面に設けたスリット１２６３内に摺動可能に連結している。
【０１１２】
本実施形態は、第二のギア１２５３の他端側１２５９が、前記スリット１２６３の最下端１２６５に位置しており、この状態で外装部材１２２７（第一の可動演出役物１１４３）の初期位置１２１７となっている。そして、この状態から第二のギア１２５３が回転動作をすると、細長板部１２５７（他端側１２５９）がスリット１２６３の最下端１２６５から上端１２６７方向へと摺動移動する。
【０１１３】
これにより、前記他端側１２５９で押さえていた力が解放されるため、モータベース部材１２６１を含め、モータベース部材１２６１と一体に構成されている第二の駆動手段１２１５（図４３参照）、第二の伝達機構１２７９及び外装部材１２２７、表装飾部材１２２３がともに自重によって外装部材１２２７の先端側を下方に向けるようにして回転動作する。すなわち、モータベース部材１２６１を含め、モータベース部材１２６１と一体に構成されている第二の駆動手段１２１５、第二の伝達機構１２７９及び外装部材１２２７、表装飾部材１２２３は、常に自重で落下（回転動作）するように構成されており、前記第二のギア１２５３の他端側１２５９による押さえと、図示しない補助スプリングの引き上げ力によって初期位置１２１７を維持する構成を採用している。補助スプリングは、前記第二のギア１２５３の押さえが解除されたときの自重による回転動作を阻害しない程度のバネ力としている。
【０１１４】
第二の駆動手段（第二のモータ）１２１５は、後述する第二の伝達機構１２７９を備える裏カバー部材１２７３と一体に取り付けたモータベース部材１２６１に収容され、回転軸を表装飾部材１２２３の背面側に向けて突出させるとともに、その先端に第二のモータギア１２７７を取り付けている（図４３乃至図４６参照）。
第二のモータギア１２７７は、第二の駆動手段（第二のモータ）１２１５の正逆回転動作に応じて正逆回転可能に構成されている。
【０１１５】
第二の伝達機構１２７９は、第三のギア１２８１と、第四のギア１２８３と、第五のギア１２８５と、変換機構（第二の変換機構）１２８７と、スライドシャフト部材１２３７を含んで構成されている。スライドシャフト部材１２３７は、軸受部分１２９１を表装飾部材１２２３に取り付け固定するとともに、スライドシャフト部材１２３７の前後の端部１２３９，１２３９をそれぞれ外装部材１２２７を構成する裏部材１２３５の裏上方部材１２３５ｂに取付固定することによって、表装飾部材１２２３に対して外装部材１２２７がスライド移動（伸縮移動）自在に備えられる。
なお、図中符合１２８０で示す部材は、外装部材１２２７がスライド移動する際の押さえ（ガイド）となる部材であって、上面がギアベース１２７３の下面と摺接する位置に裏部材１２３５の裏下方部材１２３５ａに一体に配設されている（図４３及び図４４参照。
）。
【０１１６】
第三のギア（スライド中継小ギア）１２８１は、前記第二のモータギア１２７７よりも小径であって、前記第二駆動手段１２１５のモータギア１２７７と噛み合って、第二の駆動手段１２１５からの回動動作を受けて正逆方向に回転動作可能に構成されている。
【０１１７】
第四のギア（スライド中継小ギア）１２８３は、前記第三のギア１２８１と同一径でかつ前記第三のギア１２８１と軸を介して一体に形成されて同期するギアであって、前記第二の駆動手段１２１５の回動動作を受けて正逆回転可能に構成されている。
【０１１８】
第五のギア（スライド大ギア）１２８５は、前記第一のギア１２５１乃至第四のギア１２８３よりも大径であって、前記第四のギア１２８３と噛み合って、前記第二の駆動手段１２１５の回動動作を受けて正逆回転可能に構成されている。
【０１１９】
第二の変換機構１２８７は、前記第五のギア１２８５の正逆方向の回転動作を直進動作に変換して前記第二の可動演出役物１２１３を進退動作させることが可能な構成を有しており、前記第五のギア１２８５と噛み合う直近のギアから先端のギアまで順次噛み合って配設されている多数のギア群（スライド中継ギア群ともいい、本実施形態では、７個のギア１２９５ａ，１２９５ｂ，１２９５ｃ，１２９５ｄ，１２９５ｅ，１２９５ｆ，１２９５ｇで構成されている）と、ギア群の先端のギア１２９５ｇと横並びで一体に形成されて同期するピニオンギア１２９７と、該ピニオンギア１２９７が噛み合うラック部（スライドラック）１２９９とで構成されている。
ギア群は、前記表装飾部材１２２３の背面側に、それぞれのギア１２９５ａ，１２９５ｂ，１２９５ｃ，１２９５ｄ，１２９５ｅ，１２９５ｆ，１２９５ｇが回動可能に備えられている。
また、ラック部１２９９は、上述したとおり、前記外装部材１２２７の裏部材１２３５に直接形成されている。
【０１２０】
ここで、第二の可動演出役物１２１３の動作について簡単に説明する。
まず、第二の可動演出役物１２１３は、初期位置１２１７において裏箱１０５５内面の上方に配されている（図６及び図７参照）。
このとき、第二のギア１２５３の他端側１２５９が、前記スリット１２６３の最下端１２６５に位置しており、この状態で外装部材１２２７（第一の可動演出役物１１４３）の初期位置１２１７となっている（図４２、図４３、図４５及び図４６参照）。
【０１２１】
そして、第一の駆動手段（第一のモータ）１２４５が回動動作を開始すると、そのモータギア１２４７の回動動作が第一のギア１２５１を介して第二のギア１２５３に伝達され、第二のギア１２５３が回動動作をすると、細長板部１２５７（他端側１２５９）がスリット１２６３の最下端１２６５から上端１２６７方向へと摺動移動する。これにより、前記他端側１２５９で押さえていた力が解放されるため、モータベース部材１２６１を含め、モータベース部材１２６１と一体に構成されている第二の駆動手段１２１５、第二の伝達機構１２７９及び外装部材１２２７（表部材１２２９、レンズ部材１２３１、ＬＥＤ基板１２３３、裏部材１２３５）、表装飾部材１２２３がともに自重によって外装部材１２２７の先端側を下方に向けるようにして回転動作する（図４５及び図４６を正面側から見て左下方、図４４にて矢印Ｈ３で示す方向に向けて回動動作する）。
これによって、第二の可動演出役物１２１３は、初期位置１２１７から出現位置１２１９へと回動動作して、遊技者から視認容易に突出する。
【０１２２】
第一の駆動手段（第一のモータ）１２４５の回動動作の後に、第二の駆動手段（第二のモータ）１２１５が回動動作を開始する。なお、第一の駆動手段（第一のモータ）１２４５の回動動作と同時に、第二の駆動手段（第二のモータ）１２１５が回動動作を開始する構成とすることも可能であって本発明の範囲内である。
そして、モータギア１２７７の回動動作が第三のギア１２８１、第四のギア１２８３を介して第五ギア１２８５に伝達され、第五のギア１２８５を介して前記第二の駆動手段１２１５の正転方向の回動動作を前記第二の変換機構１２８７（ギア１２９５ａ，１２９５ｂ，１２９５ｃ，１２９５ｄ，１２９５ｅ，１２９５ｆ，１２９５ｇで構成されている）へと伝達し、それぞれのギア１２９５ａ乃至１２９５ｇが所定の方向に交互に回転動作することによって、外装部材１２２７側に固定されているラック部１２９９に噛み合っているピニオンギア１２９７に、所定方向（本実施形態では、図４５及び図４６を正面側から見て時計回り方向）の回転動作を与え、ラック部１２９９と一体に構成されている外装部材１２２７を伸ばす方向（図４５及び図４６を正面側から見て左下方、図４４にて矢印Ｈ１で示す方向）に向けて落下動作させる（図４４、図４７及び図４８参照）。
【０１２３】
そして、一定時間出現位置に停止した後、第二の駆動手段１２１５を逆回転させて、第二のモータギア１２７７、第三のギア１２８１、第四のギア１２８３、第五のギア１２８５、第二の変換機構１２８７を構成するギア群１２９５ａ乃至１２９５ｇ、ピニオンギア１２９７及びラック部１２９９に逆回転の動作を伝達して、第二の可動演出役物１２１３を縮める方向（図４５及び図４６を正面側から見て左下方、図４４にて矢印Ｈ２で示す方向）に動作させるとともに、第一の駆動手段１２４５を逆回転させて、第一のモータギア１２４７、第一のギア１２５１、第二のギア１２５３に逆回転の動作を伝達して、第二の可動演出役物１２１３を初期位置１２１７へと戻すように回動動作させる（図４４にて矢印Ｈ４で示す方向に向けて回動動作させる）。
【０１２４】
また、本実施形態では、表装飾部材１２２３の背面側に一体に突設した係止突起１３０３を、裏装飾部材１２２５に設けられた湾曲状のスライド長溝１３０５を介して裏装飾部材１２２５の背面側に突設させるとともに、その突設された係止突起１３０３に、止め輪１３０７を取り付けて前記スライド長溝１３０５に沿ってスライド移動可能に構成している（図７及び図４５参照）。
【０１２５】
さらに本実施形態では、前記裏装飾部材１２２５の前面側にフォトセンサ１３０９を備えており、前記裏カバー部材１２７３の背面側に突設した突片１３１１を検出して第二の可動演出役物１２１３の初期位置１２１７と出現位置１２１９を認識可能に構成している。例えば、フォトセンサ１３０９によって突片１３１１を検出しているときは初期位置１２１７にあることを認識し、回動動作をしてフォトセンサ１３０９から突片１３１１が外れて検出されなくなったときには出現位置１２１９にあることを認識し、この出現位置１２１９にあることを認識してから所定時間経過後に駆動手段を逆回転させるべく信号をサブ制御基板に送るようにする。
【０１２６】
また本実施形態では、裏箱１０５５の内面下方領域で、前記第二の可動演出役物１２１３が第一位置（一方向）１２１７から可動した第二位置（他方向）１２１９に対応する箇所に、前記第二の可動演出役物１２１３の先端、すなわち、刃物形状の外装部材１２２７の先端が、あたかも突き刺さったような演出を行うために、第二の可動演出役物収納部１３１３を配設し、第二位置１２１９に可動した第二の可動演出役物１２１３の外装部材１２２７の先端を収納可能に構成している（図４８参照）。
例えば、図面に向かって裏箱１０５５の内面の左下の領域に配設されており、第二の可動演出役物収納部１３１３は、所定の外観形状に形成された前方側壁部材１３１５と後方側壁部材１３１７の間に収納空間１３１９を形成して構成されている（図４８参照）。
【０１２７】
ここで、本実施形態における第二の可動演出役物１２１３の発光演出表示形態について説明する。
本実施形態では、第二の可動演出役物１２１３が前記第一位置（一方向  初期位置）１２１７から前記第二位置（他方向  出現位置）１２１９まで可動することに関連させて（連動させて）、前記導光板１０３１の所定位置に配設した発光手段（ＬＥＤ）を発光させて、前記他方向に対応する導光板１０３１位置から前記一方向に対応する導光板１０３１位置に向けて第二の反射部を介して所定の画像（第四画像、他の画像）を発光表示するものとしている。すなわち、第二の可動演出役物１２１３が、第一位置（一方向  初期位置）１２１７から第二位置（他方向  出現位置）１２１９に向けて可動したときに、その第二位置（他方向  出現位置）１２１９に対応する導光板１０３１位置から第一位置（一方向）１２１７に対応する導光板１０３１位置に向けて、所定の画像が点灯表示あるいは点滅表示されるように構成する。
【０１２８】
例えば、前記段落００４９で説明した通り、左側下基板１０３７ｆの下のＬＥＤ１０３８から上のＬＥＤ１０３８へと発光（点滅・点灯）させ（図２４（ａ））、続いて左側中基板１０３７ｅの下のＬＥＤ１０３８から上のＬＥＤ１０３８へと発光（点滅・点灯）させ（図２４（ｂ））、続いて、左側上基板１０３７ｄの下のＬＥＤ１０３８から上のＬＥＤ１０３８へと発光（点滅・点灯）させる（図２４（ｃ））ことで、導光板１０３１の全領域に、遊技盤の下方領域から上方領域に向かって稲光のような画像（第四画像、他の画像）が発光表示されるようにしている（図２３及び図２４参照）。
そして、第二の可動演出役物１２１３が第二位置（他方向  出現位置）１２１９に移動する際に、第二の可動演出役物１２１３に備えられているＬＥＤ基板１２３３のＬＥＤが発光するように構成する。ＬＥＤ基板１２３３のＬＥＤが発光すると、その前方に配されているレンズ部材１２３１に光が入射され、外装部材１２７７の周縁を発光表示演出させる。
【０１２９】
これにより、第二の可動演出役物１２１３の発光演出及び第二の可動演出役物１２１３の一定の方向への大きなアクションによる演出と、その大きなアクションの方向とは反対の方向への発光表示演出によって、何か遊技にとって有利な展開への発展があるかとの期待感を遊技者に抱かせることが可能である。
【０１３０】
特に図示はしないが、本実施形態においても、第二の可動演出役物１２１３が可動を開始する以前に、前記導光板１０３１の所定位置に配設したＬＥＤ１０３８を発光させて所定の発光表示（特定画像を発光表示）をすることにより、第二の可動演出役物１２１３の可動を遊技者に対して報知するものとしてもよい。
第二の可動演出役物１２１３が可動を開始する前に報知する発光表示画像や、可動したことに基づいて表示される発光表示画像は特に限定されず本発明の範囲内で設計変更可能である。
【０１３１】
＜第三の可動演出役物＞
第三の可動演出役物１３２１は、分離及び結合可能な複数個の可動演出役物（第一の組合せ可動演出役物１３２３と第二の組合せ可動演出役物１３３５）と、前記複数個の可動演出役物のうちの一つの可動演出役物（第二の組合せ可動演出役物１３３５）を可動させるための駆動手段１３９０と、前記複数個の可動演出役物のうちの何れかの可動演出役物（第一の組合せ可動演出役物１３２３）に設けられた第一係止部材１３９１と、前記第一係止部材１３９１を設けた可動演出役物以外の他の可動演出役物（第二の組合せ可動演出役物１３３５）に設けられ、前記第一係止部材１３９１と係止可能な第二係止部材１３９３と、を含み、前記駆動手段１３９０によって前記第二係止部材１３９３を設けた可動演出役物（第二の組合せ可動演出役物１３３５）を初期位置１３２４から出現位置１３２６まで可動することにより、前記第一係止部材１３９１と前記第二係止部材１３９３との係止状態が解除されて第一係止部材を備えた可動演出役物（第一の組合せ可動演出役物１３２３）が前記初期位置１３２４から前記出現位置１３２６まで可動することを特徴としている。
【０１３２】
図４９乃至図５６に第三の可動演出役物１３２１の一例を示す。
本実施形態における第三の可動演出役物（他の可動演出役物）１３２１は、分離及び結合可能な第一の組合せ可動演出役物１３２３と、第二の組合せ可動演出役物１３３５で構成されており、前記第二の可動演出役物１２１３の前方に設けられている。そして、本実施形態では、第三の可動演出役物（他の可動演出役物）１３２１を構成する第一の組合せ可動演出役物１３２３と、第二の組合せ可動演出役物１３３５が分離し、初期位置１３２４から出現位置１３２６まで可動した後に、前記第二の可動演出役物１２１３が初期位置１３２４から出現位置１３２６へと可動するものとしている。
【０１３３】
本実施形態では、第一の組合せ可動演出役物１３２３と第二の組合せ可動演出役物１３３５を構成している後述する第二の可動部材１３３７が、導光板１０３１の前面側に位置するように配設されている。
【０１３４】
第一の組合せ可動演出役物１３２３は、図面に向かって第一のベース部材１３７０の左上端に突設した取付孔部１３７０ａに対して、導光板１０３１の前面側に突設したボス１０３２を挿通するとともにビス止め固定する。そして、第一ベース部材１３７０に設けられている取付孔部１３６４に導光板１０３１の前面側に突設したボス１０３４を挿通するとともにビス止め固定する。
【０１３５】
そして、同じく、第一ベース部材１３７０に設けられている取付孔部１３６６に導光板１０３１の前面側に突設したボス１０３６を挿通するとともにビス止め固定する。このように本実施形態では、第一ベース部材１３７０の３箇所をビス止めすることにより、導光板１０３１の前面側に一体に配設している。
そして、第一のベース部材１３７０の前面の左上端寄りで前方に向けて突設した軸部材１３６２を、第一の裏側支持板１３３３の左上端に設けられた孔部１３３３ａに回動可能に軸着する。
【０１３６】
第二の組合せ可動演出役物１３３５を構成している後述する第二の支持部材１３４９（第二の前側機構ベース１３５１、駆動機構部１３５３、第二の後側機構ベース１３５５を含む）は、所定箇所をビス止めして裏箱１０５５に取り付けられるとともに、導光板１０３１の上方（例えば図１２において向かって右上方）領域に設けられている所定範囲の切り欠きを介して導光板１０３１に隣接して前方に臨むように配設されている。
また、前記第二の支持部材１３４９の一部は、導光板１０３１の前面側に突設したボス１０３０を介して取り付け固定されている。例えば本実施形態では、駆動機構部１３５３の側面側に備えた孔部１３５３ａに前記ボス１０３０をビス止め固定することで導光板１０３１の前面に取り付けられている（図１２及び図４９参照）。
【０１３７】
第一の組合せ可動演出役物１３２３と第二の組合せ可動演出役物１３３５は、可動部材としてそれぞれ次の構成を有している。
【０１３８】
第一の組合せ可動演出役物１３２３は、所定形状を有する第一の外装部材１３２７と、第一の外装部材１３２７の背面側に配設され、所定の貫通孔１３２９ａを備えた第一の反射板（リフレクタ）１３２９と、第一の反射板（リフレクタ）１３２９の背面側に配設され、所定のＬＥＤ１３３１ａを備えてなる第一のＬＥＤ基板１３３１と、第一のＬＥＤ基板１３３１の背面側に配設される第一の裏側支持板１３３３とで一体に構成されている第一の可動部材１３２５を有している（図４９参照）。
【０１３９】
前記第一の裏側支持板１３３３には、前面側と背面側にわたって貫通した湾曲状の長溝１３３３ｂが形成されており、前記長溝１３３３ｂには、第一ベース部材１３７０の前面側に突設したボス１３７０ｂが相通されるとともに、回動可能に軸着されている。
すなわち、第一の組合せ可動演出役物１３２３は、第一のベース部材１３７０の前面の左上端寄りで前方に向けて突設した軸部材１３６２を、第一の裏側支持板１３３３の左上端に設けられた孔部１３３３ａに回動可能に軸着しているため、その軸部材１３６２を軸として回動可能に構成されるとともに、前記ボス１３７０ｂが長溝１３３３ｂに沿ってガイドされる（図４９、図５５及び図５６参照）。
【０１４０】
第二の組合せ可動演出役物１３３５は、所定形状を有する第二の外装部材１３３９と、第二の外装部材１３３９の背面側に配設され、所定の貫通孔１３４１ａを備えた第二の反射板（リフレクタ）１３４１と、第二の反射板（リフレクタ）１３４１の背面側に配設され、所定のＬＥＤ１３４３ａを備えてなる第二のＬＥＤ基板１３４３と、第二のＬＥＤ基板１３４３の背面側に配設される第二の裏側支持板１３４５とで一体に構成されている第二の可動部材１３３７を有している（図４９参照）。
【０１４１】
前記第一の外装部材１３２７と第二の外装部材１３３９は、それぞれ第一のＬＥＤ基板１３３１のＬＥＤ１３３１ａと、第二のＬＥＤ基板１３４３のＬＥＤ１３４３ａから照射される光によって所定領域が発光演出表示されるように構成されている。
本実施形態では、第一の外装部材１３２７と第二の外装部材１３３９におけるそれぞれの表面の縁部近傍領域１３２８と１３４０のみが透過性を有するように構成することで、それぞれの縁部近傍領域１３２８と１３４０のみが光るように構成されている（図４９乃至図５１参照）。なお、本実施形態では、第一の外装部材１３２７と第二の外装部材１３３９全体は透過性部材で形成し、表面の所定領域、すなわち、縁部近傍領域１３２８と１３４０のみを残して非透過性となるように表面処理（例えば非透過性のま着色剤で表面を装飾処理）をしている。よって、第一の外装部材１３２７と第二の外装部材１３３９の背面側は、第一の外装部材１３２７と第二の外装部材１３３９を除いてレンズ効果を発揮し、さらに、拡散・反射効果を高めるために所定のレンズカット処理（レンズカット処理部１３２７ａ，１３３９ａ）を施している（図５１参照）。
【０１４２】
例えば、第一のＬＥＤ基板１３３１のＬＥＤ１３３１ａからの光は、その前面に配設される第一の反射板（リフレクタ）１３２９の所定の貫通孔１３２９ａを通過して透過性を有する前記縁部近傍領域１３２８から外方に照射される（図５１参照）。また、貫通孔１３２９ａを通過した光は、第一の外装部材１３２７の背面側に形成されたレンズカット処理部１３２７ａによって拡散・反射された後に縁部近傍領域１３２８から外方に照射される（図５１参照）。
なお、第二の組合せ可動演出役物１３３５にあっても同じ構成を有しているため説明は省略する。
【０１４３】
第一の外装部材１３２７と第二の外装部材１３３９の発光演出表示領域は特に限定解釈されるものではなく、本発明の範囲内で設計変更可能である。また、発光態様は点灯・点滅のいずれであってもよいし、全てのＬＥＤを同時に発光させてもよいし、所定のＬＥＤのみを点灯させたり、点滅させたりすることも可能であり、またこれらを適宜組み合わせた発光態様とすることも可能である。
【０１４４】
そして、前記第二の可動部材１３３７は、第二の支持部材１３４９によって駆動可能に支持されているが、前記第一の可動部材１３２５は、前記第二の可動部材１３３７の駆動動作に応じて回動動作するように単に第一の支持部材１３４７と第一のベース部材１３７０によって回動可能に支持されているだけである（図４９、図５５及び図５６参照）。
【０１４５】
第二の支持部材１３４９は、前記第二の裏側支持板１３４５の背面側に配設される第二の前側機構ベース１３５１と、第二の前側機構ベース１３５１の背面側に配設される駆動機構部１３５３と、駆動機構部１３５３の背面側に配設される第二の後側機構ベース１３５５とで一体に構成されている。
【０１４６】
駆動機構部１３５３は、第二の前側機構ベース１３５１と、第二の後側機構ベース１３５５によって挟持された内部空間に所定の駆動機構を収容してなるものであり、第二の前側機構ベース１３５１の背面で、鉛直方向に摺動可能に駆動機構ベース１３５７を備え、駆動機構ベース１３５７に摺動筒部１３７１ａを固着し、その摺動筒部１３７１ａ内を摺動するスライド軸１３７１の両端１３７１ｂ，１３７１ｂを第二の前側機構ベース１３５１の背面（内面）に固着してなる。
【０１４７】
そして、第二の後側機構ベース１３５５の背面（外面）に駆動手段１３９０が固着されて備えられ、駆動手段１３９０の回転軸が第二の機構ベース１３５５の孔部１３６０を介して背面側から挿通されるとともに、第二の機構ベース１３５５の前面側にて前記回転軸に取り付けられる第三のモータギア１３８９と、第二の後側機構ベース１３５５の前面（内面）に突設した軸部材１３５８に回動可能に取り付けられ、前記第三のモータギア１３８９と噛み合うアイドルギア１３５９と、同じく第二の後側機構ベース１３５５の前面（内面）に突設した軸部材１３５６に回動可能に取り付けられ、前記アイドルギア１３５９と噛み合うリンクギア１３６１と、リンクギア１３６１の回動動作によって時計回り方向と反時計回り方向に回動動作するリンクアーム１３６５と、駆動機構ベース１３５７の上端に一端１３８５を係止し、他端１３８７側は前記リンクアーム１３６５の他端側の貫通スライド溝１３７５に突出して臨む第二の可動部材１３３７の突出軸１３７７を係止している係止部材１３７９に係止して備えられる引張りスプリング１３８３とで構成されている（図４９、図５５及び図５６参照）。また、前記第二の前側機構ベース１３５１と第二の後側機構ベース１３５５の間で摺動する駆動機構ベース１３５７の下端には、前記第二の可動部材１３３７の突出軸１３７７と並設されている第二突出軸１３７８が挿通されて回動可能に軸着される連結孔部１３８０が形成されている。なお、第二突出軸１３７８は、第二の前側機構ベース１３５１の前面側と背面側にわたって貫通して設けられているスライド溝１３５０を挿通して前記連結孔部１３８０に取り付けられている。
【０１４８】
リンクギア１３６１は、前面側の所定位置に単一の突起１３６３を設けて回動可能に取り付けられている。
【０１４９】
リンクアーム１３６５は、長尺板状に形成されるとともに、一端１３６７側は第二の後側機構ベース１３５５に軸支される軸支部１３６９を設け、他端１３６８側から一端１３６７側方向に向けて所定長さの貫通スライド溝１３７５を設け、貫通スライド溝１３７５寄りから一端１３６７側に向けて非貫通スライド溝１３８１が設けられている。
リンクアーム１３６５の貫通スライド溝１３７５には、第二の可動部材１３３７の背面側に突出した突出軸１３７７が、第二の前側機構ベース１３５１のスライド溝１３５２を通過して背面側に突出し、係止部材１３７９を介して貫通スライド溝１３７５内をスライド可能に配設されている。そして、前記係止部材１３７９には、上述したとおり、引張りスプリング１３８３の他端１３８７側が係止されている。前記リンクギア１３６１の突起１３６３は、リンクアーム１３６５の非貫通スライド溝１３８１に嵌ってスライド移動する。
図中符合１３７６は、突出軸１３７７を備えている部分の構成の前面側のカバーである。
【０１５０】
前記第二の組合せ可動演出役物１３３５を構成している第二の可動部材１３３７の背面側には、第一の可動部材１３２５に向けて突出した第二係止部材（第二突出部）１３９３が設けられている（図５２乃至図５６参照）。
前記第一の組合せ可動演出役物１３２３を構成している第一の可動部材１３２５の背面側には、第二の可動部材１３３７に向けて突出し、第二係止部材（第二突出部）１３９３と係止可能な第一係止部材（第一突出部）１３９１が設けられている（図５２乃至図５６参照）。
【０１５１】
第一係止部材（第一突出部）１３９１は、棒状に突出しており、第二係止部材（第二突出部）１３９３には、前記棒状に突出した第一係止部材（第一突出部）１３９１を収容する凹部１３９５を有している（図５２乃至図５４参照）。
また、本実施形態では、前記第二係止部材（第二突出部）１３９３の凹部１３９５の前後方向の幅が、前記第一係止部材（第一突出部）１３９１の突出方向（矢印Ｂ１で示す方向）に向かうにつれて狭くなっている構成を採用している。すなわち、凹部１３９５の前後方向の幅は、前記第一係止部材１３９１と対向する側の凹部端部から第一係止部材１３９１と反対向する側の凹部端部に向かうにつれて狭くなっている（言い換えると、第二係止部材１３９３の先端側から奥側に行くにしたがって、前後方向の幅が狭くなるように構成されているともいう）。図５３にて、符合Ｗ１で示す部分が前記第一係止部材１３９１と対向する側の凹部端部に存する凹部１３９５の前後方向幅で、Ｗ２で示す部分が第一係止部材１３９１と反対向する側の凹部端部であり、Ｗ１＞Ｗ２の関係を有している。
【０１５２】
従って、例えば、初期位置１３２４に戻す際に、前記第一係止部材（第一突出部）１３９１が前記第二係止部材（第二突出部）１３９３の凹部１３９５に収容しやすいとともに、凹部１３９５の幅の狭い部分で第一係止部材（第一突出部）１３９１を保持することができるため、揺動をしっかりと抑制できる。
また、本実施形態のように、凹部１３９５の幅が広い部分から狭い部分へと徐々に狭くなる構成を採用することにより、次のような作用効果を発揮することもある。
例えば、前記第一係止部材（第一突出部）１３９１と記第二係止部材（第二突出部）１３９３が分離されている状態で、何らかの衝撃を受けて前記第一係止部材（第一突出部）１３９１と記第二係止部材（第二突出部）１３９３の位置が多少前後方向でずれてしまったとしても、前記凹部１３９５の幅の広い部分で第一係止部材（第一突出部）１３９１を拾い上げることができるため、係止動作開始時の前後方向の許容範囲があり、第一係止部材（第一突出部）１３９１を容易かつ確実に保持することができる。
【０１５３】
本実施形態では、第一の可動部材１３２５に第一の係止部材１３９１を備え、第二の可動部材１３３７に第二の係止部材１３９３を備えているが、第一の可動部材１３２５に第二の係止部材１３９３を備え、第二の可動部材１３３７に第一の係止部材１３９１を備えることも可能で本発明の範囲内で設計変更可能である。
【０１５４】
このように構成したことにより、第三の駆動手段１３９０のモータギア１３８９を所定の方向に回動動作すると、アイドルギア１３５９を介してその回動動作はリンクギア１３６１に伝達される。
そして、リンクギア１３６１が所定の方向に回動動作すると、その前面に設けた突起１３６３がリンクアーム１３６５の非貫通スライド溝１３８１内を所定の方向にスライド移動する。
【０１５５】
この動作によってリンクアーム１３６５は引張りスプリング１３８３のバネ力に抗して図５６に示す時計回り方向に回動し、そのリンクアーム１３６５の回動動作に従って、貫通スライド溝１３７５に摺動可能に配設されている第二の可動部材１３３７の突出軸１３７７が第二の前側機構ベース１３５１に設けられたスライド溝１３５２に沿って下降移動する。詳しくは、まず、スライド溝１３５２の縦溝領域１３５２ａに沿って突出軸１３７７が鉛直方向に落下する。これにより、第二の可動部材１３３７は、一旦、下方に向けて落下する。また、このとき第二突出軸１３７８は、駆動機構ベース１３５７の連結孔部１３８０に連結されており、駆動機構ベース１３５７とともにスライド溝１３５０を下方に向けて落下する。
そして、その後、スライド溝１３５２の湾曲溝１３５２ｂに沿って突出軸１３７７が、図５６に示す背面側からから見て時計回り方向に回転しつつ下降する。
これにより、前記第一係止部材１３９１と前記第二係止部材１３９３の係止状態が解除されるとともに、第二の可動部材１３３７は突出軸を支点に回動（図５６に示す背面視で図に向かって時計回り方向に回動）し、初期位置１３２４から出現位置１３２６まで可動する（図４、図５及び図４７参照）。
【０１５６】
そして、第三の駆動手段１３９０のモータギア１３８９を逆回転させると、アイドルギア１３５９を介してその回動動作はリンクギア１３６１に伝達される。
そして、リンクギア１３６１が所定の方向に回動動作（前記の回動方向とは逆の方向に回動動作）すると、その前面に設けた突起１３６３がリンクアーム１３６５の非貫通スライド溝１３８１内を所定の方向（前記の回動方向とは逆の方向）にスライド移動する。
【０１５７】
この動作によってリンクアーム１３６５は引張りスプリング１３８３のバネ力もプラスされて図に向かって反時計回り方向に回動し、そのリンクアーム１３６５の回動動作に従って、貫通スライド溝１３７５に摺動可能に配設されている第二の可動部材
これにより、第１３３７の突出軸１３７７が第二の前側機構ベース１３５１に設けられたスライド溝１３５２の湾曲溝１３５２ｂに沿って回転しつつ上昇移動し、そして縦溝領域１３５２ａに沿って鉛直方向に上昇移動する。第二突出軸１３７８は、前記突出軸１３７７の上昇移動に併せてスライド溝１３５０に沿って上昇移動をする。二の可動部材１３３７は出現位置１３２６から初期位置１３２４まで可動することにより、前記第一係止部材１３９１が前記第二係止部材１３９３を掬い上げると共に、前記第一係止部材１３９１が前記第二係止部材１３９３のをとが係止状態となる。前記第一の組合せ可動演出役物１３２３（第一の可動部材１３２５）と前記第二の組合せ可動演出役物１３３５（第二の可動部材１３３７）が初期位置１３２４に戻り、前記第二の組合せ可動演出役物１３３５（第二の可動部材１３３７）が出現位置１３２６から初期位置１３２４まで可動する際に、前記第二係止部材１３９３の凹部１３９５に前記第一係止部材１３９１が収容されながら戻る。
【０１５８】
第三の可動演出役物１３２１が上述の通り、第一の組合せ可動演出役物１３２３と第二の組合せ可動演出役物１３３５とに分離して回動動作（初期位置１３２４から出現位置１３２６へと回動動作）した後に、前記第二の可動演出役物１２１３が、前述の通り、初期位置１２１７から出現位置１２１９へと可動（回動・伸縮）し、所定時間を経過した後に、出現位置１２１９にある第二の可動演出役物１２１３が初期位置１２１７に戻るとともに、第一の組合せ可動演出役物１３２３が逆方向に回動して初期位置１３２４へと戻る際に、第二の組合せ可動演出役物１３３５を係止しつつ初期位置１３２４へと戻して一つの可動演出役物となり、その背面側に第二の可動演出役物１２１３が視認困難な状態に遮蔽されるため遊技者の興趣の向上が図れる。
さらに本実施形態では、前記前側機構ベース１３５１にフォトセンサ１３５４を備えており、前記駆動機構ベース１３５７を検出して第三の可動演出役物１３２１の初期位置１３２４と出現位置１３２６を認識可能に構成している。例えば、フォトセンサ１３５４によって駆動機構ベース１３５７を検出しているときは初期位置１３２４にあることを認識し、下降動作をしてフォトセンサ１３５４から駆動機構ベース１３５７が外れて検出されなくなったときには出現位置１３２４にあることを認識し、この出現位置１３２４にあることを認識してから所定時間経過後に駆動手段を逆回転させるべく信号をサブ制御基板に送るようにする。
【０１５９】
ここで、本実施形態における第三の可動演出役物１３２１の発光演出表示形態について説明する。
まず、例えば、所定の条件が整い、第二の可動演出役物１２１３が、前記第一位置（一方向  初期位置）１２１７から前記第二位置（他方向  出現位置）１２１９まで可動することとなった場合、まず、第三の可動演出役物１３２１の可動が開始される。その際に、第三の可動演出役物１３２１の第一の組合せ可動演出役物１３２３と第二の組合せ可動演出役物１３３５のそれぞれの縁部近傍領域１３２８と１３４０のみが発光演出表示される。この場合の発光態様は点滅であっても点灯であってもよい。
そして、第三の可動演出役物１３２１の第一の組合せ可動演出役物１３２３と第二の組合せ可動演出役物１３３５が可動して、初期位置１３２４から出現位置１３２６まで可動するが、このときもまだ発光演出表示されている。
【０１６０】
そして、第三の可動演出役物１３２１が出現位置１３２６にて、発光演出表示されている状態で、第二の可動演出役物１２１３が前記第一位置（一方向  初期位置）１２１７から前記第二位置（他方向  出現位置）１２１９まで発光した演出状態で可動する。
そうすると、前記段落００４９で説明した通り、左側上基板１０３７ｄ、左側中基板１０３７ｅ、及び左側下基板１０３７ｆの各ＬＥＤ１０３８が発光し、導光板１０３１の全領域に、遊技盤の下方領域から上方領域に向かって稲光のような画像が発光表示されるようにする（図２３及び図２４参照）。
そして、第二の可動演出役物１２１３が第二位置（他方向  出現位置）１２１９に移動する際に、第二の可動演出役物１２１３に備えられているＬＥＤ基板１２３３に備えられているＬＥＤ１２３３ａが発光するように構成する。ＬＥＤ１２３３ａが発光すると、その前方に配されているレンズ部材１２３１に光が入射され、外装部材１２７７の周縁を発光表示演出させる。
【０１６１】
これにより、第二の可動演出役物１２１３の発光演出及び第二の可動演出役物１２１３の一定の方向への大きなアクションによる演出と、その大きなアクションの方向とは反対の方向への発光表示演出によって、何か遊技にとって有利な展開への発展があるかとの期待感を遊技者に抱かせることが可能である。
なお、本実施形態では、、第一の組合せ可動演出役物１３２３と第二の組合せ可動演出役物１３３５の二部材で構成する実施の一形態を示したが、本発明は三つ以上の分離及び結合可能な複数個の可動演出役物からなるものであってもよく、実施形態に応じて適宜設計変更可能である。
また、本実施形態では、棒状に突出した第一係止部材（第一突出部）１３９１を駆動手段と連結しない可動演出役物に備え、前記棒状に突出した第一係止部材（第一突出部）１３９１を収容する上向きの凹部１３９５を有した第二係止部材（第二突出部）１３９３を、駆動手段と連結した可動演出役物に備えているが、この逆であっても良い。すなわち、第一係止部材（第一突出部）１３９１を駆動手段と連結した可動演出役物に備え、第二係止部材（第二突出部材）１３９３を他の可動演出役物に備える形態とすることも可能で本発明の範囲内である。この場合、第二係止部材（第二突出部）は、下向きの凹部（図示省略）を備えるものとして、駆動手段の回転動作によって初期位置に戻ろうとする可動演出役物の第一係止部材が、出現位置にある可動演出役物の第二係止部材の下向きの凹部に下方から嵌りながら係止されるものとできる。
さらに、上述した本実施形態及び他の実施形態では、第一係止部材（第一突出部）１３９１と第二係止部材（第二突出部）１３９３の双方共に突出する部材をもって説明しているが、これに限定されるものではない。すなわち、いずれか一方は突出状に構成されるものであるが、他方はその突出状に構成される係止部材（第一係止部材１３９１と第二係止部材１３９３のいずれか一方の係止部材）を下方から受ける窪み状に形成される係止部材（第一係止部材１３９１と第二係止部材１３９３のいずれか他方の係止部材）を、第一の組合せ可動演出役物１３２３と第二の組合せ可動演出役物１３３５のいずれかの下面に備えてなるものであってもよく同様の作用効果を発揮することができる。
「第二実施形態」
【０１６２】
図５７乃至図９４は第二実施形態を示す。
第二実施形態に係るパチンコ遊技機は、略第一実施形態と同様であるが、次の構成において第一実施形態と相違する（図５７乃至図９４参照）。
以下、第一実施形態と相違する構成のみを説明し、その他の構成については第一実施形態を援用する。なお、本実施形態において、外レール及び遊技釘を図示省略しているが、第一実施形態と同様、所定位置に配設しているものであり、また、表示装置（液晶表示装置）４は図示省略しているが本発明の範囲内で適宜周知の表示装置が適用される。
【０１６３】
裏箱１０５５には、第四の可動演出役物１５００と、第五の可動演出役物１５８９と、第六の可動演出役物１７４１と、第八の可動演出役物１９５０と、第四の発光演出手段１９９０が所定位置に配設されている。また、遊技盤１には、第五の発光演出手段２０００、第六の発光演出手段２０１１をそれぞれ備えている。なお、本実施形態では、前記第六の可動演出役物１７４１の別実施形態として、第七の可動演出役物１９００を想定している。
【０１６４】
＜第四の可動演出役物＞
図５７及び図５９乃至図６９に第四の可動演出役物１５００の一例を示す。
第四の可動演出役物（一の可動演出役物）１５００は、裏箱１０５５の内面側に取り付け固定されるベース部１５０１（表ベース１５０１ａと裏ベース１５０１ｂ）と、ベース部１５０１内（表ベース１５０１ａと裏ベース１５０１ｂの間）に一端側（基端側）が回動可能に支持されるアーム１５０９と、アーム１５０９の他端側（先端側）に備えられ、アーム１５０９の回動動作によって視認困難な第一の初期位置１５０５と視認容易な第一の出現位置１５０７との間を移動する可動部材１５３１と、前記アーム１５０９を介して前記可動部材１５３１を前記第一の初期位置１５０５から前記第一の出現位置１５０７まで移動させることが可能な駆動手段１５２９とを備えて構成されている（図５７、図５９乃至図６９参照）。
【０１６５】
アーム１５０９は、ベース部１５０１に対して回動可能に軸支される基端部１５１１と、基端部１５１１から長尺状に突出する腕部１５１３と、腕部１５１３の先端に設けられる可動部材取付部１５１５とで構成されており、駆動手段（モータ）１５２９にて基端部１５１１の軸支部分１５１７を中心に回動可能に配設されている（図６１乃至図６３参照）。なお、図中１５１０は、アーム１５０９の前面に備えられる装飾用のレンズ部材を示す。
可動部取付部１５１５は、短尺円筒状に形成するとともに、背面側をカバー部材１５２１で覆い、内部空間には可動部材（装飾部材を含む一部の部材）を駆動せしめる可動部材用駆動手段（モータ）１５２３を備えている（図６１参照）。
【０１６６】
アーム１５０９は、ベース部１５０１を構成する裏ベース１５０１ｂの前面から前方に向けて突設した軸支部分１５１７に、基端部１５１１を回動可能に軸着してなる（軸着部１５３６）。
そして、前記裏ベース１５０１ｂには、アーム可動操作用の駆動手段（モータ）１５２９を備えるとともに、そのモータ１５２９に備えたモータギア１５３０が噛み合うリンクギア１５３２を回動可能に備えている。また、基端部１５１１は、弾性部材（バネ材）１５０２によって、アーム１５０９の先端に備えた可動部材１５３１が常に第一の初期位置１５０５に戻るように付勢されている（図６２及び図６３参照）。
また、本実施形態では、基端部１５１１のスムーズな回動動作を図るため、基端部１５１１側に所定の摺動突起１５１１ｂ，１５１１ｂを突設するとともに、ベース部１５０１を構成する表ベース１５０１ａの背面側に、前記摺動突起１５１１ｂ，１５１１ｂが摺動する摺動溝１５０３，１５０３を設けており、前記摺動突起１５１１ｂ，１５１１ｂが摺動溝１５０３，１５０３に沿って案内されつつ基端部１５１１が回動動作することができる（図６２及び図６３参照）。
【０１６７】
リングギア１５３２は、ギア歯を備えた外周面の一部に突起部１５３２ａを備えており、その突起部１５３２ａと、前記基端部１５１１の上端周面に形成したリンクアーム軸支部１５１１ａとの間にわたってリンクアーム１５３４を備えている（図６２及び図６３参照）。
【０１６８】
リンクアーム１５３４は、一端１５３４ａを、前記基端部１５１１のリンクアーム軸支部１５１１ａに回動可能に軸着するとともに、他端１５３４ｂを、前記突起部１５３２ａに回動可能に軸着してなる略平板棒状に形成されている。また、リンクアーム１５３４は、その長さ方向の中央領域を湾曲させた軸回避部１５３４ｃを有している（図６２及び図６３参照）。
【０１６９】
このような構成を採用しているため、モータギア１５３０が図６３において矢印Ｃ１で示す時計回り方向に回転動作すると、その回転動作を受けたリンクギア１５３２が図中矢印Ｃ２で示す反時計回り方向に回転動作する。リンクギア１５３２の反時計回り方向（Ｃ１方向）の回転動作にしたがって、突起部１５３２ａに他端１５３４ｂが軸着されたリンクアーム１５３４が矢印Ｄ１で示す下方に移動する。
【０１７０】
リンクアーム１５３４の下方（Ｄ１方向）への移動によって、一端１５３４ａが軸着されているアーム１５０９の基端部１５１１は下方に向けて押圧され、ベース部１５０１に対する軸着部１５３６を軸として時計回り方向に回転動作されるため、腕部１５１３及び回動部材１５３１が第一の出現位置１５０７へと移動する。
【０１７１】
そして、所定時間第一の出現位置１５０７に位置した後、モータギア１５３０を図６３において矢印Ｃ３で示す反時計回り方向に回転動作すると、その回転動作を受けたリンクギア１５３２が図中矢印Ｃ４で示す時計回り方向に回転動作する。リンクギア１５３２の時計回り方向の回転動作にしたがって、突起部１５３２ａに他端１５３４ｂが軸着されたリンクアーム１５３４が矢印Ｄ２で示す上方に移動する。
リンクアーム１５３４の上方への移動によって、一端１５３４ａが軸着されているアーム１５０９の基端部１５１１上方に引き上げられ、ベース部１５０１に対する軸着部１５３６を軸として反時計回り方向に回転動作されるため、腕部１５１３及び回動部材１５３１が第一の出現位置１５０７から第一の初期位置１５０５へと移動する。また、このとき、基端部１５１１は、弾性部材１５０２によって第一の初期位置１５０５の方向（反時計回り方向）に回転するように付勢されているためモータの負荷も減少する。
【０１７２】
図６６及び図６７は可動部材１５３１の突出部材１５４７の動作を示す図で、図６６は突出部材１５４７がガイドベース１５６１の環状ガイド面１５６３上で視認容易な出現位置１５４８にあることを示す概略背面図で、図６７は、突出部材１５４７がガイドベース１５６１の環状ガイド面１５６３上で視認困難な初期位置１５４６にあることを示す概略背面図である。
可動部材１５３１は、回転動作をすることで所定の可動演出を行うものであって、前面側に配される装飾部材１５３３と、装飾部材１５３３を取り付ける回転ベース１５３５と、回転ベース１５３５の前方から嵌め込む環状飾り１５３７と、回転ベース１５３５の背面側に配される基板カバー１５３９と、基板カバー１５３９の背面側に配されるＬＥＤ基板１５４３と、ＬＥＤ基板１５４３の背面側に配されるリフレクタ１５４５と、前記リフレクタ１５４５の背面側（背後）に設けられ、前記装飾部材１５３３の回転動作に伴い、視認困難な退避位置（初期位置）１５４６と、視認容易な出現位置１５４８とに変位可動可能な突出部材１５４７と、前記突出部材１５４７が回転可能で、かつ常時、退避位置（初期位置）１５４６へと回転動作するように弾性部材（スプリング）１５４９によって付勢されて軸支され、前記回転ベース１５３５と固定して一緒に回転動作する回転軸ベース１５５９と、前記突出部材１５４７を変位案内するガイド部（環状ガイド面）１５６３を備え、可動部材取付部１５１５の前面に一体に固定されて非回転状に構成されたガイドベース１５６１と、前記駆動手段１５２３からの回動動作を伝達する伝達機構（ギア）１５７５を含んで構成されている（図６１、図６３乃至図６９参照）。なお、基板カバー１５３９と回転ベース１５３５は透過性を有するものであるが、非透過性であってもよく本発明の範囲内で設計変更可能である。
【０１７３】
図中１５７９は、駆動手段（モータ）１５２３に備えたギア（モータギア）で、１５７５は駆動手段のモータギア１５７９と噛み合って、駆動手段１５２３の回動動作を回転ベース１５３５（環状飾り１５３７）と回転軸ベース１５５９を回転駆動させる伝達ギアである（図６１及び図６４参照）。
なお、図中１５８３は、背面側に突片１５８５を備え、回転部材取付部１５１５に備えたフォトセンサ１５８７によって初期位置を検出するためのギアであり（図６４参照）、突片１５８５がフォトセンサによって検出されているときに、可動部材１５３１が初期位置に位置すると認識できるようになっている。
【０１７４】
前記ＬＥＤ基板１５４３は、基板の前面側の所定位置に配した所定のＬＥＤ（発光手段）１５４１と、裏面側の所定位置に配した所定のＬＥＤ（発光手段）１５４２を備えている。なお、基板カバー１５３９とＬＥＤ基板１５４３とリフレクタ１５４５は非回転状態で配設されている。
【０１７５】
突出部材１５４７は、透過性部材で所定の平板羽根形状に形成された本体１５５１と、本体１５５１の下端に一体に突設した光導入部１５５３と、に突設したスプリング取付部１５５５と、該スプリング取付部１５５５と隣接して本体１５５１の下端の前面側に突設されたスプリング端部係止部１５５８とを備えるとともに、本体１５５１の背面側には円筒状に形成され、環状ガイド面１５６３上を摺動するガイド面摺動部１５５７を備えて構成されている（図６４乃至図６６参照）。なお、スプリング取付部１５５５は、突出部材１５４７の本体１５５１の前面及び後面にわたって突設されている。
【０１７６】
突出部材１５４７は、回転ベース１５３５の周囲を出没する可動演出を行うとともに、突出部材１５４７自体が光導入部１５５３を介してＬＥＤ基板１５４３の裏面側のＬＥＤ１５４２からの光を入光させて発光演出を行うレンズ部としても機能している。
前記光導入部１５５３は、略四分の一球形状に形成するとともに、その凹状内面側をＬＥＤ基板１５４３の裏面側のＬＥＤ１５４２と対向するように配設される。
そして、このＬＥＤ基板１５４２と光導入部１５５３との間には、ＬＥＤ基板１５４３と密着して備えられる環状のリフレクタ１５４５が介在されており、そのリフレクタ１５４５には、光導入部１５５３の凹状内面及びＬＥＤ１５４２と同軸状で対向する位置に、前記凹状内面及びＬＥＤ１５４２とそれぞれ開口を合わせて配設される窪み部１５４５ａが形成されている（図６９参照）。
前記突出部材１５４７の本体１５５１が出現位置１５４８に位置するときに、光導入部１５５３が前記発光手段のＬＥＤ１５４２と対応するように設定されている。
【０１７７】
したがって、前記ＬＥＤ１５４２からの光は、光導入部１５５３の凹状内面に向けて照射されて本体１５５１を発光演出表示する。また、ＬＥＤ１５４２から発光された光は、凹状内面によって反射・拡散されて本体１５５１の面部にも照射される。このとき、本体１５５１の表面には所定のレンズカット１５５１ａが形成されているため、照射された光はこのレンズカット１５５１ａに反射・拡散されて本体１５５１全体を発光演出する（図６９参照）。また、リフレクタ１５４５には、光導入部１５５３の凹状内面及びＬＥＤ１５４２と同軸状で対向する位置に、前記凹状内面及びＬＥＤ１５４２とそれぞれ開口を合わせて配設される窪み部１５４５ａが形成されており、この窪み部１５４５ａによってＬＥＤ１５４２からの光は光導入部１５５３の凹状内面に向けて拡散することなく照射可能としている。また、突出部材１５４７が退避位置１５４６（後述する隙間１５７７）に収容されて位置しているときには、光導入部１５５３は対応する位置にない。なお、特に限定解釈されるものではないが、さらに多くのＬＥＤを設けて、突出部材１５４７がいずれの位置にあっても対応することができるものとしても良い。
【０１７８】
ガイドベース１５６１は、ベース盤１５６１ａの前面に、所定長さ周方向に設けられた第１位置１５６５と、前記第１位置１５６５と連続し、かつ第１位置１５６５よりも小径で凹状に設けられた第２位置１５６７を、外周面の周方向に交互に備えた環状ガイド面（ガイド部）１５６３を前方に向けて突設している（図６１、図６５乃至図６７参照）。
例えば、本実施形態では、環状ガイド面１５６３をベース盤１５６１ａの外周よりも小径に形成し、その環状ガイド面１５６３の周方向で所定間隔おきに第２位置１５６７を凹状に設け、その第２位置１５６７以外のガイド面を第１位置１５６５としている。
第２位置１５６７は、第１位置１５６５の一端から正面視で円形状に凹設されるとともに、緩やかな曲面１５６９を介して隣の第１位置１５６５へとなだらかにつながっている。
【０１７９】
さらに、ガイドベース１５６１のベース盤１５６１ａの前面略中央領域には、前記環状ガイド面１５６３よりも前方に向けて突出する第一の円筒部１５７１と、該第一の円筒部１５７１の略中央領域から、該第一の円筒部１５７１よりも小径の第二の円筒部１５７３を設けている。第二の円筒部１５７３は、ＬＥＤ基板１５４３と基板カバー１５３９と基板カバー１５３９のそれぞれの中心に設けた貫通孔を介して挿通した後に、その先端に軸ブッシュ１５４０を取り付ける。軸ブッシュ１５４０内には回転ベース１５３５の背面から突出する軸部材１５３５ａが挿入されて、ガイドベース１５６１の背面側に突出している（図６５参照）。そして、前記軸部材１５３５ａの突出した端部は、伝達ギア１５７５に接続されて駆動ギア１５７９の回転動作が回転ベース１５３５へと伝達される。
そして、ガイドベース１５６１の前面と回転ベース１５３５の背面との間には第一の円筒部１５７１の先端（第二の円筒部１５７３を除いた先端面）幅で環状の隙間１５７７が形成されている（図６５参照）。この隙間１５７７は、突出部材１５４７が第２位置１５６７に位置したときに収容される視認困難な退避位置１５４６として機能する（図６１及び図６５参照）。
【０１８０】
回転軸ベース１５５９は、回転ベース１５３５とビス止めによって一体に取り付けられ、ガイドベース１５６１に設けた環状ガイド面１５６３の外周に摺動可能に取り付けられる程度の環状に形成されており、そして、前記スプリング取付部１５５５の周囲にスプリング１５４９の巻回部を外嵌めし、該スプリング取付部１５５５を前記回転軸ベース１５５９の端面１５５９ａに回転可能に軸着する。
そして、スプリング１５４９の他端（遊端）を、突出部材１５４７の前面側の端面に突設したスプリング端部係止部１５５８に係止する。
このようにして回転軸ベース１５５９に突出部材１５４７を回動可能に取り付け、そして、前記環状ガイド面１５６３に嵌めた際に、前記ガイド面摺動部１５５７が環状ガイド面１５６３の周面を摺動可能に備えて配設する。
このとき、スプリング１５４９のバネ力は、回転軸ベース１５５９とガイドベース１５６１との間の隙間１５７７に本体１５５１を収容する方向に付勢するものとしている（図６１乃至図６３参照）。
【０１８１】
従って、駆動手段（モータ）１５２３を回転動作させると、駆動手段（モータ）１５２３に備えたギア（モータギア）１５７９の回転動作が伝達ギア１５７５に伝達される。
そして、伝達ギア１５７５から伝達された回転動作は、伝達ギア１５７５を一端に固定してなる軸部材１５３５ａを介して回転ベース１５３５に伝達される。これにより、回転ベース１５３５と一体に取り付けられている回転軸ベース１５５９が回転動作をするため、回転軸ベース１５５９に備えられている突出部材１５４７のガイド面摺動部１５５７が、環状ガイド面１５６３の外周上を所定方向に摺動することとなる。
前記突出部材１５４７は、前記回転動作により、前記ガイド面摺動部１５５７が、環状ガイド面１５６３の第１位置１５６５に位置するときには前記弾性部材（スプリング）１５４９の付勢に抗して視認容易な出現位置１５４８に本体１５５１が突出して位置する（図６６参照）。
そして、回転方向（図６６で符合Ｒ１で示す方向）に移動し、前記ガイド面摺動部１５５７が、環状ガイド面１５６３の第２位置１５６７に到達すると、弾性部材（スプリング）１５４９の力によって前記ガイド面摺動部１５５７が第２位置１５６７に落下する。この落下動作によってスプリング１５４９の力で突出部材１５４７は回転方向とは反対方向（図６６で符合Ｒ２で示す退避方向）に回転し、視認困難な退避位置１５４６（前記隙間１５７７）に収容されて位置する。そして、その後、ガイド面摺動部１５５７が緩やかな曲面１５６９を摺動して隣の第１位置１５６５に位置する。このようにガイド面摺動部１５５７を介して突出部材１５４７が第１位置１５６５に到達すると、突出部材１５４７は視認容易な出現位置１５４８に突出して位置することとなる。回転動作によってこの作動を繰り返し、突出部材１５４７は第１位置１５６５、第２位置１５６７と交互に移動する。
【０１８２】
このように構成したことにより、退避位置（初期位置）１５４６から出現位置１５４８に移動した可動部材１５３１は、出現位置１５４８にて、前記駆動手段（モータ）１５２３によって所定方向に回転動作するとともに、ＬＥＤ１５４１及び１５４２からの光の入光によって可動部材１５３１の前面側及び突出部材１５４７を発光演出する。詳細に説明すると、突出部材１５４７は、透過性部材で所定の平板羽根形状に形成されているとともに、下端には光導入部１５５３を備えており、その凹状内面側が、突出部材１５４７が第１位置１５６５に位置して突出状態となっているときに（図６６，図６９の状態）、ＬＥＤ基板１５４３の裏面側のＬＥＤ１５４２と対向するように配設されているため、前記ＬＥＤ１５４２からの光は、光導入部１５５３の凹状内面に向けて照射されて本体１５５１を発光演出表示する。
【０１８３】
また、ＬＥＤ１５４２から発光された光は、凹状内面によって反射・拡散されて本体１５５１の面部にも照射され、本体１５５１の表面には所定のレンズカット１５５１ａが形成されているため、照射された光はこのレンズカット１５５１ａに反射・拡散されて本体１５５１全体を発光演出する（図６９参照）。
なお、突出部材１５４７が退避位置１５４６（前記隙間１５７７）に収容されて位置しているときには、光導入部１５５３はＬＥＤ１５４２と対応する位置にない。
また、ＬＥＤ基板１５４３の前面側には多数のＬＥＤ１５４１を備え、それぞれが設定に応じて所定の発行演出を行ない、回転ベース１５３５を介して環状飾り１５３７と装飾部材１５３３を発光演出する。このとき、多数のＬＥＤ１５４１による前面方向への発光演出とともに、環状飾り１５３７から一体に形成されて装飾部材１５３３の下方に並設される装飾表示部１５３８にも対応する位置にＬＥＤ１５４１が備えられている。従って、この装飾表示部１５３８に所定のキャラクタ図柄やキャラクタ名などを表示しておけば、ＬＥＤ１５４１からの光が照射されたときに所定の発光演出がなされることとなる。
なお、特に限定解釈されるものではないが、さらに多くのＬＥＤを設けて、突出部材１５４７がいずれの位置にあっても対応することができるものとしても良い。
【０１８４】
＜第五の可動演出役物＞
図６０及び図７０乃至図７５に第五の可動演出役物１５８９の一例を示す。
第五の可動演出役物（他の可動演出役物）１５８９は、前記第四の可動演出役物１５００とは異なる複数の可動体から構成されている。本実施形態において、第五の可動演出役物１５８９は、遊技盤１の開口部１ｈから外れた位置、すなわち、遊技盤１の正面から見て開口部１ｈの水平方向で外側に、後述するそれぞれの可動体が位置している状態が第二の初期位置１５０６（図５８）で、その第二の初期位置１５０６から、前記開口部１ｈの中央方向に向けて移動し、前記第四の可動演出役物１５００が開口部１ｈの略中央に位置している第一の出現位置１５０５に位置した第四の可動演出役物１５００の周りを囲むように配された状態のときが第二の出現位置１５０８（図６０）である。
【０１８５】
可動体は、本実施形態では半環状体に形成された左側可動体１５９１と、同じく半環状体に形成された右側可動体１５９３の一対で構成され、それぞれの可動体は、水平移動して分離・連結可能で、連結した際には、遊技盤１の開口部１ｈに入る程度の環状役物を構成する（図６０、図７０及び図７１参照）。
そして、前記第四の可動演出役物１５００を構成する可動部材１５３１が第一の出現位置１５０７に位置しているとき、この環状役物を構成する左側可動体１５９１と右側可動体１５９３が第二の出現位置１５０８に向かって移動すると、前記可動部材１５３１と開口部１ｈとの間に形成される中央の空きスペースで前記可動部材１５３１が左側可動体１５９１と右側可動体１５９３によって囲まれるようにして位置するため、全体で一つの意匠を構成することができる。すなわち、遊技盤１の奥行き方向で、該遊技盤１の開口部１ｈを占める程度の大きさの意匠が出現し、かつ第四の可動演出役物１５００のアーム１５０９の少なくとも一部を視認困難に遮蔽するため遊技の興趣を図れる（図６０参照）。
【０１８６】
左側可動体１５９１と右側可動体１５９３は、それぞれ対象形状を有している。従って、ここでは左側可動体１５９１について説明し、右側可動体１５９３については説明を省略する。左側可動体１５９１は次の構成を採用している（図７２乃至図７５参照）。
【０１８７】
左側可動体１５９１は、複数個の開口部を有する装飾部材１５９５と、前記装飾部材１５９５の背面側に備えられ、所定の加工が施されたレンズ部材１６０５と、前記レンズ部材１６０５の背面側に備えられ、開口部を有するリフレクタ（反射部）１６１１と、前記反射部の背面側に備えられたＬＥＤ基板１６２１とを含んで構成している。
【０１８８】
装飾部材１５９５は、例えば、非透光性部材によって平板の半環状体に形成された内外縁部間にわたり、三角形状の開口１５９７が周面方向にわたって互い違いに３つ配設（第一の開口群１５９９）され、その隣には内外縁部間にわたって設けられる細長溝状の開口１６０１（第二の開口１６０３）が配設されており、前記第一の開口群１５９９と第二の開口１６０３を交互に繰り返して構成されている。なお、開口１５９７のうちの中央の開口１５９７には、小さな円弧状の突状装飾部１５９７ａが設けられている。
【０１８９】
レンズ部材１６０５は、透光性部材によって平板の半環状体に形成され、その前面に星形の突出領域１６０７を、所定間隔をあけて複数個設けるとともに、それぞれの星形の突出領域１６０７の間に細長状の領域１６０９を設けて構成されている。
【０１９０】
リフレクタ（反射部）１６１１は、装飾部材１５９５の第一の開口群１５９９を構成する中央の三角形状の開口１５９７と同様の開口１６１５と、その両側に設けられ、第一の開口群１５９９を構成する左右の三角形状の開口１５９７と比して小さく形成された三角形状の開口１６１７からなる第三の開口群１６１３と、装飾部材１５９５の第二の開口１６０３と同様に細長溝状に形成した第四の開口１６１９が交互に繰り返して構成されている。
【０１９１】
ＬＥＤ基板１６２１は、半環状体に形勢された基板の前面所定位置に所定のＬＥＤが備えられて構成されており、本実施形態では、第一の開口群１５９９（第三の開口群１６１３）における中央の三角形状の開口１５９７（１６１５）の左右に対応する領域にそれぞれＬＥＤ１６２１ａを、第二の開口１６０３（第四の開口１６１９）に対応する領域にはそれぞれＬＥＤ１６２１ｂを配している。
【０１９２】
すなわち、前記ＬＥＤ１６２１ａ，１６２１ｂの消灯時には、装飾部材１５９５の開口形状が視認可能であり（図７４参照）、前記ＬＥＤ１６２１ａ，１６２１ｂの点灯時には、レンズ部材１６０５の星形の突出領域１６０７によって略星形に発光する装飾演出が表現できるため（図７５参照）、発光手段の消灯時と点灯時とで前記装飾部材１５９５の見え方が異なる発光演出がなし得る。また、ＬＥＤ１６２１ａのみ点灯した場合でも、略星形に発光表示する演出が可能である。
【０１９３】
左側可動体１５９１と右側可動体１５９３は、視認困難な第二の初期位置１５０６から視認容易な第二の出現位置１５０８まで移動させることが可能な他の駆動手段を有している。他の駆動手段は、左側可動体１５９１と右側可動体１５９３のそれぞれに別個に備えられている。
【０１９４】
左側可動体１５９１と右側可動体１５９３を駆動させるそれぞれの駆動手段は、それぞれ同一の構成であるため、ここでは左側可動体１５９１を駆動させる駆動手段について説明し、右側可動体１５９３を駆動させる駆動手段については説明を省略する。左側可動体１５９１を駆動させる駆動手段は次の構成を採用している（図７０及び図７１参照）。
【０１９５】
駆動モータ１６２３のモータギア１６２５が中間ギア（ピニオンギア）１６２７にモータ１６２３の回転動作を伝達し、中間ギア１６２７の回転動作をラック１６２９に伝達する。ラック１６２９には、左側可動体１５９１の下端スライド部１５９１ａが一体に取り付けられている。なお、中間ギア１６２７の背後（図面で中間ギア１６２７の奥側）には、中間ギアと同一の軸に取付固定される図示しない伝達ギアがモータギア１６２５と噛み合って備えられており、モータギア１６２５の回転動作が図示しない伝達ギアに伝達されることにより中間ギア１６２７が回転動作する。
また、図面では、駆動モータ１６２３を図示省略し、配設位置のみを引き出し線で示しているが、モータギア１６２５の背面側に備えられている。
また、本実施形態では、左側可動体１５９１の水平方向の移動時において横ブレが生じ難くなるように、ラック１６２９と水平方向に配設したガイド軸１６３１を左側可動体１５９１の下端に貫通して備えており、左側可動体１５９１の下端スライド部１５９１ａがガイド軸１６３１にそって水平方向に摺動可能に構成されている。
【０１９６】
ラック１６２９は、裏箱１０５５の下方領域にて水平方向にわたって架け渡されたベース部材１６３３に備えたラックガイド１６３５に沿って左右方向（水平方向）に移動可能に構成されており、中間ギア１６２７の回転動作を伝達されたラック１６２９は、その回転動作を左右方向への直進動作に変換して左右方向（水平方向）に移動する。
また、左側可動体１５９１の上端側は、裏箱１０５５に配設された上端ガイドレール１６３９に対して摺動可能に配設されている。
ちなみに、本実施形態において上端ガイドレール１６３９は、次に説明する位置に取り付けられている。例えば、左側の上端ガイドレール１６３９は、後述する第八の可動演出役物１９５０を構成する機構前ベース１９５２の前面側の上部領域に取り付けられる。
また、右側の上端ガイドレール１６３９は、上述した第四の可動演出役物１５００を構成する表ベース１５０１ａの前面側の上部領域に取り付けられる。なお、上端ガイドレール１６３９の取付位置は本実施形態の取付位置に限定解釈されるものではなく、本発明の範囲内で設計変更可能である。
【０１９７】
なお、左側可動体１５９１用のラック１６２９と右可動体１５９３用のラック１６２９は、それぞれが水平方向移動する際に障害とならないように、ラックガイド１６３５の前後面にそれぞれのラック１６２９，１６２９を案内させるようにして前後方向で位置をずらして配設するものとしている。
前記第四の可動演出役物１５００を前記第一の出現位置１５０７に移動させた後に、前記第五の可動演出役物１５８９（左側可動体１５９１と右側可動体１５９３）を、第一の出現位置１５０７に位置している第四の可動演出役物１５００の周りを囲むようにして第五の可動演出役物１５８９（左側可動体１５９１と右側可動体１５９３）を第二の出現位置１５０８までそれぞれ移動させることで、前記第四の可動演出役物１５００の周囲を第五の可動演出役物１５８９（左側可動体１５９１と右側可動体１５９３）で取り囲むようにして配置されるため、アーム１５０９の少なくとも一部を第五の可動演出役物１５８９（左側可動体１５９１と右側可動体１５９３）が視認困難とすることができる。
【０１９８】
図７６乃至図７９は、第四の可動演出役物１５００と第五の可動演出役物１５８９の他の実施の形態である。
【０１９９】
本形態の第四の可動演出役物１５００と第五の可動演出役物１５８９は、第四の可動演出役物１５００を構成する可動部材１５３１と、第五の可動演出役物１５８９を構成する左側可動体１５９１と右側可動体１５９３において、多少の相違点を有するものであるが、その他の構成にあっては図５７乃至図７４にて説明した先の実施形態と同じであるため、相違する部分のみの説明に留め、その他の箇所については先の実施形態の説明を援用する。
【０２００】
可動部材１５３１は、回転動作をすることで所定の可動演出を行うものであって、前面側に配される装飾部材１５３３と、装飾部材１５３３を取り付ける基板カバー１５３９と、基板カバー１５３９の背面側に配されるＬＥＤ基板１５４３のＬＥＤ１５４１を含み、前記アーム１５０９の先端に設けられている可動部材取付部１５１５に一体に配設される。前記ＬＥＤ基板１５４３は、基板の前面側の所定位置に所定のＬＥＤ１５４１を備えている。
【０２０１】
図中１５２３は、可動部材用の駆動手段（モータ）で、可動部材取付部１５１５の前面に備えており、その回転軸１５２３ａは、可動部材取付部１５１５の内方へと臨み、可動部材取付部１５１５の内方にてモータギア１７１４を取り付けている（図７６にて、符合１７１４ａで示す部分がモータギア１７１４の前面にある前記回転軸１５２３ａ用の軸着部である）。モータギア１７１４は、隣接される中間ギア１５７５に噛み合っている。本実施形態では、中間ギア１５７５の前面に小ギア１５７５ａが一体成形されており、この小ギア１５７５ａが伝達ギア１７１０に噛み合って、回動動作を軸１７１１を介して装飾部材１５３３に伝達可能に構成している。
伝達ギア１７１０は、前面に回転軸１７１１を固着しており、固着軸１７１１の先端には連結部材１７１１ａが固着されている。すなわち、前記連結部材１７１１ａを装飾部材１５３３の背面（内面）に連結固定することにより、駆動手段（モータ）１５２３のモータギア１７１４からの回動動作が装飾部材１５３３に伝達されて回動動作する。
なお、本形態では、伝達ギア１７１０の前面側に突片１７１３を備え、回転部材取付部１５１５内面に備えたフォトセンサ１７１５によって回転動作を検出している（図７６参照）。
【０２０２】
本件他の実施形態における第五の可動演出役物（他の可動演出役物）は、左側可動体１５９１と右側可動体１５９３の形態において多少の相違点を有しているものであるが、その他の構成作用効果にあっては前記実施形態と同じである。
また、本実施形態によれば、第四の可動演出役物１５００の可動部材１５３１の周りを、第五の可動演出役物１５８９を構成する左側可動体１５９１と右側可動体１５９３によって囲んだ演出をするため、可動部材１５３１を可動させる駆動手段（モータ１５２３）は、前方から（遊技者側から）視認困難とさせることができるため、遊技機全体の装飾効果において美観を損なう虞がない。
【０２０３】
可動体は、複数個の開口部を有する装飾部材１７１７と、前記装飾部材１７１７の背面側に備えられ、所定の加工が施されたレンズ部材１７２３と、前記レンズ部材１７２３の背面側に備えられ、所定の開口孔部１７３１を有するシート部材１７２９と、シート部材１７２９の背面側に備えられ、所定の開口孔部１７３５を有する導光レンズ部材１７３３と、導光レンズ部材１７３３の背面側に備えられたＬＥＤ基板１７３７とを含んで構成している。
【０２０４】
装飾部材１７１７は、例えば、非透光性部材によって平板の半環状体に形成された内外縁部間にわたり、平面視でしずく形状の開口１７１９が周面方向にわたって互い違いに３つ配設（第一の開口群１７２１）され、この第一の開口群１７２１を交互に繰り返して構成されている。
【０２０５】
レンズ部材１７２３は、透光性部材によって平板の半環状体に形成され、その前面に平面視でしずく状の突出領域１７２５を、所定間隔をあけて複数個設けるとともに、その他の領域には細かい突出領域１７２７が散在して構成されている。
【０２０６】
シート部材１７２９と導光レンズ部材１７３３には所定の開口孔部１７３１，１７３５が所定位置に設けられている。シート部材１７２９は、所定の着色がなされた透光性を有する部材で形成されている。
【０２０７】
ＬＥＤ基板１７３７は、半環状体に形成された基板の前面所定位置に所定のＬＥＤ１７３９が備えられて構成されている。
【０２０８】
すなわち、本件他の実施形態にあってもＬＥＤ１７３９の消灯時と点灯時とで前記装飾部材１７１７の見え方が異なる発光演出がなし得る。
【０２０９】
＜第六の可動演出役物＞
図８０乃至図８５は第六の可動演出役物１７４１の一例を示す。
第六の可動演出役物（演出役物）１７４１は、裏箱１０５５の下方中央領域に備えられており、図８２及び図８３にて矢印ｇ１，ｇ２の方向に上下移動して出没演出を行なう役物である。すなわち、本実施形態では、裏箱１０５５の下方中央領域に備えられ、通常は視認困難な初期位置１７４３（例えば、図５７にて説明すると、ステージ１００１の裏側に、一部視認可能に隠れている）にあって、遊技において所定の演出を行なう際には視認容易な出現位置１７４５（例えば、図５７にて、ステージ１００１よりも鉛直方向で上方に突出して遊技者から視認容易となっている仮想線で示す状態）に移動することで遊技の興趣を図ろうとするものである。
【０２１０】
具体的に説明すると、所定の外観形状を有する装飾部材１７４７と、前記装飾部材１７４７を可動させる駆動手段１７５５と、前記装飾部材１７４７と前記駆動手段１７５５とにわたって備えられ、前記駆動手段１７５５からの回転動作を受けて前記装飾部材１７４７を初期位置１７４３から出現位置１７４５まで上下移動可能に構成する移動機構（上下移動機構ともいう。以下、上下移動機構という）１７６１と、前記上下移動機構１７６１により装飾部材１７４７を出現位置１７４５まで移動した後、前記駆動手段１７５５の回転動作によって、前記装飾部材１７４７の端部領域（第二装飾部材１７５１）のみを可動（下方に引き下げる）させる端部可動機構（上部引き下げ機構ともいう。以下、上部引き下げ機構という）１７７５とを、少なくとも含んで構成されている（図８１参照）。
【０２１１】
装飾部材１７４７は、弾性変形可能な材料、例えばゴムや軟質合成樹脂などで形成し、筒状体を縦方向で半分に切断した第一装飾部材１７４９と、第一装飾部材１７４９の上端に備えられる第二装飾部材１７５１と、第一装飾部材１７４９の下端に備えられる第三装飾部材１７５３で構成されている（図８０乃至図８５参照）。
本実施形態では、第一装飾部材１７４９をエラストマ樹脂で形成するとともに、第二装飾部材１７５１と第三装飾部材１７５３はポリカーボネイトで形成するものとしている。なお、第一装飾部材１７４９は軟質材料からなるものであればよく、また第二装飾部材１７５１と第三装飾部材１７５３は特に限定されず、硬質材料であっても軟質材料であってもよく本発明の範囲内で設計変更可能である。
弾性変形可能な材質からなるものでなくてもよい。
また、本実施形態では、第一装飾部材１７４９を全体的に薄肉状に形成しているが、さらに鉛直方向で略中央の領域に全体の肉厚よりもさらに薄肉に形成されている領域１７４９ａ，１７４９ａを水平方向に二箇所設けている（図８０乃至図８５参照）。
【０２１２】
駆動手段（モータ）１７５５は、回転動作を、鉛直方向に配した第一のリンク部材（筒上下リンク部材ともいう。以下、単に上下リンク部材という）１７６３の前進及び後退動作（上下動動作）に変換するカム機構（モータカム）１７５７を備えている。なお、本実施形態では、このカム機構１７５７にフォトセンサ１７５９を備えて位置検出を行なうものとしている（図８０乃至図８４参照）。
【０２１３】
上下移動機構１７６１は、前記カム機構（モータカム）１７５７に接続されている上下リンク部材１７６３と、前記装飾部材１７４７と接続されて一体に上下動作する第一のスライダー部材（筒上下スライダー部材ともいう。以下、単に上下スライダー部材という）１７７１と、前記上下リンク部材１７６３と上下スライダー部材１７７１との間にわたって備えられ、前記上下リンク部材１７６３の上端１７６３ｂが接続され、かつ前記上下リンク部材１７６３の上下動作によって、上下回動動作して前記上下スライダー部材１７７１を上下動作させる第一のアーム部材（筒上下アーム部材ともいう。以下、単に上下アーム部材という）１７６５を含んでいる（図８０乃至図８５参照）。
【０２１４】
上下リンク部材１７６３は、上述の通り、一端（下端）１７６３ａがモータカム１７５７に接続されるとともに、他端（上端）１７６３ｂが上下アーム部材１７６５に軸着されている。
【０２１５】
上下アーム部材１７６５は、一端１７６５ａが機構ベース部材（筒機構ベース部材）１７６９の軸部材１７６９ａを介して軸着されるとともに、他端１７６５ｂが上下スライダー部材１７７１に軸着して備えられている。
【０２１６】
すなわち、上下リンク部材１７６３が上下動作をすると、上下リンク部材１７６３の他端（上端）１７６３ｂが、上下アーム部材１７６５に軸着されているため、上下アーム部材１７６５は、軸着された一端１７６５ａを支点として他端１７６５ｂが上下方向に回動動作をする。
これにより、他端１７６５ｂが軸着されている上下スライダー部材１７７１を上下移動させることができる。
【０２１７】
上下スライダー部材１７７１は、所定の幅をもった板状に形成され、後述する伸縮スライダー部材１７７９を挟み込んだ状態で筒ベース部材１７７３と一体に連結されており、機構ベース部材１７６９に対して軸着して鉛直方向に移動可能に配設されている。
【０２１８】
上部引き下げ機構１７７５は、前記上下リンク部材１７６３が最も前進移動（上昇）したときに、前記カム機構１７５７の一部が当接して矢印Ｅ１で示す水平方向に移動可能な第二のスライダー部材（左右スライダー部材ともいう。以下、左右スライダー部材という）１７７７と、前記装飾部材１７４７の第二装飾部材（上部領域）１７５１と接続されて一体に上下動作する伸縮スライダー部材（筒伸縮スライダー部材）１７７９と、前記左右スライダー部材１７７７と前記伸縮スライダー部材１７７９との間にわたって備えられ、前記上下リンク部材１７６３が最も前進移動（上昇）し、かつ左右スライダー部材１７７７が水平方向に移動した際に前記伸縮スライダー部材１７７９を後退させる（下方へと押し下げる）装飾部材可動リンク機構（筒伸縮リンク機構）１７８５とを含んで構成されている。
【０２１９】
左右スライダー部材１７７７は、機構ベース部材１７６９の前面に水平方向で２箇所突設したスライド突起１７８１を貫通させてスライドガイドとして機能させるとともに、その一端に装飾部材可動リンク機構１７８５の一端（下端）１７８９ａを回動可能に軸着している（図８０乃至図８４参照）。そして、他端はスライド方向と直交する方向で後方に向けて押圧壁部１７８３を一体に突設している。
この押圧壁部１７８３の内面側には前記上下リンク部材１７６３が近接して配設されており、モータカム１７５７の回動動作によって旋回しつつ上下動作をする上下リンク部材１７６３が押圧壁部１７８３に接して押圧し、左右スライダー部材１７７７はこの押圧動作によって左右方向にスライド移動する。
【０２２０】
伸縮スライダー部材１７７９は、筒ベース部材１７７３と上下スライダー部材１７７１との間に挟まれた状態で配されており、その上端１７７９ａは、第二装飾部材１７５１と一体に連結される上端部１８０３から垂設された突片１８０３ａ，１８０３ａと、後述する前後リンク機構１７９３の第一リンク部１７９５の上端に備えられた一対の軸着片１７９５ａ，１７９５ａとにわたり、軸部１８０２を介して一緒に軸着されて回動可能に取り付けられている（図８２乃至図８４参照）。
また、伸縮スライダー部材１７７９の中間部領域には鉛直方向に長尺の左右の貫通領域１８０１が形成されており、この左右の貫通領域１８０１に、後述する前後リンク機構１７９３の第二リンク部１７９７の上端に備えられた一対の軸着片１７９７ａにわたって架け渡された軸部１８０７が遊びをもって挿通されている。
また、伸縮スライダー部材１７７９には、鉛直方向の縦溝１７７９を貫通して設けられており、この縦溝１７７９ｂには、装飾部材可動リンク機構１７８５を構成する第二リンク１７８７の遊端１７８７ａが摺動可能に連結されている。
【０２２１】
装飾部材可動リンク機構１７８５は、所定のクランク状に形成した第一リンク１７８９と第二リンク１７８７がそれぞれの端部同士を回動可能に軸着（図中符合１７８８は軸着部を示す）して一つの引下げリンク機構を形成し、第一リンク１７８９の遊端１７８９ａが左右スライダー部材１７７７の一端に軸着され、第二リンク１７８７の遊端１７８７ａが伸縮スライダー部材１７７９の縦溝１７７９ｂに摺動可能に連結されている。（図８０乃至図８４参照）。
【０２２２】
従って、上下リンク部材１７６３が最も上昇したとき（図８３）に、前記カム機構１７５７の一部が左右スライダー部材１７７７の押圧壁部１７８３に当接し、左右スライダー部材１７７７を水平方向に押圧移動（矢印Ｅ１方向に水平移動）させる。
左右スライダー部材１７７７が水平移動（矢印Ｅ１方向に水平移動）をすると、その水平移動にともなって、装飾部材可動リンク機構１７８５を構成している第一リンク１７８９と第二リンク１７８７が軸着部１７８８で所定の動作（第一リンク１７８９は矢印Ｆ１方向に移動、第二リンク１７８７は矢印Ｆ２方向に移動）をするため、第二リンク１７８７の遊端１７８７ａによって伸縮スライダー部材１７７９の縦溝１７７９ｂの下端１７７９ｃが僅かに下方に押されるため、その押し下げ動作によって、第一装飾部材１７４９は多少下方に押し下げられるとともに、最も薄肉の二箇所の領域１７４９ａ，１７４９ａで屈曲し、装飾部材が上下方向でつぶれた状態を表現することができる（図８４参照）。
【０２２３】
また、本実施形態では、前記駆動手段によって、前記装飾部材１７４７の外面略中央領域を前方へと突出させる弾性変形機構を備えており、弾性変形機構は、上部引下げ機構１７７５により装飾部材１７４７の上部領域（第二装飾部材）１７５１が下方に引き下げられた際に、前記装飾部材１７４７の内面に向けて押出し部材（装飾部材押圧部）１７９９を押し付けるべく動作する前後リンク機構１７９３を備えて構成されている。
【０２２４】
前後リンク機構１７９３は、上下端部にそれぞれ一対の軸着片１７９５ａ，１７９５ａを突設してなる第一リンク部１７９５と、同じく上下端部にそれぞれ一対の軸着片１７９７ａ，１７９７ａを突設してなる第二リンク部１７９７と、第一リンク部１７９５と第二リンク部１７９７の間に備えられる押し出し部材（装飾部材押圧部）１７９９で構成されている（図８２乃至図８５参照）。
押し出し部材（装飾部材押圧部）１７９９は、例えば、平板状に形成されるとともに、その背面に水平方向で一対の軸受部（図示省略）を突設し、該一対の軸受部と、第一リンク部１７９５の下端の一対の軸着片１７９５ａ，１７９５ａと、第二リンク部１７９７の上端の一対の軸着片１７９７ａ，１７９７ａとにわたって、軸部１８０４を介して軸着することで揺動可能に構成されている。
【０２２５】
そして、第一リンク部１７９５の上端の一対の軸着片１７９５ａ，１７９５ａを、上述したとおり、第二装飾部材１７５１と一体に連結される上端部１８０３から垂設された突片１８０３ａ，１８０３ａと、伸縮スライダー部材１７７９の上端１７７９ａとにわたり、軸部１８０２を介して一緒に軸着して回動可能に構成するとともに、第二リンク部１７９７の下端の一対の軸着片１７９７ａ，１７９７ａの間に、上下スライダー部材１７７１の背面に突設した一対の軸受部（図示省略）を配するとともに、それら一対の軸着片１７９７ａ，１７９７ａと一対の軸受部（図示省略）にわたって軸部１８０７を架け渡してなる。また、前記軸部１８０７は、伸縮スライダー部材１７７９の中間部領域に形成した長尺の左右の貫通領域１８０１，１８０１に遊びを持った状態で挿通する（図８２乃至図８５参照）。
【０２２６】
このように構成することにより、装飾部材可動リンク機構１７８５によって、伸縮スライダー部材１７７９が鉛直方向で下方に引き下げられると、該伸縮スライダー部材１７７９の上端１７７９ａが係止している軸部１８０２を下方へと引き下げることとなる。
すると、前記軸部１８０２に軸着されている前後リンク機構１７９３が下方へと引き下げられるとともに、第二リンク部１７９７の下端の一対の軸着片１７９７ａ，１７９７ａが、上下スライダー部材１７７１の背面に突設した一対の軸受部（図示省略）に軸着されているため、第一リンク部１７９５と第二リンク部１７９７が軸部１８０４を中心にして前方へと揺動する。そして、この第一リンク部１７９５と第二リンク部１７９７の揺動動作によって押し出し部材１７９９が前方へと突き出されるようにして押し出され、その押し出された押し出し部材１７９９によって装飾部材（第一の装飾部材１７４９）の略中央領域が前方へと突出するように押圧される（図８５参照）。単に可動演出役物が上下動作をするだけではなく、このような滑稽な動作を不意に遊技者に対して与えることができるため、遊技の興趣が向上する。
【０２２７】
また、本実施形態では、裏箱１０５５の下方中央領域に備えられ、鉛直方向で上方に移動可能に構成されているが、これに限定解釈されるものではなく、例えば裏箱１０５５の側方に備えられて水平方向に移動可能に構成されていてもよく、また、裏箱１０５５の上方に備えられ、鉛直方向で下方に向けて移動可能に構成されていてもよい。
さらに第六の可動演出役物（演出役物）１７４１を前記第四の可動演出役物１５００と第五の演出役物１５８９と合わせて配設する形態を採用することも可能である。
この場合、前記第四の可動演出役物（一の可動演出役物）１５００を前記出現位置１７４５に移動させてから、前記第五の可動演出役物（他の可動演出役物）１５８９を前記出現位置１７４５まで移動させることにより、前記第四の可動演出役物（一の可動演出役物）を１５００前記第五の可動演出役物（他の可動演出役物）１５８９で囲んだ状態とするとともに、前記第六の可動演出役物（演出役物）１７４１を前記第五の可動演出役物（他の可動演出役物）１５８９によりさらに遊技者側から視認困難とすることが可能である。
なお、本実施形態では、この演出役物の一例として第六の可動演出役物１７４１をもって説明したが、前記第四の可動演出役物（一の可動演出役物）１５００を前記出現位置１７４５に移動させてから、前記第五の可動演出役物（他の可動演出役物）１５８９を前記出現位置１７４５まで移動させる役物を採用する場合において、前記演出役物が前方から視認困難状態に隠されることとなる形態を採用するにあたっては、この演出役物は可動せずに常時視認容易な位置に突出しているものであってもよい。
【０２２８】
＜第七の可動演出役物＞
図８６乃至図８８Ａは、本実施形態で採用する第七の可動演出役物１９００であって、前記第六の可動演出役物１７４１と同じく裏箱１０５５の下方中央領域に配設されて、上下移動することで出没動作による演出を提供するものである（図５８参照）。
例えば、本実施形態の第七の可動演出役物１９００は、裏箱１０５５に取り付け固定される機構ベース１９０１と、機構ベース１９０１に対して上下移動可能に保持される上下スライド機構１９０３で構成されている（図８７参照）。
また、第七の可動演出役物１９００は、前記第六の可動演出役物１７４１に代えて配設される他の実施形態である。なお、第六の可動演出役物１７４１と第七の可動演出役物１９００は、遊技機の可動演出役物の一つとしていずれか一つを選択的に採用するものであるが、遊技機形態によっては二つを併せて採用することも可能で本発明の範囲内で設計変更可能である。
【０２２９】
上下スライド機構１９０３は、出没可能な上下スライド板１９０５と上下スライド板１９０５を駆動せしめる駆動機構１９１５で構成されている（図８７参照）。
【０２３０】
上下スライド板１９０５は、所定形状に形成された装飾部材（レンズ部）１９０７と、装飾部材（レンズ部）１９０７の背面側に配設される導光レンズ部１９０９と、導光レンズ部１９０９の背面側に配設され、前記導光レンズ部１９０９に対向する多数のＬＥＤ１９１２を設けたＬＥＤ基板１９１１と、ＬＥＤ基板１９１１の背面側に配設される裏パネル１９１３で構成されている。
導光レンズ部１９０９には、前記ＬＥＤ基板１９１１のＬＥＤ１９１２と対向する位置に導光孔１９１０が設けられている。従って、各ＬＥＤ１９１２からの光は、導光レンズ部１９０９の各導光孔１９１０から装飾部材（レンズ部）１９０７に照射されて所定の発光演出を行う。
【０２３１】
駆動機構１９１５は、機構ベース１９０１に配設された駆動手段（モータ）１９１７と、モータ１９１７の回転軸に取り付けられるカム機構（モータカム）１９１９と、モータカム１９１９に一端（下端）１９２１ａが軸着されて鉛直方向に備えられるリンク部材１９２１と、一端１９２３ａが上下スライド板１９０５の下端領域１９０５ａに軸着され、他端１９２３ｂが機構ベース１９０１に軸着されて備えられる上下動作アーム１９２３で構成されている。
【０２３２】
上下動作アーム１９２３の長さ方向で中途部位には、前記リンク部材１９２１の他端（上端）１９２１ｂが軸着されている。
そして、上下スライド板１９０５の下端領域１９０５ａには、機構ベース１９０１方向に向けて突出した突起部１９２５，１９２５，１９２５が複数個突設されており、機構ベース１９０１に複数個設けた鉛直方向のスライド溝部１９０１ａ，１９０１ａにそれぞれスライド可能に係止している。
【０２３３】
従って、モータカム１９１９によって上下動作するリンク部材１９２１が機構ベース１９０１に他端１９２３ｂが軸着されて配されている上下動作アーム１９２３の一端１９２３ａを上下動作して上下スライド板１９０５を上下動作させることができる。
すなわち、本実施形態の第七の可動演出役物１９００にあっては、裏箱１０５５の下方中央領域に配設されているため、可動していないときは、遊技者側からみて遊技盤のステージや種々の遊技部材などによって遊技者から視認困難な初期位置１９２７に位置している（図５８，図８８参照）が、可動を開始して上昇移動させると、所定形状を有する上下スライド板１９０５が、前記ステージなどの背面側から視認容易な出現位置１９２９に移動する（図８６，図８８Ａ参照）。
【０２３４】
また、本実施形態では、このカム機構１９１９にフォトセンサ１９２２を備えて初期位置の検出を行なうものとしている（図８７乃至図８８Ａ参照）。
【０２３５】
＜第八の可動演出役物＞
図８９乃至図９０Ａは、本実施形態で採用する第八の可動演出役物１９５０であって、裏箱１０５５の内面で遊技機の正面から見て向かって左側に配設され、遊技機の中央方向に向けて回動動作することで出没演出を提供するものである（図５７乃至図６０参照）。
【０２３６】
裏箱１０５５に取り付けられる機構裏ベース１９５１及び機構前ベース１９５２と、機構前ベース１９５２の前面側の上部領域に配設された駆動手段（モータ）１９５３と、駆動手段（モータ）１９５３の回転軸に連結され、機構裏ベース１９５１と機構前ベース１９５２の間に配設されたカム機構（モータカム）１９５５と、機構裏ベース１９５１と機構前ベース１９５２の間に配設されるとともに、前記カム機構（モータカム）１９５５に一端１９５７ａが軸着（軸着部分を符合１９５７ｃで示す）されてモータ１９５３の回転動作を上下方向の進退動作に変換するリンク部材１９５７と、機構裏ベース１９５１と機構前ベース１９５２の間に下端１９５９ａ側が配設され、リンク部材１９５７の他端１９５７ｂに軸着（軸着部分を符合１９５７ｄで示す）されて回動動作をする装飾部材１９５９を含んで構成されている（図８９乃至図９０Ａ参照）。
図８９にて符合１９６２で示す部材は図示しないハーネスを保持するハーネスホルダーを示し、符号１９６４は図示しないＬＥＤ基板と接続される中継基板を示し、符合１９５４は機構前ベース１９５２の前面に貼り付けられるベースシールを示す。
リンク部材１９５７の一端１９５７ａとモータカム１９５５の軸着部分１９５７ｃは、機構裏ベース１９５１に設けられた溝１９５１ｂ内を摺動可能に案内されている。
なお、前記機構裏ベース１９５１と機構前ベース１９５２は、透光性を有するものであるが、ベースシールが非透光性を有するものであるため、前方からでは機構裏ベース１９５１と機構前ベース１９５２の間に配された機構が視認困難になっている。
【０２３７】
装飾部材１９５９の下端１９５９ａとリンク部材１９５７の他端１９５７ｂの軸着部分１９５７ｄは、機構裏ベース１９５１に設けられた溝１９５１ａ内を摺動可能に案内されている。
そしてその軸着部１９５７ｄよりも上端側には所定の錘１９６１が一体に備えられており、装飾部材１９５９を初期位置（視認困難な位置）１９６３に戻す際の補助として錘１９６１が機能している。
【０２３８】
モータカム１９５５が所定方向（図９０及び図９０Ａにて反時計回り方向）に回動し、リンク部材１９５７が上方に移動動作すると、他端１９５７ｂが上方に移動するためそれに従って、軸着部１９５７ｄを中心にして装飾部材１９５９が時計回り方向に回動して、初期位置１９６３（図９０の状態）から視認容易な出現位置１９６５（図９０Ａの状態）に移動する。
【０２３９】
また、本実施形態では図示は省略するが、この第八の可動演出役物１９５０にあっては、装飾部材１９５９が透過性材にて形成され、かつ内部に図示しない所定数のＬＥＤを実装するＬＥＤ基板を配設して構成しており、所定条件の下に装飾部材１９５９を出現位置１９６５に所定時間留めておく際に、装飾部材１９５９を発光させて演出表示するものとする。この場合、発光形態は点灯であっても点滅であってもよい。
【０２４０】
なお、初期位置１９６３に戻すときはモータ１９５３を逆回転させれば、リンク部材１９５７が下方に動作し、他端１９５７ｂが下方に移動するため、それに従って、軸着部を中心にして装飾部材１９５９が反時計回り方向に回動して、出現位置１９６５から初期位置１９６３に移動する。
【０２４１】
また、本実施形態では、このカム機構１９５５にフォトセンサ１９７１を備えて初期位置の検出を行なうものとしている（図８９乃至図９０Ａ参照）。
【０２４２】
＜大入賞口＞
図９１は、本実施形態の遊技機に備えられる大入賞口１０１１の拡大概略図である。
本実施形態の大入賞口１０１１は、ソレノイド１９８０によってプランジャ１９８１を作動させて開閉扉１９８３の開閉操作を行なう大入賞口１０１１において、プランジャ１９８１を真鍮製にした点に特徴を有している。図中１９８４は球通路、１９８５はセンサを示す。大入賞口１０１１は、開閉扉１９８３を開閉動作することにより、球通路１９８内への遊技球の進入を可能としており、進入した遊技球をセンサ１９８５により検知する。すなわち、本実施形態において、プランジャ１９８１を真鍮製にすることによってソレノイド１９８０からの磁力がプランジャ１９８１に滞留することがなく、開閉扉１９８３の誤作動を生じさせる虞がない。
【０２４３】
＜第四の発光演出手段＞
本実施形態では第四の発光演出手段１９９０として、所定の発光装飾部材を備えている（図５７、図５９、図６０、図８６及び図９２参照）。なお、図５７、図５９、図６０、図８６にて、第四の発光演出手段１９９０が遊技盤１の前面に備えられているように記載されているが、これは本発明を構成する遊技盤１が透明遊技盤を使用していることから、透明遊技盤を介して裏箱に備えた第四の発光演出手段１９９０が透けて見えている状態を表している。
【０２４４】
第四の発光演出手段１９９０は、非透過性で所定形状の外装部材１９９１と、外装部材１９９１の中央の窓部（開口）１９９１ａに対応する背面側に設けられるハーフミラー１９９３と、ハーフミラー１９９３の背面側に設けられる所定の図柄を模したシート部材１９９５と０、シート部材１９９５の背面側に設けられるリフレクタ１９９７と、リフレクタ１９９７の背面側に設けられるＬＥＤ基板１９９９で構成されている。
このような構成を採用したことにより、ＬＥＤ基板１９９９の非発光時にはハーフミラー１９９３によって窓部１９９１ａが鏡面状になっているだけであるが、発光時にはシート部材１９９５に模した画像がハーフミラー１９９３を介して窓部１９９１ａから発光表示されるため遊技の興趣が向上する。
なお、外装部材全体を透過性材料で形成するものであってもよく、この場合は外装部材の背面全体にわたってハーフミラーを設けるものとしてもよい。
【０２４５】
＜第五の発光演出手段＞
また、本実施形態では、遊技盤１の向かって右側の側面領域に第五の発光演出手段２０００として所定の発光装飾部材を備えている（図５７、図５９、図６０、図８６及び図９３参照）。
【０２４６】
第五の発光演出手段２０００は、非透過性で所定形状のキャラクタ外装部材２００１，２００２，２００４と、キャラクタ外装部材２００１等の近傍に配設される非透過性で所定形状の装飾部材２００６，２００８と、キャラクタ外装部材２００１の下に設けられるハーフミラー部２００７と、キャラクタ外装部材２００１の背面側に設けられるリフレクタ２００３と、ハーフミラー部２００７の背面側に設けられるＬＥＤ基板２００９と、キャラクタ外装部材２００１などの背面側に設けられる後装飾部材（レンズ部材）２００５とで構成されている。本実施形態においてリフレクタ２００３には、「山」の装飾文字が導光部として備えられている。
このような構成を採用したことにより、ＬＥＤ基板２００９に備えられているＬＥＤ２００９ａの非発光時には、ハーフミラー部２００７が鏡面状になっているだけであるが、発光時にはリフレクタ２００３の「山」の装飾文字がハーフミラー部２００７を介して視認可能に発光表示されるため遊技の興趣が向上する。
なお、キャラクタ外装部材２００１の全体を透過性材料で形成するものであってもよく、また、キャラクタ外装部材の背面全体にわたってハーフミラーを設けるものとしてもよい。
【０２４７】
＜第六の発光演出手段＞
また、本実施形態では、遊技盤１の向かって右上方領域に第六の発光演出手段２０１１として所定のロゴを模した発光装飾部材を備えている（図５７、図５９、図６０、図８６及び図９４参照）。
【０２４８】
第六の発光演出手段２０１１は、ロゴの外郭を模した中空状のカバー部材２０１３と、そのカバー部材２０１３の内面に組み込まれ、後述するレンズ部材２０１７の縁取りをするフレーム２０１５と、フレーム２０１５の背面側に設けられ、後述するインナーレンズ２０１９で導光された光を受けて発光演出するレンズ部材２０１７と、レンズ部材２０１７の背面側に設けられ、後述するスペーサ２０２３を介して導光された光を受けて前方のレンズ部材２０１７へと導光するインナーレンズ２０１９と、インナーレンズ２０１９の背面側に設けられ、後述する拡散シート２０２５からの光を前方のインナーレンズ２０１９へと導光するスペーサ２０２３と、スペーサ２０２３の背面側に設けられ、後述するＬＥＤ基板２０２７のＬＥＤ２０２７ａからの光を拡散して前方に照射する拡散シート２０２５と、拡散シート２０２５の背面側に設けられ、複数のＬＥＤ２０２７ａを備えたＬＥＤ基板２０２７とで構成されている。
この第六の発光演出手段２０１１によれば、ＬＥＤ基板２０２７のＬＥＤ２０２７ａを所定の発光態様で発光（点灯・点滅）させることにより、レンズ部材２０１７を介して所定のロゴ形態を前方から発光表示可能であって、他の演出（可動演出役物や発光演出役物など）と組み合わせて適宜発光演出することも可能であり本発明の範囲内で設計変更可能である。
「第三実施形態」
【０２４９】
図９５乃至図１４５、本発明の第三実施形態に係るパチンコ遊技機を示す。前記実施形態と同一の箇所には同一の符号を付してその説明を省略する。
【０２５０】
＜遊技機全体の概略構成＞
図１、図２及び図９５至図１０７示すように、本実施形態に係るパチンコ遊技機は、遊技球が転動流下可能な遊技領域を有する遊技盤１（図９９及び図１００が着脱可能に設けられた本体枠ベース板２ａ（本体枠ベースともいう）を備えた本体枠２（図９７及び図９８参照）と、遊技盤を視認可能な開口部３ｈ（以下、表枠開口部という）が設けられた表枠ベース板３ａ（表枠ベースともいう）を備え、本体枠２の前方（遊技者側）において当該本体枠２により回動可能に支持された表枠３（図２及び図９５参照）と、所定の演出表示を行うための液晶表示装置４（図１０１参照）が着脱可能に設けられた後枠ベース板５ａ（後枠ベースともいう）を備え、本体枠２の後方（反遊技者側）において当該本体枠２により回動可能に支持された後枠５とを備えている（図１０１及び図１０２参照）。
【０２５１】
この場合、本実施形態に係るパチンコ遊技機は、外枠６を介して島設備（図示しない）に取り付けられており、その状態において、上記した本体枠２は、本体枠ヒンジ２ｂを介して外枠６に回動可能に支持されている。なお、図１には、表枠３が本体枠２に対して閉じられているとともに、本体枠２が外枠６に対して閉じられた状態が示されており、かかる状態において、後枠５（図１０１及び図１０２参照）は、外枠６内に収容されるため、図示されていない。
【０２５２】
＜表枠３＞
表枠３は、表枠ベース板３ａと、表枠ベース板３ａに備えられる種々の表枠構成部材を含み、表枠構成部材には、透明板ユニット７、皿ユニット８、操作ユニット９、スピーカ１０ａ及び１０ｂ、各種装飾部材（トップ飾り１４、右側装飾部材１５、左側装飾部材１６）などがある。なお、表枠構成部材はこれらに限定されるものではなく、表枠３を構成する部材は全て含まれるものである。また、皿ユニット８にあっては、後述する係止構造を介して表枠ベース板３ａにそれぞれのカバー部材（上皿上部カバー８ａ、下皿カバー８ｂなど）を係止により取り付けている。
【０２５３】
当該表枠３において、上記した表枠開口部３ｈには、透過性を有する透明板ユニット７（保護ガラスともいう）が設けられている。
透明板ユニット７は、表枠３に備えられた表枠ベース板３ａに設けた表枠開口部３ｈ（窓部）に対して、表枠ベース板３ａの裏面側（背面側）から着脱自在に取り付けられており、当該表枠３を本体枠２に対して閉じた状態において、遊技盤１の表面（前面）側に対向し、かつその表面（前面）側を覆うように構成されている。
【０２５４】
また、表枠３には、表枠開口部３ｈの上方両側に、音による演出を行うためのスピーカ１０ａ,１０ｂが設けられており、各スピーカ１０ａ,１０ｂの背面側は、当該表枠３の裏面（図９５参照）に設けられたカバー部材１１ａ,１１ｂによって覆われている。この場合、各カバー部材１１ａ,１１ｂに、例えばハーネスやコード等の各種配線１２ａ,１２ｂを保持するための配線保持機構を設けることが好ましい。
【０２５５】
なお、図９５には、配線保持機構の一例として、当該配線を各カバー部材１１ａ,１１ｂとの間で挟持して保持する保持片１３ａ,１３ｂを設けた構成を示したが、かかる構成に限定されることはなく、これ以外の方法として、例えば、粘着テープ（図示しない）で各種配線１２ａ,１２ｂを各カバー部材１１ａ,１１ｂに保持させる方法や、ワッシャ付きネジ（図示しない）を各カバー部材１１ａ,１１ｂに締結することで、各種配線１２ａ,１２ｂをワッシャと各カバー部材１１ａ,１１ｂとの間に保持させる方法などを適用することもできる。
【０２５６】
また、表枠３の表面（前面）（図１及び図２参照）には、表枠開口部３ｈを囲むように、当該遊技機の美観を向上させるための装飾部材が設けられている。なお、装飾部材の一例として、表枠開口部３ｈの上側には、後述するパトランプ役物を内蔵したトップ飾り１４が設けられているとともに、表枠開口部３ｈの左右には、発光表示態様を変化させることが可能な右側装飾部材１５（例えば、右上レンズ１５ａ、右中レンズ１５ｂ、右パネルカバー１５ｃなど）と、左側装飾部材１６（例えば、左アウターレンズ１６ａなど）とが設けられている。
【０２５７】
さらに、右側および左側装飾部材１５,１６の内方には、後述するサブ制御基板３３（図１０２参照）によって制御される発光手段（例えば、ＬＥＤ等）が設けられている（図示省略）。この場合、発光手段（ＬＥＤ）から発せられた光を右側および左側装飾部材１５,１６に照射すると、当該右側および左側装飾部材１５,１６から美観に優れた例えば放射光や拡散光などを発生させることができ、これにより、光による表示態様に変化を与えることができるため、遊技に対する興趣を向上させることができる。
【０２５８】
さらに、表枠３の表面（前面）には、表枠ベース板３ａの表枠開口部３ｈの下側に、皿ユニット８が設けられており、当該皿ユニット８は、貸出球や賞球を貯留するための上皿１７と、上皿１７の下方側に設けられ、例えば上皿１７が満杯時に溢れた遊技球などを貯留することが可能な下皿１８とが設けられている。
【０２５９】
下皿１８は、遊技球を貯留可能な下皿本体１８ｐと、下皿本体１８ｐの上部を覆うように取り付けられた下皿カバー８ｂとを備えている。
一方、上皿１７は、遊技球を貯留可能な上皿本体１７ｐと、上皿本体１７ｐの上部を覆うように表枠ベース板３ａに対して着脱可能に取り付けられた上皿上部カバー８ａと、上皿１７の美観を向上させるための上皿装飾部材とを備えている。なお、上皿装飾部材の一例として、上皿本体１７ｐには、上皿上部カバー８ａを囲むように、上皿左飾り１７ａ、上皿前飾り１７ｃなどが設けられており、上皿前飾り１７ｃは、上皿上部カバー８ａの左側から前側を経由し、右側へ向かう途中から下皿１８に向けて屈曲した形状を成している。
【０２６０】
表枠ベース板３ａには、上皿１７に貯留された遊技球を表枠ベース板３ａの背面側に排出する排出口１９（図１１２参照）と、排出口１９から排出された遊技球を下皿１８に供給する供給口２０（図２参照）とを備え、表枠ベース板３ａの背面側には、排出口１９と供給口２０とを連通させて球通路２１を構成する球通路カバー２１ａ（図９５参照）を備えている。ここで、上皿上部カバー８ａに設けられた球抜きボタン２２（図１参照）を押すと、上皿１７に貯留された遊技球が排出口１９から球通路２１、供給口２０を介して下皿１８へと送られる。
【０２６１】
また、本実施形態では、遊技機の前面の装飾にメッキ部材を使用しており、上皿１７の前面部分を装飾する上皿前飾り１７ｃにもメッキ部材１７ｂを使用している（図１、図２）。このメッキ部材１７ｂの使用により遊技機外観デザインの装飾効果を高めて遊技者の興趣の向上を図っている。
【０２６２】
また、上皿上部カバー８ａには、球貸しを受けるための球貸ボタン２３、図示しない球を貸し出すためのカードユニット装置からカードを返却するための返却ボタン２４などのほか、所定の遊技中に遊技者が操作（回転操作、押圧操作）することで各種演出の表示態様に変化を与えるための操作ユニット９が設けられている。なお、操作ユニット９の配置構成（位置、向き）について、特に制限はないが、図面では一例として、上皿上部カバー８ａから垂直方向に突出させて構成配置された操作ユニット９が示されている。
【０２６３】
なお、表枠３については、その表面（前面）のうち（図１及び図２参照）、遊技者側から向かって左側（すなわち、本体枠２に回動可能に支持されている側）における部分に、例えばピアノ線など不正部材（図示しない）を侵入させ、その近傍裏側における当該表枠３の裏面に構築された各種構成に対して、当該不正部材（ピアノ線）による不正行為が行われる事態を想定することができる。
【０２６４】
そこで、かかる不正行為を未然に防止するために、表枠３の裏面において、上記した不正部材による侵入行為が行われる部分には、配線保持機能付きカバー部材２５（図９５及び図９６参照）が設けられている。配線保持機能付きカバー部材２５は、ハーネス等の配線を保持する配線保持部２５ａと、表枠３の裏面に構築された基板（図示しない）を被覆する基板被覆部２５ｂと、例えばピアノ線等の不正部材の侵入を防止する不正防止部２５ｃとを一体化させて構成されている。これによれば、配線保持、基板被覆部、不正防止の３つの機能を兼ね備えた単体の配線保持機能付きカバー部材２５を実現することができるため、これら各機能毎の部材をそれぞれ別個に用意する必要がなくなるため、その分だけ低コスト化を図ることができる。
【０２６５】
＜本体枠２＞
本体枠２は、本体枠ベース板２ａと、本体枠ベース板２ａに備えられる種々の本体枠構成部材を含み、本体枠構成部材には、遊技盤１、発射装置２６、スピーカ１０ｃ、各種制御基板・中継基板などがある。本体枠構成部材はこれらに限定されるものではなく、本体枠２を構成する部材は全て含まれるものである。
【０２６６】
当該本体枠２において、上記した表枠開口部３ｈに対向した本体枠ベース板２ａの所定位置に、当該表枠開口部３ｈとほぼ同形状を成した開口部２ｈ（以下、本体枠開口部という）が設けられているとともに、当該本体枠ベース板２ａの表面（前面）（図９７参照）において、本体枠開口部２ｈの右下側（以下、本体枠ベース板２ａの表面右下側という）には、遊技球を発射するための発射装置２６が設けられている（図１及び図２、図９７参照）。
【０２６７】
発射装置２６は、当該発射装置２６を本体枠ベース板２ａの表面右下側に配設するためのパネル体２６ａと、パネル体２６ａの前面側に配設された発射ハンドル２６ｂと、パネル体２６ａの背面側に対向した本体枠ベース板２ａの表面右下側に配設され、遊技球を発射するための駆動装置２６ｆとを備えて構成されている（図９７参照）。
【０２６８】
なお、上記した表枠３の右下側には、当該発射装置２６（パネル体２６ａ、発射ハンドル２６ｂ）を遊技者側に露出させるための切り欠き３ｐ（図１及び図２参照）が施されている。この場合、上記した表枠３を本体枠２に対して閉じると、発射装置２６（パネル体２６ａ、発射ハンドル２６ｂ）は、当該表枠３の切り欠き３ｐを介して露出し、上記した皿ユニット８に隣接して位置付けられ、その状態において、当該発射装置２６（パネル体２６ａ、発射ハンドル２６ｂ）と皿ユニット８とは、相互に連続して一体化されているかの如き美的外観を呈する（図１及び図２参照）。
【０２６９】
発射ハンドル２６ｂは、支持部（収容ケース）２６ｃと、支持部（収容ケース）２６ｃに対して回動自在に取り付けられ、時計回り・反時計回り方向に回転可能なハンドルグリップ２６ｄと、支持部（収容ケース）２６ｃ内に備えられ、遊技球の発射を停止させる発射停止スイッチ（検知手段ともいう）２６ｇと、支持部（収容ケース）２６ｃ内に備えられ、このスイッチをＯＮ／ＯＦＦ操作する発射停止ボタン２６ｅ（操作部材ともいう）と、ハンドルグリップ２６ｄの開口上を覆うように配設されるハンドルキャップ２６ｈとを備えている（図１、図２、図９７参照）。
【０２７０】
この場合、発射ハンドル２６ｂのハンドルグリップ２６ｄを時計回り方向に回転させると、その回動量（回転角度）に応じて駆動装置２６ｆの駆動力が増減変更され、そのときの駆動力によって、上皿１７に貯留されている遊技球が、遊技盤１の遊技領域１ｐ（図９６、図９８参照）に向けて打ち出されることになる。このとき、発射停止ボタン２６ｅを操作すると、駆動装置２６ｆが停止制御され、これにより、遊技球の発射を停止させることができる。
【０２７１】
なお、本実施形態において、発射停止スイッチ２６ｇの検知結果に基づいた制御などの発射ハンドル２６ｂの操作制御にあっては、主制御基板２８（図１００参照）に接続されている払出・発射制御基板３４が行なう（制御手段）。図中、２６ｉはハンドル軸、２６ｊは支持部（収容ケース）２６ｃに一端２６ｊ-1を固定し、他端２６ｊ-2をハンドルグリップ２６ｄに固定してなるバネ部材で、このバネ部材２６ｊによってハンドルグリップ２６ｄを、常時、開始時点方向へと付勢させているため、遊技者はこのバネ部材２６ｊの弾性に抗してハンドルグリップ２６ｄを時計回り方向に回転させて遊技球を発射させる（図１２０及び図１２１参照）。
【０２７２】
また、遊技者が遊技を中断してハンドルグリップ２６ｄから手を離すと、ハンドルグリップ２６ｄはバネ部材２６ｊの弾性によって開始時点位置に戻される。このとき、ハンドルグリップ２６ｄの突起（図示しない）によって発射停止ボタン２６ｅが押されて遊技球の発射が停止される。
【０２７３】
ここで、遊技球の発射強度を増減変更させる方法として、発射ハンドル２６ｂのハンドルグリップ２６ｄの回動量（回転角度）に応じて、発射ボリューム（図示しない）の抵抗値を変化させ、これにより、発射ソレノイド（図示しない）に供給する電力を変化させることで、遊技球の発射強度を増減変更させているものも知られているが、本実施形態では、発射ハンドル２６ｂのハンドルグリップ２６ｄの回動操作と連動する図示しない発射用ばね（図示しない）と、発射用ばねの巻き上げ（締め上げ）用ギア機構とが用いられており、発射ハンドル２６ｂのハンドルグリップ２６ｄの回動量によって巻き上げ用ギア機構の回転量が調整されて発射用ばねの巻き上げ（締め上げ）の程度を強めたり弱めたりすることで、遊技球の発射強度を増減変更させている。
【０２７４】
具体的に説明すると、発射ハンドル２６ｂのハンドルグリップ２６ｄを回動操作すると、そのときの回転量がギア機構を介して発射用ばねに伝達され、当該発射用ばねが巻き上げ（締め上げ）られ、その結果、当該発射用ばねの戻り力（復元力）が強められる。これにより、遊技球の発射強度を高めることができる。なお、遊技球の発射強度を弱めたい場合には、発射ハンドル２６ｂのハンドルグリップ２６ｄを逆回転させ、発射用ばねの巻き上げ（締め上げ）の程度を緩めればよい。
【０２７５】
ところで、本実施形態において、遊技盤１は、本体枠ベース板２ａの裏面（図９７参照）から着脱可能に取り付けられる構造を採用している。具体的に説明すると、本体枠ベース板２ａの裏面には、本体枠開口部２ｈの周囲に沿って複数の留め具２７ａ乃至２７ｅが回動自在に設けられており、遊技盤１の表面（遊技領域１ｐが構成された前面）を本体枠ベース板２ａの裏面に対向させつつ、当該遊技盤１を本体枠開口部２ｈに沿って位置付けた後、各留め具２７ａ乃至２７ｅを回動させてその一部を遊技盤１に係合させることで、遊技盤１が各留め具２７ａ乃至２７ｅと本体枠ベース板２ａの裏面との間で挟持された状態となり、これにより、遊技盤１を本体枠ベース板２ａの裏面に着脱可能に取り付けることができる。
【０２７６】
なお、遊技盤１には、後枠５に設けられ、所定の演出表示を行うための液晶表示装置４上で演出表示される表示態様を視認可能な開口部１ｈ（以下、遊技盤開口部）が設けられており、遊技盤１の表面（前面）（図９７、図９９参照）には、当該遊技盤開口部１ｈを含めた領域に亘って、遊技球が転動流下可能な遊技領域１ｐが構成されているとともに、遊技盤１の裏面（図１００参照）には、当該遊技盤開口部１ｈを回避した位置に、主制御基板２８がケース２８ｋに収容された状態で設けられている。
【０２７７】
また、本実施形態において、遊技盤開口部１ｈの裏面側には、当該遊技盤開口部１ｈを装飾するための開口装飾枠２９が設けられており、当該開口装飾枠２９は、回動・揺動・旋回可能に構成されている（図１００参照）。これにより、遊技の演出状況に応じて、当該開口装飾枠２９を所定方向（例えば、図１００の実線と二点鎖線とで示す方向）に回動・揺動・旋回させることで、遊技に対する興趣を飛躍的に向上させることができる。
【０２７８】
また、遊技領域１ｐ（図９７、図９９参照）には、遊技盤開口部１ｈを囲むように各種装飾部材が設けられ、さらに、当該遊技盤開口部１ｈの下方には、複数の一般入賞口３０や、遊技球の入球を契機として、特別図柄の可変表示が実行される始動入賞口３１などの各種遊技部材が設けられている。
【０２７９】
主制御基板２８には、中継基板３２（図８参照）を介して、サブ制御基板３３や払出・発射制御基板３４が接続されている。なお、サブ制御基板３３や払出・発射制御基板３４は、後述する後枠５（図１０２参照）に設けられている。この場合、サブ制御基板３３は、主制御基板２８から供給される各種のコマンドに応じて、上記した液晶表示装置４における表示制御、上記したスピーカ１０ａ乃至１０ｃから発生させる音声に関する制御、上記した右側装飾部材１５や左側装飾部材１６などを含む各種ＬＥＤの制御を行う。また、払出・発射制御基板３４には、上記した発射装置２６や、遊技球の払出を行う払出装置３５（図１０２乃至図１０７参照）などが接続されている。
【０２８０】
ここで、上記した発射装置２６から発射された遊技球は、ガイドレールに沿って案内された後、遊技領域１ｐの上部側に流出される。この場合、ガイドレールは、外レール３６（図９７及び図９８参照）と、当該外レール３６の内側に沿って対向配置された内レール３７（図９７、図９９参照）とを備えている。
【０２８１】
本実施形態において、内レール３７は、遊技盤１と一体に構成され（図９７、図９９参照）、外レール３６は、遊技盤１とは別体で構成され、本体枠２に対して一体に構成されている（図９７及び図９８参照）。具体的には、外レール３６は、本体枠ベース板２ａの本体枠開口部２ｈに沿って設けられており、上記したように遊技盤１を本体枠２の裏面（図５参照）に着脱可能に取り付けると、その状態で、外レール３６の内側に沿って内レール３７が対向配置されたガイドレールが構成されることになる。
【０２８２】
この場合、発射装置２６から発射され、遊技領域１ｐの上部側に流出した遊技球が、複数の遊技釘（図示しない）などに衝突しながら転動流下し、例えば一般入賞口３０に入賞したとすると、これを検知した信号が主制御基板２８に供給される。このとき、主制御基板２８（図１００参照）から所定数の遊技球の払い出しを命ずるコマンドが払出・発射制御基板３４（図１０２参照）に出力され、その払い出しコマンドに基づいて、払出・発射制御基板３４（図１０２参照）が払出装置３５を制御することで、当該払出装置３５から所定数の遊技球が払い出されて、上記した上皿１７に供給されることになる。
【０２８３】
また、払出・発射制御基板３４は、遊技中において、遊技者によって発射ハンドル２６ｂのハンドルグリップ２６ｄが回転されると、その回転量（回転角度）に応じて駆動装置を駆動し、上皿１７に貯留されている遊技球を発射させる制御を行う。
【０２８４】
以上、本実施形態によれば、従来は遊技盤にガイドレール（外レール、内レール）が一体化されており、遊技盤の交換の際には、必ず外レールと内レールの双方のレールも同時に交換せざるをえなかったところ、外レール３６を遊技盤１とは別体で構成したことで、遊技盤１の交換の際、従来のように外内レール３６,３７の双方を同時に交換する必要がなく、内レール３７の交換のみで済むため、当該交換作用の簡単化・低コスト化を実現することができる。
【０２８５】
さらに、従来のように遊技盤に外内レールの双方を備えていた形態の場合、遊技盤を本体枠に取り付けたとき、本体枠に既に取り付けられている発射装置との位置合わせが極めて重要となる。このとき、発射装置とガイドレールの位置が微妙にずれていたりすると、球飛びが不安定となる虞がある。したがって、従来の遊技機形態の場合、遊技盤の取付、遊技盤に備えられるガイドレールの位置や角度、そして、本体枠に備えられる発射装置の位置などの関係を十分に考慮に入れて設計・設置をしなければならず、製造・取付が面倒であるとともにコスト高騰を招く虞があった。
【０２８６】
そこで、本実施形態では、上記のように外レール３６は、発射装置２６とともに本体枠２の本体枠ベース板２ａに取り付ける構成を採用しているため、発射装置２６とガイドレール（外レール３６）とが同じ場所に取り付けられることとなり、それぞれの位置合わせが簡単かつ正確に行ない得ることとなる。よって、球飛びが大変安定することとなり、遊技者にストレスを与えることもなく大変有用な作用効果を奏することができる。
【０２８７】
また、本実施形態では、上記特有の作用効果の実行を図るため、本体枠ベース板２ａに備えられる遊技盤１を着脱自在に留める留め具２７ａ乃至２７ｅの数についても考慮した。すなわち、本実施形態によれば、本体枠ベース板２ａに、発射装置２６とともにガイドレール（外レール３６）を一緒に備える形態を採用することで、球飛びの安定を図っているが、遊技盤１自体が本体枠２（本体枠ベース板２ａ）に対して強固に密着して取り付けられていないと、ガイドレールの位置（具体的には、外レール３６と内レール３７の対向位置）がずれてしまい、球飛びの安定といった本実施形態特有の作用効果の実行が図れなくなってしまう。特に本体枠ベース板２ａの歪みなどが生じていたりするとこの不具合が顕著に表れてしまい上記特有の作用効果が達成できなくなってしまう。
【０２８８】
そこで、本実施形態では、留め具２７を、本体枠ベース板２ａの遊技盤１の上下四隅に対向する位置にそれぞれ備え、この四箇所の留め具２７ａ乃至２７ｄで本体枠ベース板２ａの裏面に強固に密着させて挟持するとともに、少なくとも遊技盤１の下側の中央付近を本体枠ベース板２ａに密着固定させるため、本体枠ベース板２ａの所定位置に一箇所留め具２７ｅを備え、遊技盤１の内レール基端領域を本体枠ベース板２ａに押し付けて密着固定させている。これにより、ガイドレールの位置（本体枠２にある外レール３６と、遊技盤１にある内レール３７の対向位置）がずれてしまうという不具合も生じず、球飛びの安定といった本実施形態特有の作用効果の実行が達成し得る。
【０２８９】
また、従来では、遊技盤１の裏側に液晶表示装置４を直接配設する形態を採用することが多かった。しかしながら、かかる構成では、遊技盤１の交換・廃棄にあたり、液晶表示装置４も一緒に交換・廃棄することとなり、コスト高騰を招いていた。これに対して、本実施形態では、本体枠２に遊技盤１、その裏側の後枠５に液晶表示装置４を配設する別枠構成を採用しているため、遊技盤１を安価にでき、かつ液晶表示装置４の再利用が可能である。
【０２９０】
また、本体枠２には、本体枠開口部２ｈの下部中央に、音による演出を行うためのスピーカ１０ｃが設けられている。なお、このスピーカ１０ｃから発せられた音は、表枠３の皿ユニット８の部位（具体的には、上皿１７と下皿１８との間の部位）に設けられたスピーカカバー１０ｋ（図１、図２及び図９５参照）を通して放出されるようになっている。
【０２９１】
ここで、当該スピーカ１０ｃの背面側は、本体枠２の裏面（図６参照）に設けられたカバー部材３８によって覆われているが、この場合、カバー部材３８に、例えばハーネスやコード等の各種配線３９を保持するための配線保持機構を設けることが好ましい。なお、図９８には、配線保持機構の一例として、当該配線３９を各カバー部材３８との間で挟持して保持する保持片４０を設けた構成を示したが、かかる構成に限定されることはなく、これ以外の方法として、例えば、粘着テープ（図示しない）で各種配線３９を各カバー部材３８に保持させる方法や、ワッシャ付きネジ（図示しない）を各カバー部材３８に締結することで、各種配線３９をワッシャと各カバー部材３８との間に保持させる方法などを適用することもできる。
【０２９２】
ところで、本体枠２には、上記した遊技盤１をはじめ、遊技機にとって重要な電気部品（例えば、発射装置２６、主制御基板２８、中継基板３２など）が設けられている。このため、本体枠２が外枠６（図１参照）から簡単に開錠されないようにすることが求められている。また、当該本体枠２は、本体枠ヒンジ２ｂ（図１参照）を介して外枠６に回動可能に支持されており、上記した発射装置２６のバネル体２６ａの上部右側に設けられた本体枠開閉用キー穴４１（図１、図２及び図９７参照）に、所定の開閉キー（図示しない）を挿入し回転させることで、本体枠２を外枠６から開くことができる。
【０２９３】
この場合、例えば本体枠開閉用キー穴４１やその近傍から例えばピアノ線などの不正器具（又は、不正部材）を、本体枠２の裏面に侵入させ、本体枠開閉用キー穴４１の奥方側に構築された施錠装置（図示しない）に直接アクセスさせることで、当該施錠装置を開錠させるといった不正行為が想定される。
そこで、本体枠２が簡単に開かない（すなわち、施錠装置が簡単に開錠されない）ようにするため、本体枠２の裏面（図９８参照）において、施錠装置は、その周囲全体がカバー部材４２によって覆われている。これにより、上記したような不正行為を未然に防止することができる。
【０２９４】
＜後枠５＞
後枠５は、後枠ベース板５ａと、後枠ベース板５ａに備えられる種々の後枠構成部材を含み、後枠構成部材には、液晶表示装置４を含む各種電気部品などがある。なお、後枠構成部材はこれらに限定されるものではなく、後枠５を構成する部材は全て含まれるものである。
【０２９５】
図１０２に示すように、後枠５において、後枠ベース板５ａには、各種電気部品（液晶表示装置４、サブ制御基板３３の他、サブ制御基板３３に対する信号の受け渡しを行うサブ中継基板４３、遊技の演出に関するプログラムが記憶されたサブＲＯＭ中継基板４４、電力を供給する電源基板４５など）が備えられている。
【０２９６】
この場合、後枠５には、上記した表枠開口部３ｈおよび本体枠開口部２ｈ並びに遊技盤開口部１ｈに対向した位置に、液晶表示装置４が設けられている。具体的には、当該液晶表示装置４は、本体枠２の裏面に対向した位置において、後枠５の後枠ベース板５ａの表面（前面）に着脱可能に設けられている（図１０１参照）。この場合、液晶表示装置４は、主制御基板２８からのコマンドに基づきサブ制御基板３３によってその表示態様が制御される。例えば、本実施形態では、液晶表示装置４として、液晶ディスプレイ（ＬＣＤ ：Liquid Crystal Display）が想定されている。
【０２９７】
また、後枠５において、上記した液晶表示装置４、サブ制御基板３３、サブＲＯＭ中継基板４４、サブ中継基板４３、払出・発射制御基板３４、電源基板４５などは、それぞれ、不正防止・破損防止などを図るため所定形状の電気部品収容部材４ａ，３３ａ，４４ａ，４３ａ，３４ａ，４５ａに収容させることが好ましい。
【０２９８】
電気部品収容部材４ａ，３３ａ，４４ａ，４３ａ，３４ａ，４５ａは、本実施形態では透明な合成樹脂材をもって内部確認可能に構成されており、各種電気部品を収容する第一の面部６０と、その背面側（反対側の面）である第二の面部６１とを有している。
なお、特に図示しないが、それぞれの電気部品はコネクタを備え、所定の配線（例えば、複数本の電線が束になった組電線、いわゆるハーネス）５１５を介して電気的に接続されている。配線５１５は一端にコネクタを配し、そのコネクタを所定の電気部品のコネクタに接続している。
【０２９９】
また、本実施形態では、前記配線を保持する配線保持部材（ハーネスケースともいう）５００を備えたことも特徴の一つである（図１２５乃至図１２８参照）。
【０３００】
なお、本実施形態では、裏ユニットを構成するサブ制御基板３３、サブ中継基板４３、サブＲＯＭ中継基板４４を、それぞれ、液晶表示装置４を収容する電気部品収容部材（液晶ブラケット）４ａの第二の面部（背面）６１に横方向に一列に並べて備えており、それぞれはコネクタ同士を直接接続している形態（Board to Board）を採用している。また、本実施形態では、サブ制御基板３３、サブ中継基板４３、サブＲＯＭ中継基板４４を、図示しない単一の透明カバー部材によって開閉可能に覆っている。
【０３０１】
本実施形態では、上記電気部品収容部材（液晶ブラケット）４ａを、後枠５の後枠ベース板５ａに対して、着脱自在に備える構成としている。
電気部品収容部材（液晶ブラケット）４ａは、長手方向の一端側に差込み片（図示しない）を所定間隔をあけて一対突設し、他端側には、ネジ止め可能なネジ止め片４ａ-1，４ａ-1が上下方向で相対向して突設されている（図１０１参照）。そして、後枠ベース板５ａの所定位置に一対の差込み片挿入孔部（図示しない）を設け、相対向する後枠ベース板５ａの所定位置に一対の雌ネジ部（図示しない）が設けられている。よって、電気部品収容部材（液晶ブラケット）４ａを後枠ベース板５ａに取り付けるときは、電気部品収容部材（液晶ブラケット）４ａのそれぞれの図示しない差込み片を、それぞれの図示しない差込み片挿入孔部に差込み、そして、それぞれのネジ止め片４ａ-1，４ａ-1をそれぞれの図示しない雌ネジ部に対してネジ止め固定する。
【０３０２】
このように、本実施形態では、液晶表示装置４を例えばネジ止めしたり、嵌め込んだりして収容する液晶ブラケット（電気部品収容部材）４ａの第二の面部６１に、サブ制御基板３３、サブ中継基板４３、サブＲＯＭ中継基板４４を一体に備えるユニット構成を採用し、このユニット構成を、上記のとおり後枠ベース板５ａから、液晶ブラケット（電気部品収容部材）４ａのネジ止め片４ａ-1，４ａ-1をネジ止め固定しているネジの脱着作動のみで、液晶表示装置４、サブ制御基板３３、サブ中継基板４３、サブＲＯＭ中継基板４４を、一体で、かつ簡単に着脱可能であるため、このユニット構成で液晶表示装置４のテスト（例えば、液晶表示装置４が正常に動作するか否かの試験）が容易に行ない得る。
【０３０３】
これにより、サブ制御基板３３、サブ中継基板４３、サブＲＯＭ中継基板４４を別個独立して交換することができるだけでなく、サブＲＯＭ中継基板４４のみを交換するだけで、異なる様々な演出を実行させることが可能となる。この場合、サブＲＯＭ中継基板４４については、プログラムの改竄や読取（複製）などの不正行為を防止するため、当該サブＲＯＭ中継基板４４への不正アクセスの有無を目視確認することが可能な「かしめ４６」が施されている（図１０参照）。なお、「かしめ」とは、封印、インシュロック（結束）などを意味する。
【０３０４】
また、当該後枠５の裏面（図１０２参照）には、例えば貸出球や賞球として払い出される遊技球を収容するための球タンク４７と、当該球タンク４７から複数の遊技球を連続して転動流下させるレールユニット４８と、当該レールユニット４８の下端に連続させることが可能な払出装置３５（具体的には、払出装置ケース４９に覆われている）と、当該払出装置３５から払い出された遊技球を上皿１７に供給する球払出通路（図示しない）などが連設されている。
【０３０５】
かかる構成において、遊技領域１ｐに打ち出された遊技球が例えば一般入賞口３０に入賞したとすると、これを検知した信号が主制御基板２８に送信される。このとき、主制御基板２８（図１００参照）から所定数の遊技球の払い出しを命ずるコマンドが払出・発射制御基板３４（図１０２参照）に出力され、その払い出しコマンドに基づいて、払出・発射制御基板３４が払出装置３５を制御することで、球タンク４７からレールユニット４８を転動流下した複数の遊技球のうち、所定数の遊技球が払出装置３５によって１個ずつ払い出され、球払出通路（図示しない）を流下して上皿に供給される。なお、図１０２において、払出装置３５は、払出装置ケース４９に収容された状態にあるため、その収容位置を参照符号３５で指すことで、当該払出装置の輪郭は図示されていない。
【０３０６】
ここで、従来の遊技機において、遊技盤は、本体枠の前面（表枠側）に対して着脱可能に設けられ、また、液晶表示装置は、後枠の前面（本体枠側）に対して着脱自在に設けられているものが知られている。このため、メンテナンス時などにおいて、遊技盤と液晶表示装置をともに取り外したい場合には、次の工程を経なければならなかった。
【０３０７】
まず、遊技盤を本体枠から取り外したい場合、表枠を本体枠に対して回動させる必要があった。そして、液晶表示装置を後枠から取り外したい場合、本体枠を外枠に対して回動させ、次に、後枠を本体枠に対して回動させる必要があった。よって、少なくとも３回、該当する枠を回動（例えば、外枠に対して本体枠を回動、本体枠に対して表枠と後枠の双方を回動）させなければならない。
【０３０８】
これに対して、本実施形態によれば、遊技盤１を、本体枠２の裏面（図９７参照）に着脱可能に設けるとともに、液晶表示装置４を、本体枠２の裏面（背面）に対向した位置において、後枠５の表面（前面）（図１０１参照）に着脱可能に設けるようにしたことで、遊技盤１および液晶表示装置４の双方の取り外し作業をワンタッチ（本体枠２と後枠５における一回の回動操作）で効率よく行うことができる。なお、液晶表示装置４の取付方法としては、後枠５の表面（前面）のみならず、後枠５の裏面に対して着脱可能に設けるようにしてもよい。
【０３０９】
また、払出装置３５を覆う払出装置ケース４９は、その上端側に設けられたヒンジ機構５０を介してレールユニット４８の下端に回動自在に支持されているとともに、当該払出装置ケース４９を回動させて、払出装置３５を露出させた状態において（図１０３参照）、そのときの姿勢を維持することができるようになっている。このため、払出装置ケース４９の上端側には、第１係止片４９ａが設けられ、レールユニット４８の下端側には、第１係止片４９ａが係止可能な第２係止片４８ａが設けられている（図１０３及び図１０４参照）。
【０３１０】
この場合、第１係止片４９ａおよび第２係止片４８ａは、その一部（先端部）が、互いに引っ掛かり合うような形状を成している。ここで、払出装置ケース４９を回動させて、払出装置３５を露出させたとき、第１係止片４９ａおよび第２係止片４８ａが互いに引っ掛かり合うことで、当該払出装置ケース４９は、払出装置３５を露出させた姿勢に維持される。これに対して、払出装置ケース４９を逆方向に回動させると、これに追従して、第１係止片４９ａと第２係止片４８ａとの引っ掛かり合いが解除され、これにより、当該払出装置ケース４９によって払出装置３５を覆うことができる。
【０３１１】
また、払出装置３５は、遊技球の払い出しが可能な位置（図１０５参照）と、取り外しが可能な位置（図１０６参照）とに切り替えることが可能である。この場合、遊技球の払い出しが可能な位置において、払出装置３５は、脱着機構５１によって、その下端面３５ａが支持された状態にあるとともに、その上端面３５ｂが上記したレールユニット４８に当接している。なお、脱着機構５１は、回転軸５２によって回転自在に支持された脱着レバー５３を有しており、当該脱着レバー５３の一端が払出装置３５の下端面３５ａに当接することで、払出装置３５は、当該脱着機構５１（脱着レバー５３）によって支持された状態で、その上端面３５ｂがレールユニット４８に当接する（図１０５参照）。これにより、レールユニット４８（具体的には、レールユニット４８内に構築された球通路４８ａ）と払出装置３５とが互いに連通することで、当該レールユニット４８（球通路４８ａ）を転動流下した遊技球は、払出装置３５に導入可能となる。
【０３１２】
これに対して、取り外しが可能な位置（図１０６参照）においては、脱着レバー５３が回動し、その一端が払出装置３５の下端面３５ａから回避した状態（すなわち、脱着機構５１（脱着レバー５３）による支持が解除された状態）となっており、これにより、払出装置３５を下方にスライドさせることが可能となる。この場合、払出装置３５を下方にスライドさせた後、手前に引き出すことで、当該払出装置３５を後枠５の裏面から簡単に取り外すことができる。
【０３１３】
ところで、払出装置３５を取り外す際、上記したレールユニット４８（球通路４８ａ）には、球タンク４７からの遊技球が転動流下しているため、かかる遊技球がレールユニット４８（球通路４８ａ）から流出して落下してしまうことが想定される。そこで、かかる不具合を解消するために、後枠５の裏面には、球落下防止機構５４（図１０５乃至図１０７（ａ）参照）が設けられている。
【０３１４】
図１０７（ａ）に示すように、球落下防止機構５４は、上記したレールユニット４８の下端側に構築されており、当該レールユニット４８に着脱自在に取り付けられた球落下防止機構用カバー体４８ｐ内に収容されている。この場合、球落下防止機構５４は、レールユニット４８の球通路４８ａに向けて突出させた球止め部５５ｐを有する球落下防止本体５５と、球落下防止本体５５を常に球通路に向けて付勢する付勢手段５６と、付勢手段５６の付勢力に抗して、球落下防止本体５５を球通路４８ａから離間する方向に移動させる移動手段とを備えている。なお、図面には付勢手段５６の一例として、圧縮コイルばねが示されているが、これに代えて、圧縮空気の弾性力を利用した空気ばねを用いてもよい。
【０３１５】
移動手段は、球落下防止機構用カバー体４８ｐに回転自在に支持されたレバー５７と、当該レバー５７の先端部５７ａ（具体的には、当該先端部５７ａのうち後述する傾斜面５５ｓに対向する当接部５７ｐ）が当接可能であって、かつ球落下防止本体５５に形成された傾斜面５５ｓとを備えている。傾斜面５５ｓは、球止め部５５ｐの突出方向に沿って延在し、かつ当該球止め部５５ｐから離間する方向に沿った勾配を成して構成されている。なお、傾斜面５５ｓの勾配（傾斜角度）は、例えば球落下防止本体５５の形状や大きさ等に応じて設定されるため、ここでは特に限定しない。また、レバー５７は、その基端部５７ｂに設けられた回転軸５８がレールユニット４８に軸支されている。
【０３１６】
また、移動手段によって球落下防止本体５５を移動させる方向を一定にするため、当該球落下防止本体５５には、その端面にガイド片５９が延在されており、当該ガイド片５９は、レールユニット４８に延在されたガイド溝（図示しない）に沿って移動可能となっている。この場合、ガイド溝およびガイド片５９の延在方向は、球止め部５５ｐをレールユニット４８の球通路４８ａに突入させたり、当該球止め部５５ｐを球通路４８ａから脱出させたりできる方向として規定することができる。
【０３１７】
かかる構成において、先端部５７ａを押圧してレバー５７を回転させると、当該先端部５７ａの当接部５７ｐが球落下防止本体５５の傾斜面５５ｓに当接し、このときの当接力は、傾斜面５５ｓに垂直方向の成分と、傾斜面５５ｓに沿った傾斜方向の成分とに振り分けられる。このため、傾斜面５５ｓに対して先端部５７ａを押圧し続けて、その傾斜面５５ｓに対する当接力を加え続けると、これにより、ガイド片５９がガイド溝に沿って一方向に移動することで、付勢手段５６の付勢力に抗して、球落下防止本体５５を同方向に移動（別の言い方をすると、球通路４８ａから後退）させることができる（図１０７（ｃ）参照）。これに対して、レバー５７に対する押圧力を解除すると、それと同時に、付勢手段５６による付勢力のみが球落下防止本体５５に作用し、これに伴って、ガイド片５９がガイド溝に沿って他方向に移動することで、球落下防止本体５５を同方向に移動（別の言い方をすると、球通路４８ａに向けて前進）させることができる（図１０７（ｂ）参照）。
【０３１８】
従って、かかる球落下防止機構をレールユニット４８に設けた状態において、払出装置３５が遊技球の払い出し可能な位置（図１０５参照）にある場合、当該払出装置３５の上端面３５ｂによって先端部５７ａが押圧されてレバー５７が回転し、これにより、当該先端部５７ａの当接部５７ｐから球落下防止本体５５の傾斜面５５ｓに当接力が加えられた結果、当該球落下防止本体５５が付勢手段５６の付勢力に抗して後退することで、球止め部５５ｐを球通路４８ａから脱出させることができる（図１０５、図１０７（ｃ）参照）。このとき、レールユニット４８（球通路４８ａ）と払出装置３５とが互いに連通することで、当該レールユニット４８（球通路４８ａ）を転動流下した遊技球は、払出装置３５に導入可能となる。
【０３１９】
これに対して、払出装置３５の取り外し可能な位置（図１０６参照）にある場合、当該払出装置３５の上端面３５ｂによるレバー５７の先端部５７ａへの押圧状態が解除されるため、それと同時に、付勢手段５６による付勢力のみが球落下防止本体５５に作用し、これにより、当該球落下防止本体５５が前進することで、球止め部５５ｐを球通路４８ａに突入させることができる（図１０６、図１０７（ｂ）参照）。この結果、遊技球がレールユニット４８（球通路４８ａ）から流出して落下してしまうといった不具合の発生を未然に防止することができる。
【０３２０】
＜透明板ユニットについて＞
表枠３に備えられている透明板ユニット７は、遊技機を島設備に設置したときの遊技者側から見て手前側に位置する第１の透明板１００と、前記第１の透明板１００の後方に位置する第２の透明板１０１と、前記第１の透明板１００と前記第２の透明板１０１との間に所定の空間１０２を配した状態で前記第１の透明板１００と第２の透明板１０１とを保持する透明板保持枠１０３とを備えて構成されている（図１０８乃至図１１０参照）。
第１の透明板１００と第２の透明板１０１は、本実施形態では所定形状・所定厚みを有する同一のガラス板を採用している。
【０３２１】
前記透明板保持枠１０３は、前後にそれぞれ第１の透明板１００と第２の透明板１０１をそれぞれ保持する保持部１０３ａ，１０３ａを有するとともに、保持部１０３ａと保持部１０３ａとの間に配される中間部１０３ｂには、前記第１の透明板１００と第２の透明板１０１との間に形成される所定の空間１０２と連通する複数個の連通孔１０４を有している（図１１０）。
前記第１の透明板１００と第２の透明板１０１は、それぞれ透明板保持枠１０３の保持部１０３ａ，１０３ａに対して接着剤を介して一体に固定されている。
【０３２２】
前記連通孔１０４は、上下方向で相対向する位置において設けられた第１連通孔１０４ａと第２連通孔１０４ｂである。
このように、本実施形態では、透明板保持枠１０３の相対向する位置に設けた第１連通孔１０４ａと第２連通孔１０４ｂとしたため、透明板ユニット７の外方から空間１０２内を通過して外方へと抜ける空気の流通経路が有効に形成される（図１０９及び図１１０）。
【０３２３】
また、前記第１連通孔１０４ａと前記第２連通孔１０４ｂとは、前記表枠ベース板３ａの表枠開口部（窓部）３ｈと接しない位置に設けられている。すなわち、開口の接地面によって孔が塞がれないようにするためであり、このように構成することで空気の流通経路が遮断されることもない。
本実施形態では、第１連通孔と第２連通孔は、それぞれ３個ずつの孔群によって形成されている。
【０３２４】
なお、第１の透明板と第２の透明板は、後方に位置する本体枠２に備えられた遊技盤１の遊技球の転動流下状況や、各種演出（役物可動演出や画像による演出など）状況の視認性を損ねない材質であればガラス板でなくてもよく、例えば透明合成樹脂性の板材であってもよい。
【０３２５】
連通孔１０４は、その孔径や、配設数・配設位置など本実施形態に限定解釈されるものではなく、強度面と通気性を考慮したうえで最適な仕様を採用するようにする。
【０３２６】
透明板保持枠１０３に設けた複数個の連通孔１０４（１０４ａ，１０４ｂ）によって、いずれかの連通孔１０４（１０４ａ，１０４ｂ）から２枚の透明板１００，１０１間の空間１０２、そして他の連通孔１０４（１０４ａ，１０４ｂ）へと空気が流通する空気の流通経路が確保されるため、乾燥剤室や乾燥剤を備えなくとも有効に空間内の湿気除去が可能となる。
したがって、透明板ユニット７全体の大型化を招く虞がないとともに、乾燥剤を必要としないためコスト高も抑えることができる。
【０３２７】
なお、表枠３の裏面に対する透明板ユニット７の取付方法としては、例えば、本実施形態では次の構成を採用している（図９５参照）。
透明板ユニット７を、表枠開口部３ｈに設けられている透明板ユニット組込み部１０５に沿って、表枠開口部３ｈの裏側から組み込んで位置決めし、その状態で当該透明板ユニット７の下端面７ａを、表枠開口部３ｈの組込み部下方領域に形成された台座１０８に載置させた後、当該表枠開口部３ｈの上部両側、すなわち、表枠開口部３ｈ上方の表枠ベース板３ａの裏面に回動自在に設けられた留め具１０６，１０６によって、透明板ユニット７の上端面（透明板保持枠１０３の上端に設けられた左右の舌片１０７，１０７）に押圧力を付与させて固定すればよい。これにより、透明板ユニット７は、各留め具１０６と台座１０８との間で挟持された状態で、表枠３の裏面に対して着脱可能に取り付けることができる。
【０３２８】
透明板ユニットの形態、すなわち、透明板と透明板保持枠の形態は、本実施形態に何ら限定解釈されるものではなく、本発明の範囲内において適宜設計変更可能である。
【０３２９】
＜球通路カバーについて＞
上記のとおり表枠構成部材を構成する下皿１８の下皿カバー８ｂは、係止構造を介して表枠ベース板３ａに取り付けられている（図１参照）。
すなわち、下皿カバー８ｂは、後方へと水平方向に突出する係止部２０３を備え、表枠ベース板３ａは、前記下皿カバー８ｂの係止部２０３が係止可能な係止孔２０４が所定位置に貫通して設けられている（図１１１及び図１１３参照）。
【０３３０】
係止部２０３は、下皿カバー８ｂから水平に突出する細板状の本体２０３ａと、本体２０３ａの先端に設けられ、前記係止孔２０４の周縁と係止可能な略矢尻型の係止爪部２０３ｂとで構成されている。
このように係止構造を介して下皿カバー８ｂは表枠ベース板３ａに取り付けられているため、この係止状態を解除すれば着脱自在である。
【０３３１】
本実施形態では、このように係止孔２０４に係止された状態の下皿カバー８ｂの係止爪部２０３ｂが、必要時以外には簡単に取り外すことができないように、係止部２０３の係止状態を保持可能とする保持部２０２を備えている。
本実施形態の保持部２０２は、表枠ベース板３ａに設けられた排出口１９と供給口２０とをつないで球通路２１を形成している球通路カバー２１ａに一体に設ける構成を採用している（図１１１及び図１１３参照）。
【０３３２】
前記球通路カバー２１ａは、本実施形態では、図１１１に示すように、それぞれ表枠ベース板３ａに対して着脱自在に備えられる上カバー２００と下カバー２０１の二部材で構成されている。
本実施形態では、上記下カバー２０１の表枠ベース板３ａへの取り付け時に、下カバー２０１の横に前記係止孔２０４が位置しているため、下カバー２０１の側面所定位置に、前記係止部２０３と前記係止孔２０４との係止状態を保持する保持部２０２を一体に備え、前記保持部２０２は、前記係止爪部２０３ｂの脱落を防止する脱落防止部として機能している（図１１１参照）。
【０３３３】
保持部２０２は、下カバー２０１の側面（図面で向かって右側の側面）から水平方向に突出した板状部材であって、下カバー２０１を表枠ベース板３ａの所定位置に取付固定すると、前記保持部２０２が係止孔２０４の所定位置を横切るように備えられることとになる（図１１１及び図１１３参照）。なお、保持部２０２の形状にあっては図示形態に限定されるものではない。
【０３３４】
すなわち、前記係止爪部２０３ｂを、その弾性に抗して下方に押し下げられた状態で前記表枠ベース板３ａの前方から挿入し、前記表枠ベース板３ａの背面側にてその弾性の戻り力によって前記係止孔２０４の上方周縁に係止される。
そして、下カバー２０１を表枠ベース板３ａの所定位置に取付固定すると、脱落防止部（保持部）２０２は、前記係止孔２０４の上方周縁に係止された状態の係止爪部２０３ａの直下に位置する（図１１１及び図１１３参照）。
【０３３５】
したがって、上皿１７と下皿１８をつなぐ球通路カバー２１ａ（下カバー２０１）を表枠ベース板３ａの裏面側に通常通りに配設すれば、球通路カバー２１ａ（下カバー２０１）の保持部（脱落防止部）２０２により、係止部２０３と係止孔２０４からなる係止構造を介して表枠ベース板３ａに着脱自在に備えられる下皿カバー（表枠構成部材）８ａの係止状態を不用意に解除し得ないものとすることができ、球通路カバー２１ａ（下カバー２０１）に球通路２１としての機能以外の機能を兼用させ、球通路カバーの有用性を高めることができる。
【０３３６】
また、下皿カバー（表枠構成部材）８ａの係止爪部２０３ｂが、その弾性に抗して表枠ベース板３ａの係止孔２０４に係止される簡単に着脱可能な構成であり、下皿カバー（表枠構成部材）８ａの取り付けが容易である一方、球通路カバー２１ａ（下カバー２０１）を表枠ベース板３ａの背面側に取り付ければ、球通路カバー２１ａ（下カバー２０１）に備えた脱落防止部（保持部）２０２が、前記係止爪部２０３ｂの直下にて前記係止爪部２３０ｂの下方への移動を抑制するため、係止爪部２０３ｂの係止孔２０４からの脱落が簡単に防止される。
【０３３７】
なお、表枠構成部材の係止状態の解除防止を図る保持部（脱落防止部）構成については、本実施形態に何等限定解釈されるものではない。すなわち、係止構造を介して着脱自在に表枠ベース板３ａに備えられる表枠構成部材であって、かつその表枠構成部材の係止部が、表枠ベース板３ａの裏面側のどの位置にて係止されるかによって、保持部をどのように構成するかが異なるものである。
また、保持部（脱落防止部）は、単体で係止孔に係止された係止爪部の脱落防止を図るように取り付けられるものであってもよいが、係止爪部が係止される係止孔の近傍にて表枠ベース板３ａの裏面側に着脱自在に備えられる表枠構成部材があれば、その表枠構成部材に保持部（脱落防止部）を一体成形するようにすればよい。
【０３３８】
＜コネクタカバーについて＞
左側装飾部材１６は、光による装飾演出を図る部材であって、例えば図１、図２および図１１４乃至図１１７に示すように、電子部品（例えば発光手段、ＬＥＤ：Light Emitting Diode  発光ダイオード）を実装する左中継基板（ガラス左中継基板ともいう）３００と、発光手段から発光される光を所定方向へと導く絶縁材からなる左導光レンズ３０２と、前記左導光レンズ３０２を介して導かれた光を拡散させる左上レンズ１６ｂと左アウターレンズ１６ａとで構成されており、前記左中継基板３００の下端に、電気部品と配線(ハーネス)を介して電気的に接続するための端子３０１ａを有するコネクタ３０１を備えている。
【０３３９】
本実施形態では、表枠３の前面に備えられる上皿１７を装飾する上皿前飾り（第１装飾部材ともいう）１７ｃにメッキ部材１７ｂを用いており、そのメッキ部材１７ｂの端部が、前記左側装飾部材（第２装飾部材ともいう）１６の左中継基板３００のコネクタ３０１と相対向する位置に隣接して配設されている（図１、図２、図１１４、図１１５参照）。
【０３４０】
このようなメッキ部材１７ｂは、遊技機全体を煌びやかに装飾して装飾効果を高めるという効果を有している反面、このメッキ部材１７ｂには静電気が帯電し易い。
したがって、上皿前飾り１７ｃのメッキ部材１７ｂから、その直近にある左中継基板３００のコネクタ３０１（具体的には、端子３０１ａ）に直接静電気が放電された場合、左中継基板３００に実装されているＬＥＤなどの電子部品に支障をきたしてしまう（破損してしまう）おそれがある。
すなわち、静電気を放電する要因箇所（上皿前飾り１７ｃのメッキ部材１７ｂ）とコネクタ３０１との間の沿面距離（Creepage Distance）が近いからである。
そこで、本実施形態では、左中継基板３００のコネクタ３０１を覆うコネクタカバー（絶縁体）３０３を設けて、静電気を放電する要因箇所（上皿前飾り１７ｃのメッキ部材１７ｂ）とコネクタ３０１（具体的には、端子３０１ａ）との間の沿面距離が遠くなるようにしている。
【０３４１】
本実施形態では、左中継基板３００の平面形状と略同一形状に形成されるとともに、左中継基板３００上に配設され、左中継基板３００からの光を前方へと導光する絶縁体からなる左導光レンズ３０２の一部に、左中継基板３００のコネクタ３０１を覆うコネクタカバー３０３が一体成形されている（図１１６参照）。
すなわち、左中継基板３００の表面下方に突出して備えられているコネクタ３０１上を覆うように、左導光レンズ３０２の相対向する内面の所定位置を、箱状に窪ませて（外面には箱状に突出している）コネクタカバー３０３を一体成形している。
なお、コネクタカバー３０３は左導光レンズ３０２とは別部品として構成してもよい。
【０３４２】
図１１７（ａ）は本実施形態におけるコネクタカバー３０３を左導光レンズ３０２に一体に備えたため、コネクタ３０１（具体的には、端子３０１ａ）までの沿面距離が長くなった場合の概略図を示し、図１１７（ｂ）はコネクタカバーを備えない場合に、コネクタ３０１までの沿面距離が短い場合の概略図を示す。それぞれの図中の矢印は第一装飾部材（メッキ部材１７ｂ）から放電された静電気の流れを示す。
沿面距離が短いと静電気は直接コネクタ３０１に放電されてしまうが、本実施形態のようにコネクタカバー３０３を一体に備えた絶縁体である左導光レンズ３０２を備えた場合、沿面距離が長くなり、静電気は直接コネクタ３０１（端子３０１ａ）に放電されなくなる。
【０３４３】
したがって、本実施形態によれば、メッキ部材１７ｂが施された装飾部材（上皿前飾り１７ｃ）に隣接して、制御基板（左中継基板３００）が備えられた装飾部材（左側装飾部材１６）を配置しても、制御基板（左中継基板３００）に備えられたコネクタ３０１の端子とメッキ部材１７ｂとの沿面距離をとるためのコネクタカバー３０３が備えられているため、コネクタ３０１の端子３０１ａに静電気が直接放電されることが防止し得る。
【０３４４】
また本実施形態によれば、絶縁材で構成された左導光レンズ３０２にコネクタカバー３０３を一体に設けたため、美観を損なうことなくコネクタ３０１の端子に静電気が直接放電されることを防止できる。また、左導光レンズ３０２を配置することで、コネクタカバー３０３も同時に配置されることとなるため、コネクタ専用のカバーを別途用意することがなく、製造コスト・作業コストなどの低廉化を図ることができる。
【０３４５】
＜発射停止ボタンについて＞
本実施形態における発射停止ボタン２６ｅは、例えば、一端側に備えられるボタン部４０１と他端側に備えられる押圧部４０３と、ボタン部４０１と押圧部４０３の間に備えられる軸止部４００とを含む操作部４０２と、前記操作部４０２の軸止部４００の内面に一体に配設され、発射ハンドル２６ｂの支持部（収容ケース）２６ｃの内底面から突設された軸部材４０５に対して摺動する摺動部４０４とを備えて構成されている（図１１８乃至図１２４参照）。
【０３４６】
発射停止ボタン（操作部材）２６ｅは、摺動部４０４を一体に内装した軸止部４００が、ネジ４０６を介して軸部材４０５に回動自在に備えられ、一端側のボタン部４０１が前記支持部（収容ケース）２６ｃの外方に突出するように配設され、そして他端側の押圧部４０３が発射停止スイッチ（検知手段ともいう）２６ｇの下方に位置している（図１２１乃至図１２４参照）。すなわち、ボタン部４０１は、発射ハンドル２６ｂの外方に突出して位置している。なお、図１２４中で、符号４０７は、摺動部４０４の頂面とネジ４０６のネジ頭との間に介在されるワッシャを示す。
そして、発射停止ボタン２６ｅは、常時、押圧部４０３が発射停止スイッチ（検知手段ともいう）２６ｇから離れる（遊技球発射可能状態）方向に付勢されており、発射停止ボタン２６ｅのボタン部４０１を押圧することにより、前記押圧部４０３が発射停止スイッチ（検知手段ともいう）２６ｇに接触して遊技球の発射が停止される。
【０３４７】
図１２１は、発射停止スイッチ（検知手段ともいう）２６ｇに押圧部４０３が接触している状態（遊技球発射停止状態）を示し、図１２２は、発射停止スイッチ（検知手段ともいう）２６ｇから押圧部４０３が離れている状態（遊技球発射可能状態）を示す。
【０３４８】
前記摺動部４０４は、摺動性能に優れた部材、例えば、ポリアセタール（polyacetal  ＰＯＭ）、ポリアミド（polyamide）、ポリエチレン（polyethylene）などの自己潤滑性のある部材で形成されている。
前記操作部４０２は、難燃性Ｖ-０等級などの難燃性部材、例えば、ポリカーボネート（polycarbonate  ＰＣ）、ポリスチレン（polystyrene  ＰＳ）、難燃ＡＢＳ樹脂（FR-ABS）などの難燃性部材で形成されている。
【０３４９】
したがって、本実施形態によれば、発射停止ボタン（操作部材）２６ｅは、摺動部４０４のみ自己潤滑性のある材料で形成し、操作部４０２は難燃性部材で形成しているため、発射停止ボタン（操作部材）２６ｅの操作性を損なわないようにしつつ、火事等の災害に強いボタン機構を提供することができる。
よって、例え、遊技者が火のついたタバコをもったままで発射ハンドル２６ｂを操作したとしても、さらに、遊技者が遊技の腹癒せに発射ハンドル２６ｂに火をつけようとしたとしても、発射停止ボタン２６ｅの操作部４０２が引火し難いものであるため、火事の虞も少なく安全性が高い。
【０３５０】
なお、操作部４０２と摺動部４０４は一体に配設されるとしているが、これは、操作部４０２と摺動部４０４が同一の動きをするように配設されていればよいという意味であり、特に一体成形されるとの意味ではない。例えば、接着剤などで分離不可能に固着して一体とする場合、キー結合や嵌合など分離可能に一体とする場合の双方ともが想定され、何等限定解釈されるものではない。
【０３５１】
＜配線保持部材について＞
前記配線保持部材５００は、着脱機構を介して電気部品収容部材（例えば、液晶表示装置収容部材４ａ、サブ制御基板収容部材３３ａ，サブＲＯＭ中継基板収容部材４４ａ，サブ中継基板収容部材４３ａ，払出・発射制御基板収容部材３４ａ，電源基板収容部材４５ａなど）に着脱可能に備えられている。本実施形態では、液晶表示装置４を収容する液晶表示装置収容部材（液晶ブラケットともいう）４ａを電気部品収容部材の一実施形態として用いた上で、本実施形態の配線保持部材５００の一例を図に基づいて説明する（図１２５乃至図１２８）。
【０３５２】
前記液晶表示装置収容部材（電気部品収容部材）４ａは、例えば本実施形態では、図１２５に示すように、電気部品（液晶表示装置４）を収容する所定の凹形状をもって構成された第一の面部（収容部）６０と、当該第一の面部６０と反対の面（背面）である第二の面部（背面部）６１とを備えている。
また、前記第二の面部６１には、所定の配線（ハーネス）５１５を保持する配線保持部材５００を配設する領域が形成されており、その領域の所定位置には、配線保持部材５００に備えられる複数個の突出部５０７と複数個の係止爪部５０８とともに着脱機構を構成する複数個の差込み孔５０９と複数個の係止孔５１０を備えている（図１２６参照）。
【０３５３】
前記電気部品収容部材（例えば、液晶表示装置収容部材４ａ、サブ制御基板収容部材３３ａ，サブＲＯＭ中継基板収容部材４４ａ，サブ中継基板収容部材４３ａ，払出・発射制御基板収容部材３４ａ，電源基板収容部材４５ａなど）は、特にその形態に限定解釈されるものではないが、各種の電気部品（液晶表示装置４、サブ制御基板３３、サブ中継基板４３、サブＲＯＭ中継基板４４、払出・発射制御基板３４、電源基板４５など）を収容可能な形態を有する第一の面部６０と、その背面側の第二の面部６１を少なくとも備えているものである。
第一の面部６０は電気部品の全体を収容するものと、一部を収容するものとが想定されており、そのいずれもが本発明の範囲内である。
【０３５４】
配線保持部材５００は、前記電気部品収容部材（例えば、液晶表示装置収容部材４ａ）の第二の面部６１に着脱機構を介して着脱可能に備えられている。
【０３５５】
配線保持部材５００は、例えば、図１２６乃至図１２８に示すように、平行に形成された板状の上面部５０１と下面部５０２と、前記上面部５０１と下面部５０２の相対向する一つの長辺同士にわたって一体に形成される板状の後面部５０３とからなり、前面側と左右の側面側をそれぞれ開放し、側面視で略コの字状を有する細幅の長尺状に形成されている。
また、本実施形態では、透明な合成樹脂材をもって内部確認可能に構成されている。
【０３５６】
前記上面部５０１と底面部５０２のそれぞれの内面の開口縁寄りには、上下方向（図中、Ｌで示す方向）で同一位置を底辺とした略直角三角形状の突起５０４，５０４が対向して形成されている。本実施形態では、上下一対の突起５０４，５０４が、等間隔で４組備えられている（図１２７及び図１２８参照）。
【０３５７】
相対向する突起５０４，５０４は、いわゆる点対称に形成されている。すなわち、それぞれの頂点５０４ａ，５０４ａ同士と、それぞれ直角をもって水平方向に設けられた一辺（垂辺）５０４ｂ，５０４ｂ同士とを、それぞれ横方向にずらして形成されているとともに、それぞれの相対向する斜辺５０４ｃ，５０４ｃ同士の間に所定の間隙５０５を形成している（図１２７及び図１２８参照）。
この間隙５０５を介して配線（ハーネス）５１５が後述する配線（ハーネス）保持空間５０６へと組み入れられる。
前記突起５０４と後面部５０３の内面５０３ａとの間には、前記突起５０４，５０４間の間隙５０５を挿入口とし、左右の開放した側面側をそれぞれ配線引出口５１６，５１６とする所定空間の配線（ハーネス）保持空間５０６が形成される（図１２６乃至図１２８参照）。
【０３５８】
また、前記突起５０４の厚み(図１２６中、Ｗで示す奥行き方向の厚み)は特に限定はされないが、配線の組み入れ時に折損しない程度で、かつ配線保持空間５０６を形成可能な程度の厚みを有していればよい。
また、突起５０４の形態も限定されるものではなく、配線保持空間５０６に保持された配線が容易に抜け落ちない形態であればよい。
さらに、図示しないが、前記突起５０４，５０４同士で形成された間隙（挿入口）５０５に代えて、前記後面部５０３に対向する前面部を設け、その前面部の長手方向(左右の側面部方向)にわたって切欠かれた長尺の切り込みも挿入口として採用できることは想定可能である。
【０３５９】
前記着脱機構は、例えば本実施形態では、前記電気部品収容部材（液晶表示収容空間４ａ）の第二の面部６１に設けられた差込み孔５０９及び係止孔５１０と、前記配線保持部材５００に設けられ、前記差込み孔５０９に差込み可能な突出部５０７と、前記係止孔５１０に着脱可能に係止する係止爪部５０８とで構成されている（図１２５乃至図１２８参照）。
【０３６０】
前記突出部５０７は、前記上面部５０１の外面の開口縁寄りにて上方に向けて設けられており、前記上面部５０１から一体に立ち上げられた所定厚さで矩形状の立設部５０７ａと、前記立設部５０７ａの先端に一体に設けられた係止部５０７ｂとで構成されている。本実施形態では、配線保持部材５００の長手方向に等間隔で３個突設されている。
なお、本実施形態では、上述のとおり係止部５０７ｂを備え持つ構造としているが、突出部にはこの係止部５０７ｂを持たない形態も本発明の範囲内である。
【０３６１】
前記係止爪部５０８は、前記後面部５０３から所定長さをもって前方に向けて突設されており、後面部５０３から直交状に一体に突設された水平板部５０８ａと、前記水平板部５０８ａの先端に一体に設けられた爪部５０８ｂとで構成されている。
本実施形態では、前記底面部５０２の所定位置を切欠き、その切欠き領域に前記水平板部５０８ａが配設され、前記爪部５０８ｂを前記領域から前方に向けて突出させている。
本実施形態では、前記両端の突出部５０７，５０７よりも内側に入った位置にてそれぞれ一つずつ計２個突設されている。
【０３６２】
前記差込み孔５０９及び係止孔５１０は、前記電気部品収容部材の第二の面部６１における所定位置にそれぞれ設けられている。
本実施形態では、電気部品収容部材（液晶ブラケット）４ａの第二の面部６１には、図１２５に示すように、一段高い位置に形成された第一領域６１ａが形成されており、その第一領域６１ａには、サブ制御基板３３、サブ中継基板４３、サブＲＯＭ中継基板４４が裏ユニットとして横方向に並んで配設されている。
そして、前記第二の面部６１には、前記第一領域６１ａよりも垂直方向で下方にて、前記第一領域６１ａよりも一段低い横長の幅狭状に形成された第二の領域６１ｂが形成されており、その第二の領域６１ｂに前記差込み孔５０９と係止孔５１０がそれぞれ所定位置に形成されている。
【０３６３】
前記差込み孔５０９は、第一の領域６１ａから第二の領域６１ｂへと段差状に続く水平壁部５１１に貫通状に３個形成されている。
前記係止孔５１０は、その水平壁部５１１から連続して垂直状に下方に続く垂直面５１２に２個形成されている。
【０３６４】
前記差込み孔５０９と係止孔５１０の位置関係は、次の通りである。
配線保持部材５００の上面部５０１から係止爪部５０８までの距離をＡとし、差込み孔５０９から係止孔５１０までの距離をＢとしたとき、Ａ＞Ｂの関係を具備するように構成する。
すなわち、上述の通り、Ａ＞Ｂの関係となるように構成することで、配線保持部材５００が電気部品収容部材（液晶ブラケット）４ａの第二の面部６１にしっかりと保持されるからである。
まず、配線保持部材５００の配線保持空間５０６に配線５１５を保持させた状態で、第二の面部６１の各差込み孔５０９に、配線保持部材５００の各突出部５０７を挿入し、次に、Ａ＞Ｂの関係であるため、係止爪部５０８の弾性力に抗して係止孔５１０に爪部５０８ｂを挿入する。これにより、挿入後、係止爪部５０８の弾性力によって係止孔５１０に爪部５０８ｂがしっかりと係止できる。
【０３６５】
本実施形態では、配線保持部材５００の後面部５０３には複数個の矩形状の貫通孔５１３が設けられている。
貫通孔５１３の孔形状や孔数量は特に限定されるものではなく、また、貫通孔５１３の位置も限定されるものではなく、本発明の範囲内で設計変更可能である。また、貫通孔５１３を有さない形態であっても本発明の範囲内である。
さらに、本実施形態では、配線５１５の配設方向が一目で分かるように後面部５０３に配設方向を示す矢印５１４を記載している。これにより、あまり経験のない作業者であっても配設間違いをすることがない。
【０３６６】
本実施形態によれば、配線保持部材５００を備えたため、着脱機構を介して配線保持部材５００を電気部品収容部材（例えば液晶ブラケット４ａ）から取り外すだけの簡単な操作で配線５１５の取り外しが行なえることとなった。
これにより、従来配線の這い回しや取り外しが大変面倒であった配線着脱作業の容易化が図れる。また、配線着脱作業の容易化によりメンテナンス作業時間の短縮化も図れることとなる。
さらに、本実施形態では、配線保持部材５００に貫通孔５１３を備える構成としたため、貫通孔５１３を介して配線５１５の状態を容易に確認できる。また、この貫通孔５１３が設けられていることにより、放熱効果も発揮され得る。
【０３６７】
なお、前記配線保持部材の形態は、本実施形態に限定されず、電気部品収容部材の第二の面部の形態や、所定の配線の配設位置や配設空間などに応じて適宜設計変更可能である。
【０３６８】
＜操作ユニット９について＞
上記したように、表枠３に対して着脱可能な上皿上部カバー８ａには、所定の遊技中に遊技者が操作（回転操作、押圧操作）することで各種演出の表示態様に変化を与えるための操作ユニット９が設けられており（図１及び図２参照）、操作ユニット９は、図１２９乃至図１３７に示すように、上皿上部カバー８ａに着脱可能に固定されるベース部材６００上に、遊技者が回転させて操作することが可能な回転操作機構６０１と、遊技者が押圧して操作することが可能な押圧操作機構６０２とを一体的に組み付けて構成されている。なお、本実施形態では、回転操作機構６０１を中空環状に構成し、その中空環状領域内に、環状を成す押圧操作機構６０２を介在させた構成を想定する。
【０３６９】
図１３１に示すように、押圧操作機構６０２は、遊技者が例えば手指等で押圧して突没操作させることが可能な押圧操作手段と、押圧操作手段を突没可能に弾性支持する弾性支持手段と、押圧操作手段の押圧操作状態（例えば、突没回数、突没タイミング等）を検知する押圧操作状態検知手段とを備えている。
【０３７０】
また、かかる押圧操作機構６０２（操作ユニット９）を有するパチンコ遊技機には、演出実行手段が設けられ、これにより、押圧操作手段の押圧操作状態が押圧操作状態検知手段によって検知されたことに基づいて、所定の演出を実行することができる。この場合、演出実行手段としては、例えば、液晶表示装置４（図１０１参照）、サブ制御基板３３（図１０２参照）などを適用することができる。
【０３７１】
これによれば、例えば、液晶表示装置４上に「押圧（突没）操作すべき命令（ボタンを押せ！）」についての演出が表示されている場合を想定すると、かかる命令に従って遊技者が押圧操作手段を押圧操作（突没操作）すると、そのときの押圧操作（突没操作）に基づいて、サブ制御基板３３によって液晶表示装置４上に所定の演出（例えば「押圧（突没）操作完了」についての演出など）が実行される。
【０３７２】
ここで、弾性支持手段のとしては、例えば圧縮コイルばね６０３を適用することができる。かかる構成によれば、当該弾性支持手段（圧縮コイルばね）６０３を、後述する回転操作機構６０１の固定ベース６０４（ベース部材６００上に固定される）と、押圧操作手段との間に介在され、これにより、押圧操作手段を、当該弾性支持手段（圧縮コイルばね６０３）の弾性力によって、ベース部材６００（固定ベース６０４）に対して突没可能に弾性支持することができる。
【０３７３】
また、押圧操作手段の一例としては、押圧ベース６０５上に、発光手段６０６ａ（例えば、ＬＥＤ等）が構築されたボタン電飾基板６０６と、押圧操作時に遊技者の例えば手指等が触れる表面装飾部材６０７（レンズ６０７ａ、拡散シート６０７ｂなど）とを対向配置させて構成することができる。かかる構成によれば、発光手段（ＬＥＤ）６０６ａから発せられた光により、表面装飾部材６０７から美観に優れた例えば放射光や拡散光などを発生させることができるため、遊技における押圧操作に対する興趣を向上させることができる。なお、発光手段（ＬＥＤ）６０６ａの制御は、サブ制御基板３３（図１０２参照）によって行われる。
【０３７４】
この場合、発光手段（ＬＥＤ）６０６ａが構築されたボタン電飾基板６０６、表面装飾部材６０７（レンズ６０７ａ、拡散シート６０７ｂ）は、上記した演出実行手段として構成することが可能であり、そうすると、遊技の状態に応じて、当該発光手段（ＬＥＤ）６０６ａから発せられた光を拡散シート６０７ｂに照射することで、レンズ６０７ａから美観に優れた例えば放射光や拡散光などを遊技状態に合わせて発生させることができる。
【０３７５】
また、押圧操作状態検知手段の一例としては、検知片（検知部材ともいう）６０８を押圧ベース６０５に設けるとともに、当該検知片６０８を検知するためのセンサ基板６０９をベース部材６００に固定することで構成することができる。かかる構成において、センサ基板６０９には、押圧ベース６０５（押圧操作手段）とともに突没する検知片６０８の突没状態（例えば、突没回数、突没タイミング等）を検知するセンサ部６０９ｓが設けられている。この場合、押圧操作に際し、センサ部６０９ｓに対して出たり入ったり（突没）する検知片６０８の例えば突没回数や突没タイミングを検知することで、押圧操作手段の押圧操作状態（すなわち、遊技者が押圧操作手段を例えば手指等で押圧して突没操作させる回数やタイミング等）を正確に検知することができる。
【０３７６】
一方、図１３１に示すように、回転操作機構６０１は、ベース部材６００上に支持され、遊技者が例えば手指等で回転操作可能な回転操作手段と、回転操作手段の回転操作状態を検知する回転操作状態検知手段と、回転操作手段とベース部材６００との間に設けられ、回転操作手段の回転操作に追従して回転する複数の球状部材６１０（例えば、金属製の球体やボール等）とを備えている。
【０３７７】
また、かかる回転操作機構６０１（操作ユニット９）を有するパチンコ遊技機には、演出実行手段が設けられ、これにより、回転操作手段の回転操作状態が回転操作状態検知手段によって検知されたことに基づいて、所定の演出を実行することができる。この場合、演出実行手段としては、例えば、液晶表示装置４（図１０１参照）、サブ制御基板３３（図１０２参照）などを適用することができる。
【０３７８】
これによれば、例えば、液晶表示装置４上に「回転操作すべき命令（ジョグダイヤルを回せ！）」についての演出が表示されている場合を想定すると、かかる命令に従って遊技者が回転操作手段を回転操作すると、そのときの回転操作に基づいて、サブ制御基板３３によって液晶表示装置４上に所定の演出（例えば「回転操作完了」についての演出など）が実行される。
【０３７９】
ここで、回転操作手段の一例としては、ベース部材６００上に回転可能に設けられた回転ハウジング６１１と、遊技者の例えば手指等で回転させることが可能な透光性を有する（後述する発光手段６１２ａからの光を透光可能な）回転カバー６１３と、回転カバー６１３と回転ハウジング６１１との間に介在させる回転レンズ６１４とを備えて構成することができる。
【０３８０】
なお、回転ハウジング６１１、回転カバー６１３、回転レンズ６１４は、互いに一体的に組み合わせて構成され、これにより、回転カバー６１３の回転操作に連動して、回転レンズ６１４および回転ハウジング６１１が共に回転する。また、上記した発光手段６１２ａ（例えば、ＬＥＤ等）は、ジョグダイヤル電飾基板６１２に構築されており、当該ジョグダイヤル電飾基板６１２は、固定ベース６０４に搭載された状態で、ベース部材６００上に固定されるようになっている。
【０３８１】
この場合、発光手段（ＬＥＤ）６１２ａが構築されたジョグダイヤル電飾基板６１２、回転レンズ６１４、回転カバー６１３は、上記した演出実行手段として構成することが可能であり、そうすると、遊技の状態に応じて、当該発光手段（ＬＥＤ）６１２ａから発せられた光を回転レンズ６１４に照射することで、回転カバー６１３から美観に優れた例えば放射光や拡散光などを遊技状態に合わせて発生させることができる。
【０３８２】
また、回転操作状態検知手段の一例としては、検知片（検知部材ともいう）６１５（図１３３参照）を回転ハウジング６１１に設けるとともに、回転ハウジング６１１とともに回転する当該検知片６１５を検知するためのセンサ６１６（図１３２参照）をジョグダイヤル電飾基板６１２に設けることで構成することができる。なお、検知片６１５は、回転ハウジング６１１のうちジョグダイヤル電飾基板６１２に対向する表面６１１ｆに設けられ、当該回転ハウジング６１１の回転中心に対して同心円状に、かつ周方向に沿って所定間隔（例えば、等間隔）で複数個配列されている。
【０３８３】
一方、センサ６１６は、ジョグダイヤル電飾基板６１２のうち回転ハウジング６１１の表面６１１ｆに対向する裏面６１２ｔにおいて、回転ハウジング６１１とともに回転する各検知片６１５が通過可能な位置に沿って、周方向に２つ設けられており、各センサ６１６を検知片６１５が通過したことを検知することで、回転ハウジング６１１の回転状態（すなわち、回転操作手段の回転操作状態）を正確に検知することができる。
【０３８４】
なお、センサ６１６による検知方法の一例としては、発光素子６１６ａと、発光素子６１６ａから発せられた光を受光する受光素子６１６ｂとを対向配置させて各センサ６１６を構成すればよい。これにより、各センサ６１６において、発光素子６１６ａと受光素子６１６ｂとの間を通過した検知片６１５の例えば通過個数や通過タイミング等を検知することで、回転操作手段（回転カバー６１３）の回転方向や回転速度などを正確に検知することができる。
【０３８５】
このような回転操作機構６０１において、回転ハウジング６１１の裏面６１１ｔ（検知片６１５が設けられた表面６１１ｆとは反対側の面）には、複数の球状部材６１０を１つずつ回転自在に保持する保持部６１１ｈが、周方向に沿って所定間隔（例えば、等間隔）に設けられ（図１３４参照）、一方、ベース部材６００には、回転ハウジング６１１の裏面６１１ｔに対向する対向面６００ｆにおいて、上記した保持部６１１ｈに保持された球状部材６１０が転動可能な転動面６００ｓが、周方向に沿って円環状に連続して設けられている（図１３５参照）。
【０３８６】
これにより、複数の球状部材６１０は、回転ハウジング６１１のうち検知片６１５が設けられた表面６１１ｆとは反対側の裏面６１１ｔに接触しつつ、ベース部材６００との間に沿って転動する。なお、複数の球状部材６１０を１つずつ回転自在に保持する保持部６１１ｈに代えて、周方向に沿って円環状に連続した保持部（図示しない）を構成し、当該円環状の保持部全体に亘って複数の球状部材６１０を連続的に配列させるようにしてもよい。また、転動面６００ｓについては、ここに潤滑剤を塗布し、球状部材６１０の転動性を向上させるようにしてもよい。
【０３８７】
以上、回転操作手段（回転ハウジング６１１）とベース部材６００との間に、当該回転操作手段（回転カバー６１３）の回転操作に追従して回転する複数の球状部材６１０を介在させたことで、当該球状部材６１０を介在させない場合に比べて、回転操作手段における回転操作性を飛躍的に高めることができる。これによれば、当該回転操作手段の回転操作に際し、何らの違和感を覚えることなく円滑（スムーズ）に行うことができるため、遊技者は遊技にのみ集中することが可能となり、その結果、遊技に対する興趣を低下させることはない。
【０３８８】
さらに、１つの部材（回転ハウジング６１１）に対し、円滑（スムーズ）に回転操作手段を回転させるための構成（球状部材６１０が回転可能に接触する裏面６１１ｔ）と、回転操作手段の回転操作状態を検知するための構成（回転操作状態検知手段の検知片６１５が設けられた表面６１１ｆ）とを備えるようにしたことで、回転操作手段に要する部品点数を削減することができるため、その分だけ当該回転操作手段の低コスト化を図ることができるとともに、これによる当該回転操作手段のコンパクト化（省スペース化）を図ることができる。
【０３８９】
ところで、上記したような操作ユニット９は、図１３６及び図１３７に示すように、ベース部材６００上に回転操作機構６０１と押圧操作機構６０２とを組み付けて一体化させた状態で、所定の取付機構を介して、パチンコ遊技機に着脱自在に搭載させることができるようになっており、これにより、当該操作ユニット９を構成する上記した操作手段（押圧操作手段、回転操作手段）を当該パチンコ遊技機に着脱自在に取り付けることができる。
【０３９０】
ここで、操作ユニット９の搭載場所については、例えば遊技者が操作し易い部位を含めて、パチンコ遊技機の使用目的や使用環境などに応じて設定されるため、特に限定されるものではないが、図１３６及び図１３７では一例として、表枠３を構成する上皿上部カバー８ａに対して、操作ユニット９を着脱自在に設ける場合を想定する。
【０３９１】
取付機構は、上皿上部カバー８ａを貫通して形成され、操作ユニット９を挿入配置させることが可能な取付用孔６１７と、上皿上部カバー８ａの裏面（背面）側において、取付用孔６１７を挟んでその両側に対向して設けられた一対の取付用ボス６１８と、当該操作ユニット９に設けられ、当該操作ユニット９を上皿上部カバー８ａの裏面（背面）側から取付用孔６１７に挿入配置させた状態で、一対の取付用ボス６１８を介して、当該操作ユニット９を上皿上部カバー８ａに着脱自在に固定させる固定手段とを備えている。
【０３９２】
この場合、一対の取付用ボス６１８は、上皿上部カバー８ａの裏面（背面）側から立ち上げられた軸部６１８ａと、軸部６１８ａの先端に設けられ、軸部６１８ａよりも拡大した頭部６１８ｂとを備えている。なお、取付用ボス６１８としては、例えば、一般的なネジを軸部６１８ａとし、当該軸部６１８ａよりも拡大したワッシャを頭部６１８ｂとして構成することができる。また、取付用孔６１７の形状や大きさ等は、ここに挿入配置させる操作ユニット９（押圧操作手段、回転操作手段）の形状や大きさ等に応じて設定されるため、特に限定しない。
【０３９３】
また、固定手段の配置については、例えば、上記した操作ユニット９（押圧操作手段、回転操作手段）に直接構築してもよいし、或いは、当該操作ユニット９（押圧操作手段、回転操作手段）をベース部材６００上に組み付けて一体化させた状態における当該ベース部材６００に構築してもよい。ここでは一例として、ベース部材６００に固定手段が構築された場合を想定する。
【０３９４】
図１３０、図１３５、図１３７に示すように、固定手段は、操作ユニット９（ベース部材６００）の両側に対向して貫通形成され、操作ユニット９（具体的には、回転操作手段）の回転方向に沿って円弧状に延在し、かつ、一対の取付用ボス６１８の軸部６１８ａを挿通させた状態で、その両端まで移動させることが可能な一対の固定用長孔６１９と、一対の固定用長孔６１９の一端側に形成され、一対の取付用ボス６１８の頭部６１８ｂを挿脱させることが可能な頭部挿脱部６１９ａと、一対の固定用長孔６１９の他端側に形成され、一対の取付用ボス６１８の頭部６１８ｂを挿脱させることが不可能な頭部抜け止め部６１９ｂとを備えている。
【０３９５】
かかる固定手段によれば、まず、操作ユニット９をその回転操作機構６０１および押圧操作機構６０２側から取付用孔６１７に挿入しつつ、一対の取付用ボス６１８の頭部６１８ｂを、一対の固定用長孔６１９の一端側の頭部挿脱部６１９ａに同時に挿入し（図１３７参照）、その状態で、操作ユニット９（具体的には、ベース部材６００）を一方向に回転させて、一対の取付用ボス６１８の軸部６１８ａを一対の固定用長孔６１９の他端側まで移動させる。このとき、一対の取付用ボス６１８の頭部６１８ｂは、頭部抜け止め部６１９ｂによって抜け止めされた状態となり、その結果、操作ユニット９（ベース部材６００）を一対の取付用ボス６１８に対して抜け止め固定させることができる。これにより、操作ユニット９は、回転（押圧）操作可能にベース部材６００で支持された状態で、一対の取付用ボス６１８を介して、上皿上部カバー８ａに対して抜け止め固定される。
【０３９６】
これに対して、操作ユニット９が一対の取付用ボス６１８に対して抜け止め固定された状態において、まず、操作ユニット９（具体的には、ベース部材６００）を他方向に回転させて、一対の取付用ボス６１８の軸部６１８ａを一対の固定用長孔６１９の一端側まで移動させる。このとき、一対の固定用長孔６１９の頭部挿脱部６１９ａを介して、一対の取付用ボス６１８の頭部６１８ｂが挿脱可能な状態とる。これにより、操作ユニット９（ベース部材６００）は、一対の取付用ボス６１８から取り外し可能となる。
【０３９７】
以上、一対の取付用ボス６１８と固定手段（固定用長孔６１９）とを用いた取付機構によれば、上皿上部カバー８ａに対する操作ユニット９（押圧操作手段、回転操作手段）の取付作業および取外作業をワンタッチで、簡単かつ短時間に行うことができる。なお、当該取付機構では、従来では必要であった取付ネジ等の部材が一切不要となるため、その分だけ遊技機の製造コストを削減することができるとともに、操作ユニット９の取付性および取外性を飛躍的に向上させることができる。
【０３９８】
さらに、上記した表枠３（表枠ベース板３ａ）の表面に備えられる皿ユニット８には、上皿上部カバー８ａを囲むように、上皿構成部材（上皿左飾り１７ａ、上皿前飾り１７ｃ、上皿本体１７ｐのほかに、特に図示しないが例えば、上皿を装飾する装飾部材や、上皿下部カバーなど）が備えられており、上皿構成部材は、表枠３の裏面（背面）側から固定されているため、表枠３を本体枠２から開けた状態でなければ、表枠３から取り外すことができない。従って、上皿上部カバー８ａに対する操作ユニット９の取付・取外作業を行う場合、表枠３を開けた状態で、当該上皿構成部材を全て取り外した後でなければ、上皿上部カバー８ａに対する操作ユニット９の取付・取外作業を行うことができない。これにより、遊技者側からの不正なアクセスによって、操作ユニット９を簡単に取り外すことはできない。
【０３９９】
ここで、上皿上部カバー８ａに対する操作ユニット９の取付・取外作業としては、例えば、表枠３を開けた状態で上皿構成部材を全て取り外し、上皿上部カバー８ａのみを残留させた後、当該上皿上部カバー８ａの裏面側から操作ユニット９（回転操作機構６０１、押圧操作機構６０２）を取付用孔６１７に挿入して取り付けるようにしてもよいし、或いは、上皿上部カバー８ａを表枠３の表面（前面）（図１及び図２参照）から差し込んで、その差込先端８ｐ（図１３６及び図１３７参照）を表枠３の裏面（背面）側から固定（例えば、ビス止め、係止など）する構成とし、操作ユニット９の取付・取外に際し、表枠３を開いた状態で上皿構成部材とともに上皿上部カバー８ａも取り外した後に、当該上皿上部カバー８ａに対して、上記同様の方法により操作ユニット９を着脱させるようにしてもよい。なお、上皿構成部材の一部又は全部を表枠３の表面（前面）側から固定するようにしてもよい。
【０４００】
＜右側装飾部材における導光板の押え部材について＞
図１３８に示すように、右側装飾部材１５（右上レンズ１５ａ、右中レンズ１５ｂ、右パネルカバー１５ｃ）には、その内方に、端面７００ｔより入れた光を均一に面発光させる導光板７００と、光を反射させるリフレクタ７０１と、導光板７００の端面７００ｔに向けて光を照射する第１発光手段７０２ａ、および、リフレクタ７０１に向けて光を照射する第２発光手段７０２ｂを有する発光基板７０２と、導光板７００およびリフレクタ７０１と、発光基板７０２との間に位置するとともに、導光板７００に当接させることで、導光板７００を位置決め固定させ、その端面７００ｔを第１の発光手段７０２ａに対向させる押え部材７０３とを備えている。
【０４０１】
かかる右側装飾部材１５において、発光基板７０２は、２つの基板部材７０２−１,７０２−２から構成され、押え部材７０３も、２つの押え部材７０３−１,７０３−２から構成されている。これに合わせて、上記した導光板７００は、２つ用意されており、これら２つの導光板７００は、その端面７００ｔを第１発光手段７０２ａに対向させるべく、当該第１発光手段７０２ａに平行かつ一方向に整列させて構成されている。かかる構成において、当該各導光板７００は、反射シート７０４と透光性を有する右パネルユニットとの間に挟持（サンドイッチ）された状態で、その反射シート７０４側に位置させた右側ステイ７０５の一方側面に支持されるようになっている。
【０４０２】
具体的には、右パネルユニットは、その導光板７００側から順に右パネルシート７０６と、所定のデザインが施された右パネルカバー１５ｃと、右パネルカバー１５ｃを覆う右サイドフレーム７０７を備えて構成されている。かかる構成において、右サイドフレーム７０７を右側ステイ７０５に取り付けることで、当該右サイドフレーム７０７と右側ステイ７０５の一方側面との間に、上記した反射シート７０４、各導光板７００、右パネルシート７０６、右パネルカバー１５ｃが互いに密接して積層した状態で収容される。
【０４０３】
この場合、第１の発光手段７０２ａから各導光板７００の端面７００ｔに光を照射すると、その光は各導光板７００に沿って均一に面状に広がった後、反射シート７０４によって反射されることで、各導光板７００から右パネルユニットに向けて面状に発光する。そして、かかる面状の光が、右パネルシート７０６から右パネルカバー１５ｃを通過することで、右パネルカバー１５ｃに施されたデザインを、光による表示態様によって右サイドフレーム７０７から発生表示させることができるため、遊技に対する興趣を向上させることができる。
【０４０４】
また、当該右側装飾部材１５において、右側ステイ７０５の他方側面（導光板７００が支持される側とは反対側の面）には、上記したリフレクタ７０１が支持されるようになっている。なお、右側ステイ７０５に対するリフレクタ７０１の支持方法としては、例えば、接着、ビス止めなど既存の方法を適用すればよい。これにより、当該リフレクタ７０１を囲むように、上記した右上レンズ１５ａおよび右中レンズ１５ｂを対向させることができる。
【０４０５】
この場合、第２発光手段７０２ｂからリフレクタ７０１に光を照射すると、当該リフレクタ７０１からランダムに反射した光が右上レンズ１５ａおよび右中レンズ１５ｂを通過することで、美観に優れた例えば放射光や拡散光などを発生させることができ、これにより、光による表示態様に変化を与えることができるため、遊技に対する興趣を向上させることができる。
【０４０６】
ところで、上記した第１及び第２発光手段７０２ａ,７０２ｂとして、例えば複数のＬＥＤ７０８を適用した場合、第２発光手段７０２ｂでは、発光基板７０２の側面（リフレクタ７０１側の面）に亘って複数のＬＥＤ７０８を任意に点在させればよいが、第１発光手段７０２ａでは、各導光板７００の端面７００ｔに沿って光を照射させるべく、複数のＬＥＤ７０８を一方向に整列させる必要がある。この場合、各導光板７００の端面７００ｔと複数のＬＥＤ７０８とをズレ無く対向させることが求められる。
【０４０７】
そこで、右側装飾部材１５には、各導光板７００を位置決め固定して、その端面７００ｔを第１の発光手段７０２ａ（すなわち、一方向に整列させた複数のＬＥＤ７０８）に対向させる押え部材７０３が設けられている。なお、図面には、押え部材７０３の一例として、導光板７００の端面７００ｔ近傍の側面に沿って延出させた矩形状のものが示されているが、これに限定されることはなく、導光板７００の端面７００ｔ近傍の側面に沿って当接して位置決めできるような形状であればよい。
【０４０８】
これによれば、図１３９に示すように、押え部材７０３を導光板７００の端面７００ｔ近傍の側面に当接させ、その状態で、当該押え部材７０３の取付部７０３ａを右側ステイ７０５に固定することで、当該導光板７００の端面７００ｔ近傍の側面は、当該押え部材７０３と右側ステイ７０５との間で挟持された状態となる。これにより、導光板７００の端面７００ｔ近傍の側面が位置決めされ、その結果、その端面７００ｔを複数のＬＥＤ７０８の整列方向に沿って正確かつズレ無く対向させることができる。
【０４０９】
この場合、押え部材７０３は、当該押え部材７０３を導光板７００に当接させた状態において、その一部が光の照射経路を覆うように各導光板７００の端面７００ｔよりも突出させることが好ましい。そうすることで、第１の発光手段７０２ａ（一方向に整列させた複数のＬＥＤ７０８）から発せられた光を、各導光板７００の端面７００ｔに向けて漏れなく照射させることができる。なお、押え部材７０３を突出させる形状や大きさについては、例えば、各導光板７００の端面７００ｔと第１の発光手段７０２ａ（一方向に整列させた複数のＬＥＤ７０８）との間の隙間の寸法や構成などに応じて設定されるため、ここでは特に限定しない。
【０４１０】
ところで、右側装飾部材１５としては、上記したものに限定されることはなく、例えば図１４１に示すような構成としてもよい。すなわち、図１４１の右側装飾部材１５において、右側ステイ７１０の一方側面と右サイドフレーム７１１との間には、右側ステイ７１０側から順に、反射シート７１２、２枚整列した導光板７１３、所定のデザインが施された右パネルシート７１４、右パネルカバー７１５を積層配置させる。また、右側ステイ７１０の他方側面に対して、光を反射させるリフレクタ７１６、導光レンズ７１７、導光板７１３の端面７１３ｔに向けて光を照射する第１発光手段７１８ａ、および、リフレクタ７１６と導光レンズ７１７に向けて光を照射する第２発光手段７１８ｂを有する発光基板７１８を対向配置させる。なお、当該右側装飾部材１５において、導光レンズ７１７は、２つのレンズ部材７１７−１,７１７−２から構成され、発光基板７１８も、２つの基板部材７１８−１,７１８−２から構成されている。
【０４１１】
かかる構成において、第１の発光手段７１８ａから各導光板７１３の端面７１３ｔに光を照射すると、その光は各導光板７１３に沿って均一に面状に広がった後、反射シート７１２によって反射されることで、各導光板７１３から面状に発光する。このとき、当該面状の光が右パネルシート７１４から右パネルカバー７１５を通過することで、右パネルカバー７１５に施されたデザインを光による表示態様によって右サイドフレーム７１１から発生表示させる。
【０４１２】
また、第２発光手段７１８ｂからリフレクタ７１６および導光レンズ７１７に光を照射すると、当該リフレクタ７１６および導光レンズ７１７からランダムに反射した光が右アウターレンズ７１９および右インナーレンズ７２０を通過することで、美観に優れた例えば放射光や拡散光などを発生させる。
【０４１３】
ここで、上記した第１及び第２発光手段７１８ａ,７１８ｂとして、例えば複数のＬＥＤ７２１を適用した場合、第２発光手段７１８ｂでは、発光基板７１８の側面（リフレクタ７１６側の面）に亘って複数のＬＥＤ７２１を任意に点在させればよいが、第１発光手段７１８ａでは、各導光板７１３の端面７１３ｔに沿って光を照射させるべく、複数のＬＥＤ７２１を一方向に整列させる必要がある。この場合、各導光板７１３の端面７１３ｔと複数のＬＥＤ７２１とをズレ無く対向させることが求められる。
【０４１４】
そこで、図１４１に示された右側装飾部材１５にも、各導光板７１３を位置決め固定し、その端面７１３ｔを第１の発光手段７１８ａ（すなわち、一方向に整列させた複数のＬＥＤ７２１）に対向させる部材が設けられているが、かかる部材としては、図１３８に示された右側装飾部材１５に用いられた押え部材７０３（２つの押え部材７０３−１,７０３−２から構成されている押え部材）をそのまま再利用することができる。
【０４１５】
これによれば、押え部材７０３を導光板７１３の端面７１３ｔ近傍の側面に当接させ、その状態で、当該押え部材７０３の取付部７０３ａを右側ステイ７１０に固定することで、当該導光板７１３の端面７１３ｔ近傍の側面は、当該押え部材７０３と右側ステイ７１０との間で挟持された状態となる。これにより、導光板７１３の端面７１３ｔ近傍の側面が位置決めされ、その結果、その端面７１３ｔを複数のＬＥＤ７２１の整列方向に沿って正確かつズレ無く対向させることができる。
【０４１６】
以上、右側装飾部材１５の押え部材７０３によれば、当該右側装飾部材１５の発光表示態様を変更する場合、例えばリフレクタ７０１の形状や発光基板７０２の構成を変更しても、さらには、右側装飾部材１５自体をモデルチェンジしても（図１３８、図１４１参照）、従前に使用していた押え部材７０３を、そのまま再利用することができるため、当該変更に要するコストの上昇を抑えることができる。
【０４１７】
また、押え部材７０３の一部を、光の照射経路を覆うように各導光板７００の端面７００ｔよりも突出させることで、第１の発光手段７０２ａ（一方向に整列させた複数のＬＥＤ７０８）から発せられた光の全てを漏れなく導光板７００の端面７００ｔに照射させることができるため、高精度で見映えの良い優れた発光表示態様を実現することができる。
【０４１８】
この場合、図１４０に示すように、上記した押え部材７０３−２に、発光基板７０２−１及び７０２−２に亘って延在する配線７０９（例えば、コード、ハーネス）を保持する保持部７０３ｂを設けることが好ましい。これによれば、発光基板７０２−１及び７０２−２に亘って延在する配線７０９がばらけることを防止することができるため、当該配線７０９が他の部材に絡まったり、引っ掛かったりするといった不具合の発生を未然に防止することができる。
なお、上記した実施形態において、押え部材７０３、発光基板７０２,７１８、導光レンズ７１７として、２つの部材から構成されたものを想定したが、これに限定されることはなく、押え部材７０３、発光基板７０２,７１８、導光レンズ７１７を、それぞれ、単体で構成してもよいし、或いは、３つ以上の部材を組み合わせて構成してもよい。また、押え部材７０３−１に保持部７０３ｂを設けるようにしてもよい。
【０４１９】
＜パトランプ役物について＞
図１４２乃至図１４５に示すように、パトランプ役物は、表枠開口部（図１及び図２）の上側に設けられたトップ飾り１４に内蔵されており、光を発する発光手段８００と、光を反射する反射面部８０１ａ,８０１ｂを有し、発光手段８００の周囲を旋回することで、当該反射面部８０１ａ,８０１ｂが当該発光手段８００の前方および後方に変位可能な第１の可動装飾部材８０１と、光を反射する反射面部８０２ａ,８０３ａを有し、第１の可動装飾部材８０１の両側のうち、少なくともいずれか一方に、第１の位置（図１４２参照）と、第２の位置（図１４３参照）とに変位可能な第２の可動装飾部材８０２,８０３と、発光手段８００から発せられた光を反射する反射面部８０４ａを有し、発光手段８００の後方に設けられた後方装飾部材８０４とを備えている。
【０４２０】
ここで、発光手段８００、第１および第２の可動装飾部材８０１、８０２,８０３、後方装飾部材８０４は、トップ飾り１４内に構築されたトップ飾りベース８０５に対して吊り下げられた状態で構成配置されている。また、発光手段８００としては、例えば、市販の電球や発光素子（ＬＥＤ等）を適用すればよい。さらに、第２の可動装飾部材は、ここでは一例として、第１の可動装飾部材８０１の両側に、第２の右側可動装飾部材８０２、第２の左側可動装飾部材８０３として設けられている。なお、右側および左側とは、遊技者側から見た場合における左右方向に基づいて規定されている。
【０４２１】
第１の可動装飾部材８０１において、上記した反射面部８０１ａおよび８０１ｂは、当該第１の可動装飾部材８０１を構成する外側反射部材８０１ｔおよび内側反射部材８０１ｓにそれぞれ設けられている。外側反射部材８０１ｔおよび内側反射部材８０１ｓは、発光手段８００を一部囲むような半円弧形状を成しており、内側反射部材８０１ｓは、発光手段８００に対向配置され、外側反射部材８０１ｔは、内側反射部材８０１ｓの外側に対向配置された状態で、共に、発光手段８００の周りを同心状に回転する回転台８０６に固定されている。
【０４２２】
この場合、上記した反射面部８０１ｂは、内側反射部材８０１ｓのうち、発光手段８００に対向する部分（すなわち、第１の可動装飾部材８０１の内側部分）に設けられ、発光手段８００から発せられた光を反射する内側反射面部８０１ｂとして構成されている。
一方、上記した反射面部８０１ａは、外側反射部材８０１ｔのうち、内側反射部材８０１ｓとは反対側の部分（すなわち、第１の可動装飾部材８０１の外側部分）に設けられ、後述する発光手段（ＬＥＤ）８０９から発せられた光等を反射する外側反射面部８０１ａとして構成されている。なお、当該各反射面部８０１ａ,８０１ｂには、光による演出効果を高めるべく、反射光の向きや角度に変化を与えるための例えば高低差（段差）や凹凸などを施すことが好ましい。
【０４２３】
かかる構成によれば、回転台８０６を回転させると、これに伴って、第１の可動装飾部材８０１（外側反射部材８０１ｔ、内側反射部材８０１ｓ）を発光手段８００の周囲に沿って旋回させることができ、その結果、当該各反射面部（外側反射面部８０１ａ、内側反射面部８０１ｂ）を発光手段８００の前方および後方に変位させることができる。この場合、発光手段８００の発光中に、第１の可動装飾部材８０１が発光手段８００の前方に変位すると、発光手段８００から発せられた光は、内側反射部材８０１ｓの内側反射面部８０１ｂによって後方に反射された後、後方装飾部材８０４の反射面部８０４ａから前方に向けて反射され、トップ飾り１４から外部すなわち遊技者側に放出（発光）される。
【０４２４】
これに対して、第１の可動装飾部材８０１（外側反射部材８０１ｔ、内側反射部材８０１ｓ）が発光手段８００の後方に変位すると、発光手段８００から発せられた光は、そのままトップ飾り１４から外部（遊技者側）に放出（発光）される成分と、内側反射部材８０１ｓの内側反射面部８０１ｂによって前方に反射され、トップ飾り１４から外部（遊技者側）に放出（発光）される成分とが重合する。このとき、放出（発光）される光は、上記した後方装飾部材８０４の反射面部８０４ａから反射した光よりも比較的強い光となるため、発光手段８００の発光中に、第１の可動装飾部材８０１を旋回させることで、トップ飾り１４から外部（遊技者側）に、強い発光と弱い発光とを所定タイミングで繰り返すことができる。
【０４２５】
第２の右側および左側可動装飾部材８０２,８０３は、その一端側（発光手段８００から離間した部位）が回動軸８０７,８０８に支持されており、これら回動軸８０７,８０８を回動させることで、第１の位置（図１４２参照）と、第２の位置（図１４３参照）とに変位させることができる。また、第２の右側および左側可動装飾部材８０２,８０３には、それぞれ、遊技者側に対向する表面（前面）に反射面部８０２ａ,８０３ａが設けられている。なお、各反射面部８０２ａ,８０３ａには、光による演出効果を高めるべく、反射光の向きや角度に変化を与えるための例えば高低差（段差）や凹凸などを施すことが好ましい。
【０４２６】
後方装飾部材８０４は、発光手段８００の後方側を囲むような半円弧形状を成して固定され、発光手段８００に対向する表面（前面）に反射面部８０４ａが設けられている。なお、反射面部８０４ａには、光による演出効果を高めるべく、反射光の向きや角度に変化を与えるための例えば高低差（段差）や凹凸などを施すことが好ましい。
【０４２７】
このようなパトランプ役物においては、所定の条件が成立したことを契機に、発光手段８００の発光、第１の可動装飾部材８０１の旋回、第２の右側および左側可動装飾部材８０２,８０３の第２の位置（図１４３参照）への移動が行われる。なお、所定の条件が成立する場合としては、現状の遊技状態から他の遊技状態（例えば、リーチ、大当り）に移行した場合などを想定することができる。
【０４２８】
ここで、第２の右側および左側可動装飾部材８０２,８０３が第２の位置に変位した状態において（図１４３参照）、当該第２の右側および左側可動装飾部材８０２,８０３は、後方装飾部材８０４と隣接して位置付けられ、第２の右側および左側可動装飾部材８０２,８０３と後方装飾部材８０４との反射面部８０２ａ,８０３ａ,８０４ａは、互いに連続した一連の後方反射面部を形成する。このとき、発光手段８００から発せられた光は、第２の右側および左側可動装飾部材８０２,８０３と後方装飾部材８０４とのそれぞれの反射面部８０２ａ,８０３ａ,８０４ａから反射可能となる。
【０４２９】
この場合、発光手段８００の発光中における第１の可動装飾部材８０１（外側反射部材８０１ｔ、内側反射部材８０１ｓ）の旋回により、トップ飾り１４から外部（遊技者側）に、強い発光と弱い発光とが所定タイミングで繰り返される中で、これに連動して、発光手段８００から発せられた光が上記した一連の後方反射面部（８０２ａ,８０３ａ,８０４ａ）から反射されることで、トップ飾り１４から外部（遊技者側）に向けて、光演出効果の高い美観に優れた例えば放射光や拡散光などを発生させることができる。
【０４３０】
これによれば、発光手段８００による光演出と、第１の可動装飾部材８０１と第２の右側および左側可動装飾部材８０２,８０３との間に関連性を持たせることができるとともに、第２の右側および左側可動装飾部材８０２,８０３と後方装飾部材８０４との反射面部８０２ａ,８０３ａ,８０４ａが互いに連続した一連の後方反射面部を形成することで、光による演出効果がさらに高められて、光による表示態様に変化を与えることができるため、遊技に対する興趣を向上させることができる。
【０４３１】
さらに、第１の可動装飾部材８０１（外側反射部材８０１ｔ、内側反射部材８０１ｓ）が発光手段８００の後方に旋回したとき、発光手段８００から発せられた光の一部が内側反射部材８０１ｓによって遮光されるため、一連の後方反射面部（８０２ａ,８０３ａ,８０４ａ）への照射光量が減少し、これにより、一連の後方反射面部（８０２ａ,８０３ａ,８０４ａ）からの反射光量も減少するが、かかる光量の減少が、第１の可動装飾部材８０１の旋回タイミングに同期して繰り返されることで、当該トップ飾り１４における光表示態様の変化をさらに向上（助長）させることができる。
【０４３２】
また、パトランプ役物においては、所定の条件が成立していないときには、発光手段８００の発光、および、第１の可動装飾部材８０１の旋回は行われない。このとき、第１の可動装飾部材８０１（外側反射部材８０１ｔ、内側反射部材８０１ｓ）が発光手段８００の前方に位置するとともに、第２の右側および左側可動装飾部材８０２,８０３が第１の位置に位置することで（図１４２参照）、外側反射部材８０１ｔの外側反射面部８０１ａと第２の右側および左側可動装飾部材８０２,８０３の反射面部８０２ａ,８０３ａとは、互いに連続した一連の前方反射面部を形成する。
【０４３３】
この場合、外側反射部材８０１ｔの外側反射面部８０１ａと第２の右側および左側可動装飾部材８０２,８０３の反射面部８０２ａ,８０３ａとが互いに連続した一連の前方反射面部を形成することで、当該装飾部材が可動しないものと思わせることができ、その後、所定の条件が成立したことを契機に、発光手段８００からの発光、第１の可動装飾部材８０１の旋回、第２の右側および左側可動装飾部材８０２,８０３の第２の位置への移動が行われることで、遊技者に驚きを与えることができるため、演出効果を飛躍的に向上させることができ、これにより、さらに遊技の興趣を高めることができる。
【０４３４】
ここで、トップ飾り１４において、上記した一連の前方反射面部（８０１ａ,８０２ａ,８０３ａ）の遊技者側の領域に、一連の前方反射面部（８０１ａ,８０２ａ,８０３ａ）に沿って複数の発光手段８０９（例えば、ＬＥＤ）を設けることが好ましい。これにより、一連の前方反射面部（８０１ａ,８０２ａ,８０３ａ）が形成された状態において（図１４２参照）、当該各発光手段（ＬＥＤ）８０９を発光させることで、当該一連の前方反射面部（８０１ａ,８０２ａ,８０３ａ）から遊技者側に向けて、光演出効果の高い美観に優れた例えば放射光や拡散光などを発生させることができる。
【０４３５】
この場合、各発光手段（ＬＥＤ）８０９の発光タイミングとしては、上記した一連の後方反射面部（８０２ａ,８０３ａ,８０４ａ）が形成された状態で（図１４３参照）、当該各発光手段（ＬＥＤ）８０９を発光させることが好ましい。これにより、各発光手段（ＬＥＤ）８０９の発光とともに、発光手段８００の発光中における第１の可動装飾部材８０１（外側反射部材８０１ｔ、内側反射部材８０１ｓ）の旋回により、トップ飾り１４から外部（遊技者側）に、強い発光と弱い発光とが所定タイミングで繰り返される中で、これに連動して、発光手段８００から発せられた光が上記した一連の後方反射面部（８０２ａ,８０３ａ,８０４ａ）から反射されることで、トップ飾り１４から外部（遊技者側）に向けて、光演出効果の高い美観に優れた例えば放射光や拡散光などを発生させることができる。
【０４３６】
ところで、トップ飾り１４には、第１の可動装飾部材８０１（外側反射部材８０１ｔ、内側反射部材８０１ｓ）の旋回、第２の右側および左側可動装飾部材８０２,８０３の第１および第２の位置への移動を行うための駆動機構が設けられているが、駆動機構については、トップ飾り１４の使用目的や使用環境などに応じて設定されるため、ここでは特に限定しない。なお、図１４４には、駆動機構の一例が示されており、当該駆動機構は、第１の可動装飾部材８０１（外側反射部材８０１ｔ、内側反射部材８０１ｓ）を旋回させるための第１の駆動機構と、第２の右側および左側可動装飾部材８０２,８０３を第１および第２の位置へ移動させるための第２の駆動機構とを備えている。
【０４３７】
図１４４に示すように、第１の駆動機構は、第１のモータ８１０（図１４２及び図１４３参照）の回転軸（図示しない）に連結された増速ギア８１１と、第１の可動装飾部材８０１が固定された回転台８０６（図１４２及び図１４３参照）に連結された駆動プーリ８１２と、増速ギア８１１と駆動プーリ８１２との間に介在された２つの中継ギア８１３,８１４とを備えている。この場合、第１のモータ８１０の回転運動を増速ギア８１１から各中継ギア８１３,８１４を介して駆動プーリ８１２に伝達し、当該駆動プーリ８１２を回転させて、当該駆動プーリ８１２に連結された回転台８０６を回転させることで、第１の可動装飾部材８０１を旋回させることができる。
【０４３８】
一方、第２の駆動機構は、第２のモータ８１５（図１４２及び図１４３参照）の回転軸（図示しない）に連結された駆動ギア８１６と、駆動ギア８１６の回転運動を第２の右側および左側可動装飾部材８０２,８０３の回動軸８０７,８０８に伝達して回動させる回動装置とを有し、回動装置は、第２の右側および左側可動装飾部材８０２,８０３の回動軸８０７,８０８寄りの部位に１つずつ設けられ、一方向に沿って往復移動可能な右側ラック８１７および左側ラック８１８と、右側ラック８１７と左側ラック８１８との間に亘って回転可能に延在された１本の回転シャフト８１９とを備えている。
【０４３９】
回転シャフト８１９には、右側ラック８１７および左側ラック８１８に対向した部位に、周方向に沿って所定ピッチで右側ギア（図示しない）および左側ギア（図示しない）が形成されており、当該右側ラック８１７および左側ラック８１８には、右側ギアおよび左側ギアが歯合可能であって、かつ、一方向（往復移動方向）に沿って形成された第１右側歯部８２０（図１４５参照）および第１左側歯部（図示しない）が設けられている。なお、図１４５には、右側ラック８１７の第１右側歯部８２０の構成が示されているが、かかる構成は、左側ラックの第１左側歯部も同様であるため、図示は省略する。
【０４４０】
また、右側ラック８１７および左側ラック８１８には、一方向（往復移動方向）に沿って所定ピッチで形成された第２右側歯部８１７ｇおよび第２左側歯部８１８ｇが設けられており、第２右側歯部８１７ｇおよび第２左側歯部８１８ｇは、それぞれ、中継ギア８２１,８２２を介して、上記した第２の右側および左側可動装飾部材８０２,８０３の回動軸８０７,８０８に連結されている。この場合、回動軸８０７,８０８には、当該回動軸８０７,８０８と共に回転可能な連結ギア８２３,８２４が構築されており、当該連結ギア８２３,８２４に上記した中継ギア８２１,８２２が連結されている。そして、右側ラックの第２右側歯部には、上記した駆動ギア８１６が歯合されている。
【０４４１】
この場合、第２のモータ８１５の回転運動を、駆動ギア８１６を介して第２右側歯部８１７ｇに伝達し、右側ラック８１７を一方向に移動させるとともに、このとき、当該右側ラック８１７の第１右側歯部８２０（図１４５参照）に歯合した右側ギア（図示しない）を介して回転シャフト８１９を回転させ、そのときの回転運動を当該回転シャフト８１９の左側ギア（図示しない）を介して、左側ラック８１８の第１左側歯部（図示しない）に伝達し、左側ラック８１８を一方向に移動させることで、右側ラック８１７と左側ラック８１８の直線運動は、各中継ギア８２１,８２２および各連結ギア８２３,８２４を介して各回動軸８０７,８０８に伝達され、これにより、当該各回動軸８０７,８０８を回動させることで、当該各回動軸８０７,８０８に支持された第２の右側および左側可動装飾部材８０２,８０３を第１および第２の位置へ移動させることができる。
【０４４２】
上述した第一実施形態、第二実施形態、第三実施形態の各構成にあっては、それぞれ他の実施形態において本発明の範囲内で適宜援用したり変更したりして、任意の構成での組合せが可能である。
また、本発明は、パチンコ遊技機の他、パチスロ機、スロットマシーン及びルーレットマシーン等のゲーミングマシーンにも適用可能である。
【産業上の利用可能性】
【０４４３】
本発明は、パチンコ遊技機およびパチスロ遊技機に利用可能である。
【符号の説明】
【０４４４】
１５８９  発光演出手段（第五の可動演出役物）
１５９５  装飾部材
１５９７  開口部
１６０５  レンズ部材
１６１１  反射部
１６１５  開口部
１６２１ａ  発光手段（ＬＥＤ）
【図１】
2018047309.tif 000003
【図２】
2018047309.tif 000004
【図３】
2018047309.tif 000005
【図４】
2018047309.tif 000006
【図５】
2018047309.tif 000007
【図６】
2018047309.tif 000008
【図７】
2018047309.tif 000009
【図８】
2018047309.tif 000010
【図９】
2018047309.tif 000011
【図１０】
2018047309.tif 000012
【図１１】
2018047309.tif 000013
【図１２】
2018047309.tif 000014
【図１３】
2018047309.tif 000015
【図１４】
2018047309.tif 000016
【図１５】
2018047309.tif 000017
【図１６】
2018047309.tif 000018
【図１７】
2018047309.tif 000019
【図１８】
2018047309.tif 000020
【図１９】
2018047309.tif 000021
【図２０】
2018047309.tif 000022
【図２１】
2018047309.tif 000023
【図２２】
2018047309.tif 000024
【図２３】
2018047309.tif 000025
【図２４】
2018047309.tif 000026
【図２５】
2018047309.tif 000027
【図２６】
2018047309.tif 000028
【図２７】
2018047309.tif 000029
【図２８】
2018047309.tif 000030
【図２９】
2018047309.tif 000031
【図３０】
2018047309.tif 000032
【図３１】
2018047309.tif 000033
【図３２】
2018047309.tif 000034
【図３３】
2018047309.tif 000035
【図３４】
2018047309.tif 000036
【図３５】
2018047309.tif 000037
【図３５Ａ】
2018047309.tif 000038
【図３６】
2018047309.tif 000039
【図３６Ａ】
2018047309.tif 000040
【図３７】
2018047309.tif 000041
【図３８】
2018047309.tif 000042
【図３９】
2018047309.tif 000043
【図４０】
2018047309.tif 000044
【図４１】
2018047309.tif 000045
【図４２】
2018047309.tif 000046
【図４３】
2018047309.tif 000047
【図４４】
2018047309.tif 000048
【図４５】
2018047309.tif 000049
【図４６】
2018047309.tif 000050
【図４７】
2018047309.tif 000051
【図４８】
2018047309.tif 000052
【図４９】
2018047309.tif 000053
【図５０】
2018047309.tif 000054
【図５１】
2018047309.tif 000055
【図５２】
2018047309.tif 000056
【図５３】
2018047309.tif 000057
【図５４】
2018047309.tif 000058
【図５５】
2018047309.tif 000059
【図５６】
2018047309.tif 000060
【図５７】
2018047309.tif 000061
【図５８】
2018047309.tif 000062
【図５９】
2018047309.tif 000063
【図６０】
2018047309.tif 000064
【図６１】
2018047309.tif 000065
【図６２】
2018047309.tif 000066
【図６３】
2018047309.tif 000067
【図６４】
2018047309.tif 000068
【図６５】
2018047309.tif 000069
【図６６】
2018047309.tif 000070
【図６７】
2018047309.tif 000071
【図６８】
2018047309.tif 000072
【図６９】
2018047309.tif 000073
【図７０】
2018047309.tif 000074
【図７１】
2018047309.tif 000075
【図７２】
2018047309.tif 000076
【図７３】
2018047309.tif 000077
【図７４】
2018047309.tif 000078
【図７５】
2018047309.tif 000079
【図７６】
2018047309.tif 000080
【図７６Ａ】
2018047309.tif 000081
【図７７】
2018047309.tif 000082
【図７８】
2018047309.tif 000083
【図７９】
2018047309.tif 000084
【図８０】
2018047309.tif 000085
【図８１】
2018047309.tif 000086
【図８２】
2018047309.tif 000087
【図８３】
2018047309.tif 000088
【図８４】
2018047309.tif 000089
【図８５】
2018047309.tif 000090
【図８６】
2018047309.tif 000091
【図８７】
2018047309.tif 000092
【図８８】
2018047309.tif 000093
【図８８Ａ】
2018047309.tif 000094
【図８９】
2018047309.tif 000095
【図９０】
2018047309.tif 000096
【図９０Ａ】
2018047309.tif 000097
【図９１】
2018047309.tif 000098
【図９２】
2018047309.tif 000099
【図９３】
2018047309.tif 000100
【図９４】
2018047309.tif 000101
【図９５】
2018047309.tif 000102
【図９６】
2018047309.tif 000103
【図９７】
2018047309.tif 000104
【図９８】
2018047309.tif 000105
【図９９】
2018047309.tif 000106
【図１００】
2018047309.tif 000107
【図１０１】
2018047309.tif 000108
【図１０２】
2018047309.tif 000109
【図１０３】
2018047309.tif 000110
【図１０４】
2018047309.tif 000111
【図１０５】
2018047309.tif 000112
【図１０６】
2018047309.tif 000113
【図１０７】
2018047309.tif 000114
【図１０８】
2018047309.tif 000115
【図１０９】
2018047309.tif 000116
【図１１０】
2018047309.tif 000117
【図１１１】
2018047309.tif 000118
【図１１２】
2018047309.tif 000119
【図１１３】
2018047309.tif 000120
【図１１４】
2018047309.tif 000121
【図１１５】
2018047309.tif 000122
【図１１６】
2018047309.tif 000123
【図１１７】
2018047309.tif 000124
【図１１８】
2018047309.tif 000125
【図１１９】
2018047309.tif 000126
【図１２０】
2018047309.tif 000127
【図１２１】
2018047309.tif 000128
【図１２２】
2018047309.tif 000129
【図１２３】
2018047309.tif 000130
【図１２４】
2018047309.tif 000131
【図１２５】
2018047309.tif 000132
【図１２６】
2018047309.tif 000133
【図１２７】
2018047309.tif 000134
【図１２８】
2018047309.tif 000135
【図１２９】
2018047309.tif 000136
【図１３０】
2018047309.tif 000137
【図１３１】
2018047309.tif 000138
【図１３２】
2018047309.tif 000139
【図１３３】
2018047309.tif 000140
【図１３４】
2018047309.tif 000141
【図１３５】
2018047309.tif 000142
【図１３６】
2018047309.tif 000143
【図１３７】
2018047309.tif 000144
【図１３８】
2018047309.tif 000145
【図１３９】
2018047309.tif 000146
【図１４０】
2018047309.tif 000147
【図１４１】
2018047309.tif 000148
【図１４２】
2018047309.tif 000149
【図１４３】
2018047309.tif 000150
【図１４４】
2018047309.tif 000151
【図１４５】
2018047309.tif 000152